(57)【要約】エネルギ送達カテーテル（１０２）システムなどの肺組織改変システム（１００）を用いて目標組織にエネルギを送達することによって肺組織を治療するシステム及び方法を提供する。肺組織の例としては、上皮（杯細胞、多列線毛円柱上皮細胞、基底細胞）、粘膜固有層、粘膜下組織、粘膜下腺、基底膜、平滑筋、軟骨、及び／又は神経が挙げられる。このシステムは、ＣＯＰＤ（例えば、慢性気管支炎、肺気腫）、喘息、間質性肺線維症、嚢胞性線維症、気管支拡張症、原発性線毛機能不全症候群（ＰＣＤ）、及び／又は急性気管支炎などの様々な肺疾患又は肺障害の治療に用いられてもよい。【選択図】図５
2019524396.tif 000002
【特許請求の範囲】
【請求項１】
患者の肺通路における粘液の過剰分泌を低減させるシステムであって、
遠位端の近くに配置される少なくとも１つの電極を含み、前記遠位端は患者の肺通路内に位置決めされ、前記少なくとも１つの電極が非熱エネルギを前記肺通路の気道壁に伝達できるように構成されたカテーテルと、
前記少なくとも１つの電極と電気通信を行い、前記気道壁の粘液の過剰分泌に関連する特定の細胞に選択的な治療を施して前記気道壁の粘液の過剰分泌を低減させる、前記気道壁に伝達可能な前記非熱エネルギの電気信号を供給するように構成された、少なくとも１つのエネルギ送達アルゴリズムを有するジェネレータと、
含む、システム。
【請求項２】
選択的な治療は、前記気道壁から前記特定の細胞を選択的に除去することを含む、請求項１に記載のシステム。
【請求項３】
除去は、細胞剥離を含む、請求項２に記載のシステム。
【請求項４】
細胞剥離は、誘電泳動により行われる、請求項３に記載のシステム。
【請求項５】
除去は、細胞死を含む、請求項２に記載のシステム。
【請求項６】
前記特定の細胞は、基底細胞ではなく上皮細胞を含む、請求項１、２、３、４又は５のいずれかに記載のシステム。
【請求項７】
前記上皮細胞は、異常又は過形成杯細胞を含む、請求項６に記載のシステム。
【請求項８】
前記上皮細胞は、異常多列線毛円柱上皮細胞を含む、請求項６に記載のシステム。
【請求項９】
前記特定の細胞は基底膜の細胞を含み、選択的な治療は、前記基底膜の細胞を修飾し、前記基底膜の透過性を改変することを含む、請求項１に記載のシステム。
【請求項１０】
前記特定の細胞は、粘膜下腺を含み、選択的な治療は、前記粘膜下腺の細胞死を引き起こすことを含む、請求項１、２又は５のいずれかに記載のシステム。
【請求項１１】
前記特定の細胞は、病原体を含み、選択的な治療は、前記病原体の細胞死を引き起こすことを含む、請求項１、２又は５のいずれかに記載のシステム。
【請求項１２】
選択的な治療は、前記特定の細胞を選択的に修飾して粘液生産を変化させることを含む、請求項１に記載のシステム。
【請求項１３】
前記電気信号は、少なくとも１つのエネルギパケットを含む波形を有し、各エネルギパケットは一連のパルスを含む、請求項１から１２のいずれかに記載のシステム。
【請求項１４】
各パルスは、約５００Ｖ〜１０ｋＶである、請求項１２に記載のシステム。
【請求項１５】
各パルスは、約５００〜４０００Ｖである、請求項１２又は１３に記載のシステム。
【請求項１６】
前記少なくとも１つのエネルギパケットは、約５００〜８００ｋＨｚの範囲の周波数を有する、請求項１２、１３又は１４のいずれかに記載のシステム。
【請求項１７】
各パルスは二相性である、請求項１２、１３、１４又は１５のいずれかに記載のシステム。
【請求項１８】
前記カテーテルに沿って配置され、前記気道壁と接触して前記気道壁内外の温度を監視する温度センサをさらに含む、請求項１から１７のいずれかに記載のシステム。
【請求項１９】
前記ジェネレータは、前記温度センサと通信を行うプロセッサを含み、前記プロセッサは、前記温度が熱組織効果の温度閾値以上に上昇した場合、前記少なくとも１つのエネルギ送達アルゴリズムを修正する、請求項１７に記載のシステム。
【請求項２０】
前記カテーテルに沿って配置され、前記気道壁と接触して前記気道壁におけるインピーダンスを監視するインピーダンスセンサをさらに含み、前記インピーダンスセンサは、前記インピーダンスに基づいて前記気道壁の状態を示すインジケータと通信を行う、請求項１から１９のいずれかに記載のシステム。
【請求項２１】
前記気道壁の状態は、前記特定の細胞に対する治療の完了を含む、請求項１９に記載のシステム。
【請求項２２】
前記気道壁の状態は、前記特定の細胞に対する治療の効果の欠如を含む、請求項１９に記載のシステム。
【請求項２３】
前記ジェネレータは、前記患者の心臓信号を取得する機構と、前記心臓信号に基づいて前記肺通路の前記気道壁に前記非熱エネルギを伝達できる安全期間を特定するように構成されたプロセッサと、をさらに含む、請求項１から２２に記載のシステム。
【請求項２４】
前記安全期間は、前記心臓信号のＳＴ部分で生じる、請求項２２に記載のシステム。
【請求項２５】
前記安全期間は、前記心臓信号のＱＴ間隔中に生じる、請求項２２に記載のシステム。
【請求項２６】
前記気道壁のパラメータを感知するように構成された少なくとも１つのセンサをさらに含み、前記ジェネレータは、前記少なくとも１つのセンサから得たデータに基づいて前記少なくとも１つのエネルギ送達アルゴリズムを修正し、フィードバックループを作成するように構成されたプロセッサをさらに含む、請求項１から２５に記載のシステム。
【請求項２７】
前記カテーテルは、前記肺通路の気道壁に接触する拡張型突起を少なくとも２つ有する、請求項１から２６に記載のシステム。
【請求項２８】
前記少なくとも２つの突起は、拡張型籠を形成する複数のワイヤを有し、前記ワイヤの少なくとも１つは、前記少なくとも１つの電極として機能する、請求項２６に記載のシステム。
【請求項２９】
前記カテーテルはシャフトを含み、前記シャフトは、前記拡張型籠を通過しない、請求項２７に記載のシステム。
【請求項３０】
前記複数のワイヤのうちの１つの少なくとも一部が、前記複数のワイヤにおける隣接のワイヤから絶縁されている、請求項２７から２８のいずれかに記載のシステム。
【請求項３１】
前記複数のワイヤのうちの１つの少なくとも一部が、ワイヤの露出部を残して絶縁され、前記肺通路の気道壁に沿う特定の位置に前記エネルギを集中させる活性領域を作り出す、請求項２９に記載のシステム。
【請求項３２】
前記複数のワイヤは、同時に通電可能である、請求項２７から３０のいずれかに記載のシステム。
【請求項３３】
前記複数のワイヤの少なくとも一部は、個別に通電可能である、請求項２７から３０のいずれかに記載のシステム。
【請求項３４】
前記少なくとも１つの電極は、前記少なくとも２つの突起の少なくとも１つに取り付けられている別途の電極を含む、請求項２６に記載のシステム。
【請求項３５】
前記別途の電極はコイル形状である、請求項３３に記載のシステム。
【請求項３６】
前記カテーテルはシャフトを含み、前記少なくとも２つの突起は前記シャフトに取り付けられた端部と、自由端とを有する複数のワイヤを備え、半拡張型籠を形成する、請求項２６に記載のシステム。
【請求項３７】
前記少なくとも２つの突起を折り畳むようにカテーテル上を前進可能なシースをさらに含む、請求項２６から３５のいずれかに記載のシステム。
【請求項３８】
異常に機能している患者の肺通路において正常な健康組織を再生するシステムであって、
遠位端の近くに配置される少なくとも１つの電極を含み、前記遠位端は患者の肺通路内に位置決めされ、前記少なくとも１つの電極が非熱エネルギを前記肺通路の気道壁に伝達できるように構成されたカテーテルと、
前記少なくとも１つの電極と電気通信を行い、前記気道壁内のコラーゲンマトリックス構造を維持しながら、前記気道壁から異常機能細胞を除去して正常な健康組織で前記気道壁を再生させる、前記気道壁に伝達可能な前記非熱エネルギの電気信号を供給するように構成された少なくとも１つのエネルギ送達アルゴリズムを有するジェネレータと、
を含む、システム。
【請求項３９】
除去は、細胞剥離を含む、請求項３８に記載のシステム。
【請求項４０】
前記電気信号は、誘電泳動により細胞剥離を引き起こす、請求項３９に記載のシステム。
【請求項４１】
除去は、細胞死を含む、請求項３８に記載のシステム。
【請求項４２】
前記異常機能細胞は、基底細胞ではなく上皮細胞を含む、請求項３８、３９、４０又は４１のいずれかに記載のシステム。
【請求項４３】
前記上皮細胞は、異常又は過形成杯細胞を含む、請求項４２に記載のシステム。
【請求項４４】
前記上皮細胞は、異常多列線毛円柱上皮細胞を含む、請求項４２に記載のシステム。
【請求項４５】
前記異常機能細胞は粘膜下腺を含み、除去は前記粘膜下腺の細胞死を引き起こすことを含む、請求項３８又は４１に記載のシステム。
【請求項４６】
前記電気信号は、少なくとも１つのエネルギパケットを含む波形を有し、各エネルギパケットは一連のパルスを含む、請求項３８から４５のいずれかに記載のシステム。
【請求項４７】
各パルスは、約５００Ｖ〜１０ｋＶである、請求項４６に記載のシステム。
【請求項４８】
各パルスは、約５００〜４０００Ｖである、請求項４６又は４７に記載のシステム。
【請求項４９】
前記少なくとも１つのエネルギパケットは、約５００〜８００ｋＨｚの範囲の周波数を有する、請求項４６、４７、４８のいずれかに記載のシステム。
【請求項５０】
各パルスは二相性である、請求項４６、４７、４８又は４９のいずれかに記載のシステム。
【請求項５１】
前記カテーテルに沿って配置され、前記気道壁と接触して前記気道壁内外の温度を監視する温度センサをさらに含む、請求項３８から５０のいずれかに記載のシステム。
【請求項５２】
前記ジェネレータは、前記温度センサと通信を行うプロセッサを含み、前記プロセッサは、前記温度が熱組織効果の温度閾値以上に上昇した場合、前記少なくとも１つのエネルギ送達アルゴリズムを修正する、請求項５１に記載のシステム。
【請求項５３】
前記エネルギカテーテルに沿って配置され、前記気道壁と接触して前記気道壁におけるインピーダンスを監視するインピーダンスセンサをさらに含み、前記インピーダンスセンサは、前記インピーダンスに基づいて前記気道壁の状態を示すインジケータと通信を行う、請求項３８から５２のいずれかに記載のシステム。
【請求項５４】
前記気道壁の状態は、前記異常機能細胞の除去の効果の欠如を含む、請求項５３に記載のシステム。
【請求項５５】
前記ジェネレータは、前記患者の心臓信号を取得する機構と、前記心臓信号に基づいて前記肺通路の前記気道壁に前記非熱エネルギを伝達できる安全期間を特定するように構成されたプロセッサと、をさらに含む、請求項３８から５４に記載のシステム。
【請求項５６】
前記安全期間は、前記心臓信号のＳＴ部分で生じる、請求項５５に記載のシステム。
【請求項５７】
前記安全期間は、前記心臓信号のＱＴ間隔中に生じる、請求項５５に記載のシステム。
【請求項５８】
前記気道壁のパラメータを感知するように構成された少なくとも１つのセンサをさらに含み、前記ジェネレータは、前記少なくとも１つのセンサから得たデータに基づいて前記少なくとも１つのエネルギ送達アルゴリズムを修正し、フィードバックループを作成するように構成されたプロセッサをさらに含む、請求項３８から５７に記載のシステム。
【請求項５９】
前記カテーテルは、前記肺通路の気道壁に接触する拡張型突起を少なくとも２つ有する、請求項３８から５８に記載のシステム。
【請求項６０】
前記少なくとも２つの突起は、拡張型籠を形成する複数のワイヤを有し、前記ワイヤの少なくとも１つは、前記少なくとも１つの電極として機能する、請求項５９に記載のシステム。
【請求項６１】
前記カテーテルはシャフトを含み、前記シャフトは、前記拡張型籠を通過しない、請求項６０に記載のシステム。
【請求項６２】
前記複数のワイヤのうちの１つの少なくとも一部が、前記複数のワイヤにおける隣接のワイヤから絶縁されている、請求項５９から６１のいずれかに記載のシステム。
【請求項６３】
前記複数のワイヤのうちの１つの少なくとも一部が、ワイヤの露出部を残して絶縁され、前記肺通路の気道壁に沿う特定の位置に前記エネルギを集中させる活性領域を作り出す、請求項６２に記載のシステム。
【請求項６４】
前記複数のワイヤは、同時に通電可能である、請求項５９から６３のいずれかに記載のシステム。
【請求項６５】
前記複数のワイヤの少なくとも一部は、個別に通電可能である、請求項５９から６３のいずれかに記載のシステム。
【請求項６６】
前記少なくとも１つの電極は、前記少なくとも２つの突起の少なくとも１つに取り付けられている別途の電極を含む、請求項５９に記載のシステム。
【請求項６７】
前記別途の電極はコイル形状である、請求項６６に記載のシステム。
【請求項６８】
前記カテーテルはシャフトを含み、前記少なくとも２つの突起は前記シャフトに取り付けられた端部と、自由端とを有する複数のワイヤを備え、半拡張型籠を形成する、請求項５９に記載のシステム。
【請求項６９】
前記少なくとも２つの突起を折り畳むように前記カテーテル上を前進可能なシースをさらに含む、請求項５９から６８のいずれかに記載のシステム。
【請求項７０】
異常に機能している患者の肺通路において正常な健康組織を再生するシステムであって、
遠位端の近くに配置される少なくとも１つの電極を含み、前記遠位端は患者の肺通路内に位置決めされ、前記エネルギ送達体が非熱エネルギを前記肺通路の気道壁に伝達できるように構成されたカテーテルと、
前記少なくとも１つの電極と電気通信を行い、前記気道壁内のコラーゲンマトリックス構造を維持しながら、前記気道壁から前記肺通路の異常機能に関わる細胞を除去して正常な健康組織で前記気道壁を再生させる、前記気道壁に伝達可能な前記非熱エネルギの電気信号を供給するように構成された少なくとも１つのエネルギ送達アルゴリズムを有するジェネレータと、
を含む、システム。
【請求項７１】
除去は、細胞剥離を含む、請求項７０に記載のシステム。
【請求項７２】
前記電気信号は、誘電泳動により細胞剥離を引き起こす、請求項７１に記載のシステム。
【請求項７３】
除去は、細胞死を含む、請求項７０に記載のシステム。
【請求項７４】
前記細胞は、基底細胞ではなく上皮細胞を含む、請求項７０、７１、７２、又は７３のいずれかに記載のシステム。
【請求項７５】
前記上皮細胞は、異常又は過形成杯細胞を含む、請求項７４に記載のシステム。
【請求項７６】
前記上皮細胞は、異常多列線毛円柱上皮細胞を含む、請求項７４に記載のシステム。
【請求項７７】
前記細胞は、リンパ球、マクロファージ、好酸球、線維芽細胞、形質細胞、肥満細胞、白血球、あるいはこれらの組み合わせを含む、請求項７０又は７３に記載のシステム。
【請求項７８】
前記細胞は粘膜下腺を含み、除去は前記粘膜下腺の細胞死を引き起こすことを含む、請求項７０又は７３に記載のシステム。
【請求項７９】
前記細胞は、病原体を含む、請求項７０又は７３に記載のシステム。
【請求項８０】
前記電気信号は、少なくとも１つのエネルギパケットを含む波形を有し、各エネルギパケットは一連のパルスを含む、請求項７０から７９のいずれかに記載のシステム。
【請求項８１】
各パルスは、約５００Ｖ〜１０ｋＶである、請求項８０に記載のシステム。
【請求項８２】
各パルスは、約５００〜４０００Ｖである、請求項８０又は８１に記載のシステム。
【請求項８３】
前記少なくとも１つのエネルギパケットは、約５００〜８００ｋＨｚの範囲の周波数を有する、請求項８０、８１、又は８２のいずれかに記載のシステム。
【請求項８４】
各パルスは二相性である、請求項８０、８１、８２、又は８３のいずれかに記載のシステム。
【請求項８５】
前記カテーテルに沿って配置され、前記気道壁と接触して前記気道壁内外の温度を監視する温度センサをさらに含む、請求項７０から８４のいずれかに記載のシステム。
【請求項８６】
前記ジェネレータは、前記温度センサと通信を行うプロセッサを含み、前記プロセッサは、前記温度が熱組織効果の温度閾値以上に上昇した場合、前記少なくとも１つのエネルギ送達アルゴリズムを修正する、請求項８５に記載のシステム。
【請求項８７】
前記カテーテルに沿って配置され、前記気道壁と接触して前記気道壁におけるインピーダンスを監視するインピーダンスセンサをさらに含み、前記インピーダンスセンサは、前記インピーダンスに基づいて前記気道壁の状態を示すインジケータと通信を行う、請求項７０から８６のいずれかに記載のシステム。
【請求項８８】
前記気道壁の状態は、前記細胞の除去の効果の欠如を含む、請求項８７に記載のシステム。
【請求項８９】
前記ジェネレータは、前記患者の心臓信号を取得する機構と、前記心臓信号に基づいて前記肺通路の前記気道壁に前記非熱エネルギを伝達できる安全期間を特定するように構成されたプロセッサと、をさらに含む、請求項７０から８８に記載のシステム。
【請求項９０】
前記安全期間は、前記心臓信号のＳＴ部分で生じる、請求項８９に記載のシステム。
【請求項９１】
前記安全期間は、前記心臓信号のＱＴ間隔中に生じる、請求項８９に記載のシステム。
【請求項９２】
前記気道壁のパラメータを感知するように構成された少なくとも１つのセンサをさらに含み、前記ジェネレータは、前記少なくとも１つのセンサから得たデータに基づいて前記少なくとも１つのエネルギ送達アルゴリズムを修正し、フィードバックループを作成するように構成されたプロセッサをさらに含む、請求項７０から９１に記載のシステム。
【請求項９３】
前記カテーテルは、前記肺通路の気道壁に接触する拡張型突起を少なくとも２つ有する、請求項７０から９２に記載のシステム。
【請求項９４】
前記少なくとも２つの突起は、拡張型籠を形成する複数のワイヤを有し、前記ワイヤの少なくとも１つは、前記少なくとも１つの電極として機能する、請求項９３に記載のシステム。
【請求項９５】
前記カテーテルはシャフトを含み、前記シャフトは、前記拡張型籠を通過しない、請求項９４に記載のシステム。
【請求項９６】
前記複数のワイヤのうちの１つの少なくとも一部が、前記複数のワイヤにおける隣接のワイヤから絶縁されている、請求項９４から９５のいずれかに記載のシステム。
【請求項９７】
前記複数のワイヤのうちの１つの少なくとも一部が、ワイヤの露出部を残して絶縁され、前記肺通路の気道壁に沿う特定の位置に前記エネルギを集中させる活性領域を作り出す、請求項９６に記載のシステム。
【請求項９８】
前記複数のワイヤは、同時に通電可能である、請求項９４から９７のいずれかに記載のシステム。
【請求項９９】
前記複数のワイヤの少なくとも一部は、個別に通電可能である、請求項９４から９７のいずれかに記載のシステム。
【請求項１００】
前記少なくとも１つの電極は、前記少なくとも２つの突起の少なくとも１つに取り付けられている別途の電極を含む、請求項９３に記載のシステム。
【請求項１０１】
前記別途の電極はコイル形状である、請求項１００に記載のシステム。
【請求項１０２】
前記カテーテルはシャフトを含み、前記少なくとも２つの突起は前記シャフトに取り付けられた端部と、自由端とを有する複数のワイヤを備え、半拡張型籠を形成する、請求項９３に記載のシステム。
【請求項１０３】
前記少なくとも２つの突起を折り畳むようにカテーテル上を前進可能なシースをさらに含む、請求項９３から１０２のいずれかに記載のシステム。
【請求項１０４】
身体通路から上皮細胞を除去するシステムであって、
遠位端の近くに配置される少なくとも１つの電極を含み、前記遠位端は前記身体通路内に位置決めされ、前記少なくとも１つの電極が非熱エネルギを前記身体通路の壁に伝達できるように構成されたカテーテルと、
前記少なくとも１つの電極と電気通信を行い、誘電泳動によって前記壁から上皮細胞を剥離して正常な健康組織で前記壁を再生させる、前記気道壁に伝達可能な前記非熱エネルギの電気信号を供給するように構成された少なくとも１つのエネルギ送達アルゴリズムを有するジェネレータと、
を含む、システム。
【請求項１０５】
前記上皮細胞は、杯細胞を含む、請求項１０４に記載のシステム。
【請求項１０６】
前記上皮細胞は、多列線毛円柱上皮細胞を含む、請求項１０４に記載のシステム。
【請求項１０７】
前記上皮細胞は、基底細胞ではなく、杯細胞と多列線毛円柱上皮細胞とを含む、請求項１０４に記載のシステム。
【請求項１０８】
前記身体通路は、肺通路を含む、請求項１０４から１０７のいずれかに記載のシステム。
【請求項１０９】
前記身体通路は、血管、リンパ管、腎臓細管、食道、胃、小腸、大腸、虫垂、直腸、膀胱、尿管、咽頭、口腔、膣、尿道、又は腺管である、請求項１０４に記載のシステム。
【請求項１１０】
前記電気信号は、少なくとも１つのエネルギパケットを含む波形を有し、各エネルギパケットは一連のパルスを含む、請求項１０４から１０９のいずれかに記載のシステム。
【請求項１１１】
各パルスは、約５００Ｖ〜１０ｋＶである、請求項１１０に記載のシステム。
【請求項１１２】
各パルスは、約５００〜４０００Ｖである、請求項１１０又は１１１に記載のシステム。
【請求項１１３】
前記少なくとも１つのエネルギパケットは、約５００〜８００ｋＨｚの範囲の周波数を有する、請求項１１０、１１１、又は１１２のいずれかに記載のシステム。
【請求項１１４】
各パルスは二相性である、請求項１１０、１１１、１１２、又は１１３のいずれかに記載のシステム。
【請求項１１５】
前記カテーテルに沿って配置され、前記気道壁と接触して前記気道壁内外の温度を監視する温度センサをさらに含む、請求項１０４から１１４のいずれかに記載のシステム。
【請求項１１６】
前記ジェネレータは、前記温度センサと通信を行うプロセッサを含み、前記プロセッサは、前記温度が熱組織効果の温度閾値以上に上昇した場合、前記少なくとも１つのエネルギ送達アルゴリズムを修正する、請求項１１５に記載のシステム。
【請求項１１７】
前記カテーテルに沿って配置され、前記気道壁と接触して前記気道壁におけるインピーダンスを監視するインピーダンスセンサをさらに含み、前記インピーダンスセンサは、前記インピーダンスに基づいて前記気道壁の状態を示すインジケータと通信を行う、請求項１０４から１１６のいずれかに記載のシステム。
【請求項１１８】
前記気道壁の状態は、細胞剥離の効果の欠如を含む、請求項１１７に記載のシステム。
【請求項１１９】
前記ジェネレータは、前記患者の心臓信号を取得する機構と、前記心臓信号に基づいて前記肺通路の前記気道壁に前記非熱エネルギを伝達できる安全期間を特定するように構成されたプロセッサと、をさらに含む、請求項１０４から１１８に記載のシステム。
【請求項１２０】
前記安全期間は、前記心臓信号のＳＴ部分で生じる、請求項１１９に記載のシステム。
【請求項１２１】
前記安全期間は、前記心臓信号のＱＴ間隔中に生じる、請求項１１９に記載のシステム。
【請求項１２２】
前記気道壁のパラメータを感知するように構成された少なくとも１つのセンサをさらに含み、前記ジェネレータは、前記少なくとも１つのセンサから得たデータに基づいて前記少なくとも１つのエネルギ送達アルゴリズムを修正し、フィードバックループを作成するように構成されたプロセッサをさらに含む、請求項１０４から１２１に記載のシステム。
【請求項１２３】
前記カテーテルは、前記肺通路の気道壁に接触する拡張型突起を少なくとも２つ有する、請求項１０４から１２３に記載のシステム。
【請求項１２４】
前記少なくとも２つの突起は、拡張型籠を形成する複数のワイヤを有し、前記ワイヤの少なくとも１つは、前記少なくとも１つの電極として機能する、請求項１２３に記載のシステム。
【請求項１２５】
前記カテーテルはシャフトを含み、前記シャフトは、前記拡張型籠を通過しない、請求項１２４に記載のシステム。
【請求項１２６】
前記複数のワイヤのうちの１つの少なくとも一部が、前記複数のワイヤにおける隣接のワイヤから絶縁されている、請求項１２４から１２５のいずれかに記載のシステム。
【請求項１２７】
前記複数のワイヤのうちの１つの少なくとも一部が、ワイヤの露出部を残して絶縁され、前記肺通路の気道壁に沿う特定の位置に前記エネルギを集中させる活性領域を作り出す、請求項１２６に記載のシステム。
【請求項１２８】
前記複数のワイヤは、同時に通電可能である、請求項１２４から１２５のいずれかに記載のシステム。
【請求項１２９】
前記複数のワイヤの少なくとも一部は、個別に通電可能である、請求項１２４から１２５のいずれかに記載のシステム。
【請求項１３０】
前記少なくとも１つの電極は、前記少なくとも２つの突起の少なくとも１つに取り付けられている別途の電極を含む、請求項１２３に記載のシステム。
【請求項１３１】
前記別途の電極はコイル形状である、請求項１３０に記載のシステム。
【請求項１３２】
前記カテーテルはシャフトを含み、前記少なくとも２つの突起は前記シャフトに取り付けられた端部と、自由端とを有する複数のワイヤを備え、半拡張型籠を形成する、請求項１２３に記載のシステム。
【請求項１３３】
前記少なくとも２つの突起を折り畳むようにカテーテル上を前進可能なシースをさらに含む、請求項１２３から１３２のいずれかに記載のシステム。
【請求項１３４】
患者の肺通路を治療するシステムであって、
前記肺通路内に位置決めされるように構成されたカテーテルにエネルギを供給して、前記エネルギが前記肺通路に伝達できるように構成されたジェネレータを含み、
前記ジェネレータは、少なくとも１つのエネルギ送達アルゴリズムとプロセッサとを有し、前記プロセッサは、前記少なくとも１つのエネルギ送達アルゴリズムに応じて前記エネルギの電気信号を供給し、各電気信号は、少なくとも１つのエネルギパケットを含む波形を有し、各エネルギパケットは一連のパルスを含み、
前記エネルギは、前記肺通路における粘液の過剰分泌に関連する特定の細胞に選択的な治療を施して粘液の過剰分泌を低減させる、システム。
【請求項１３５】
各パルスは、約５００〜４０００Ｖである、請求項１３４に記載のシステム。
【請求項１３６】
前記エネルギは単極式で送達され、各パルスは約２０００〜３５００Ｖである、請求項１３４又は１３５に記載のシステム。
【請求項１３７】
前記エネルギは双極式で送達され、各パルスは約５００〜１９００Ｖである、請求項１３４又は１３５に記載のシステム。
【請求項１３８】
前記特定の細胞は、基底細胞ではなく上皮細胞を含む、請求項１３４から１３７のいずれかに記載のシステム。
【請求項１３９】
前記パルスの電圧が上昇すると、前記エネルギが、前記肺通路の壁内のより深くに位置する特定の細胞を選択的な治療を施すようになる、請求項１３４から１３７のいずれかに記載のシステム。
【請求項１４０】
前記少なくとも１つのエネルギパケットは、約５００〜８００ｋＨｚの範囲の周波数を有する、請求項１３４から１３９のいずれかに記載のシステム。
【請求項１４１】
前記エネルギは、前記肺通路内の軟骨層を治療するための閾値未満である、請求項１３４から１３９のいずれかに記載のシステム。
【請求項１４２】
前記エネルギは、熱焼灼を引き起こす閾値未満である、請求項１３４から１４１のいずれかに記載のシステム。
【請求項１４３】
前記肺通路の壁と接触し、前記壁内外の温度を監視するように構成された温度センサをさらに含む、請求項１３４から１４２のいずれかに記載のシステム。
【請求項１４４】
前記プロセッサは、前記温度センサと通信を行い、さらに前記プロセッサは、前記温度が熱組織効果の温度閾値以上に上昇した場合、前記少なくとも１つのエネルギ送達アルゴリズムを修正する、請求項１４３に記載のシステム。
【請求項１４５】
各パルスは二相性である、請求項１３４から１４４のいずれかに記載のシステム。
【請求項１４６】
治療は、前記特定の細胞を除去することを含む、請求項１３４から１４５のいずれかに記載のシステム。
【請求項１４７】
前記特定の細胞は基底膜の細胞を含み、選択的な治療は、前記基底膜の細胞を修飾し、前記基底膜の透過性を改変することを含む、請求項１３４から１４５のいずれかに記載のシステム。
【請求項１４８】
前記特定の細胞は、粘膜下腺を含み、選択的な治療は、前記粘膜下腺の細胞死を引き起こすことを含む、請求項１３４から１４５のいずれかに記載のシステム。
【請求項１４９】
前記特定の細胞は、病原体を含み、選択的な治療は、前記病原体の細胞死を引き起こすことを含む、請求項１３４から１４５のいずれかに記載のシステム。
【請求項１５０】
前記患者の心臓信号を取得するように構成された心臓モニタをさらに含み、前記プロセッサは、前記心臓信号と同期して前記エネルギの電気信号を供給する、請求項１３４から１４９のいずれかに記載のシステム。
【請求項１５１】
前記プロセッサは、前記心臓信号のＳＴ部分でエネルギの前記電気信号を供給する、請求項１５０に記載のシステム。
【請求項１５２】
前記プロセッサは、前記心臓信号のＱＴ間隔中にエネルギの前記電気信号を供給する、請求項１５０に記載のシステム。
【請求項１５３】
前記肺通路の壁と接触し、前記壁におけるインピーダンスを監視するように構成されたインピーダンスセンサをさらに含み、前記インピーダンスセンサは、前記インピーダンスに基づいて前記壁の状態を示すインジケータと通信を行う、請求項１３４から１５２のいずれかに記載のシステム。
【請求項１５４】
前記気道壁の状態は、前記特定の細胞に対する治療の完了を含む、請求項１５３に記載のシステム。
【請求項１５５】
前記気道壁の状態は、前記特定の細胞に対する治療の効果の欠如を含む、請求項１５３に記載のシステム。
【請求項１５６】
前記肺通路の壁のパラメータを感知するように構成された少なくとも１つのセンサをさらに含み、前記プロセッサは、前記少なくとも１つのセンサから得たデータに基づいて前記少なくとも１つのエネルギ送達アルゴリズムを修正し、フィードバックループを作成する、請求項１３４から１５２に記載のシステム。
【請求項１５７】
患者の肺通路を治療するシステムであって、
前記肺通路内に位置決めされるように構成されたカテーテルにエネルギを供給して、前記エネルギを前記肺通路に伝達できるように構成された一方、少なくとも１つのエネルギ送達アルゴリズムとプロセッサとを有し、前記プロセッサは、前記少なくとも１つのエネルギ送達アルゴリズムに応じて前記エネルギの電気信号を供給し、前記エネルギは、前記肺通路における粘液の過剰分泌に関連する特定の細胞に選択的な治療を施して粘液の過剰分泌を低減させるジェネレータと、
前記プロセッサと通信を行う少なくとも１つのセンサとを有し、
前記センサは、前記肺通路の状態を感知し、前記プロセッサは、前記状態に基づいて前記少なくとも１つのエネルギ送達アルゴリズムの少なくとも１つのパラメータを修正する、システム。
【請求項１５８】
前記少なくとも１つのパラメータは、電圧、周波数、パケット期間、サイクル数、エネルギパケット数、休止期間、又は無駄時間を含む、請求項１５７に記載のシステム。
【請求項１５９】
前記少なくとも１つのセンサは、温度センサを含み、前記状態は、前記肺通路の壁の一部における温度を含む、請求項１５７又は１５８に記載のシステム。
【請求項１６０】
前記少なくとも１つのパラメータは電圧を含み、前記プロセッサは、前記温度が温度閾値に達すると、電圧を下げる、請求項１５９に記載のシステム。
【請求項１６１】
前記プロセッサは、前記温度が温度閾値に達すると、エネルギの前記電気信号の供給を中止する、請求項１５９に記載のシステム。
【請求項１６２】
前記カテーテルをさらに含み、前記カテーテルは、前記肺通路の壁の近くに、あるいは前記壁に対して位置決め可能な少なくとも１つの電極を有して、前記エネルギを前記肺通路に伝達し、
前記少なくとも１つのセンサは、温度センサを含み、前記状態は、前記少なくとも１つの電極の温度を含む、請求項１５７に記載のシステム。
【請求項１６３】
前記少なくとも１つのセンサがインピーダンスセンサを含み、前記状態は、前記肺通路の壁の一部のインピーダンスを含む、請求項１５７に記載のシステム。
【請求項１６４】
前記プロセッサは、前記インピーダンスをインピーダンス閾値と比較し、前記インピーダンスが前記インピーダンス閾値を超えている場合、前記ジェネレータにより警報を出す、請求項１６３に記載のシステム。
【請求項１６５】
前記カテーテルをさらに含み、前記カテーテルは、前記肺通路の壁の近くに、あるいは前記壁に対して位置決め可能な少なくとも１つの電極を有して、前記エネルギを前記肺通路に伝達し、
前記警報は、前記少なくとも１つの電極の少なくとも１つが適切に位置決めされていないことを示す指示事項を含む、請求項１６３に記載のシステム。
【請求項１６６】
前記少なくとも１つのパラメータは電圧を含み、
前記プロセッサは、前記インピーダンスがインピーダンス閾値に達すると、前記電圧を下げる、請求項１６３に記載のシステム。
【請求項１６７】
前記プロセッサは、前記インピーダンスがインピーダンス閾値に達すると、エネルギの前記電気信号の供給を中止する、請求項１６３に記載のシステム。
【請求項１６８】
前記少なくとも１つのセンサは、温度センサ、インピーダンスセンサ、表面電導センサ、膜電位センサ、静電容量センサ、力センサ、又は圧力センサを含む、請求項１５７に記載のシステム。
【請求項１６９】
前記患者の心臓信号を取得するように構成された心臓モニタをさらに含み、前記プロセッサは、前記心臓信号と同期して前記エネルギの電気信号を供給する、請求項１５７から１６８のいずれかに記載のシステム。
【請求項１７０】
前記肺通路の状態は、前記特定の細胞に対する治療の完了を含む、請求項１５７に記載のシステム。
【請求項１７１】
前記肺通路の状態は、前記特定の細胞に対する治療の効果の欠如を含む、請求項１５７に記載のシステム。
【請求項１７２】
患者の肺通路を治療するシステムであって、
前記肺通路内に位置決めされるように構成されたカテーテルにエネルギを供給して、前記エネルギを前記肺通路に伝達できるように構成された一方、少なくとも２つのエネルギ送達アルゴリズムとプロセッサとを有し、前記プロセッサは、前記少なくとも２つのエネルギ送達アルゴリズムの一方を選択し、前記少なくとも２つのエネルギ送達アルゴリズムの一方に応じて前記エネルギの電気信号を供給し、前記エネルギは、前記肺通路における粘液の過剰分泌に関連する特定の細胞に選択的な治療を施して粘液の過剰分泌を低減させるジェネレータと、
前記プロセッサと通信を行う少なくとも１つのセンサとを有し、
前記センサは、前記肺通路の状態を感知し、前記プロセッサは、前記少なくとも２つのエネルギ送達アルゴリズムの他方を選択し、前記少なくとも２つのエネルギ送達アルゴリズムの他方に応じて前記エネルギの電気信号を供給する、システム。
【請求項１７３】
前記少なくとも１つのセンサは、温度センサを含み、前記状態は、前記肺通路の壁の一部における温度を含む、請求項１７２に記載のシステム。
【請求項１７４】
前記カテーテルをさらに含み、前記カテーテルは、前記肺通路の壁の近くに、あるいは前記壁に対して位置決め可能な少なくとも１つの電極を有して、前記エネルギを前記肺通路に伝達し、
前記少なくとも１つのセンサは、温度センサを含み、前記状態は、前記少なくとも１つの電極の温度を含む、請求項１７２に記載のシステム。
【請求項１７５】
前記少なくとも１つのセンサがインピーダンスセンサを含み、前記状態は、前記肺通路の壁の一部のインピーダンスを含む、請求項１７２に記載のシステム。
【請求項１７６】
前記プロセッサは、前記インピーダンスをインピーダンス閾値と比較し、前記インピーダンスが前記インピーダンス閾値を超えている場合、前記ジェネレータにより警報を出す、請求項１７５に記載のシステム。
【請求項１７７】
前記少なくとも１つのパラメータは電圧を含み、
前記プロセッサは、前記インピーダンスがインピーダンス閾値に達すると、前記電圧を下げる、請求項１７２に記載のシステム。
【請求項１７８】
前記少なくとも１つのセンサは、温度センサ、インピーダンスセンサ、表面電導センサ、膜電位センサ、静電容量センサ、力センサ、又は圧力センサを含む、請求項１７２に記載のシステム。
【請求項１７９】
前記患者の心臓信号を取得するように構成された心臓モニタをさらに含み、前記プロセッサは、前記心臓信号と同期して前記エネルギの電気信号を供給する、請求項１７２から１７８のいずれかに記載のシステム。
【請求項１８０】
前記肺通路の状態は、前記特定の細胞に対する治療の完了を含む、請求項１７２に記載のシステム。
【請求項１８１】
前記肺通路の状態は、前記特定の細胞に対する治療の効果の欠如を含む、請求項１７２に記載のシステム。
【請求項１８２】
患者の肺通路を治療するシステムであって、
前記肺通路内に位置決めされるように構成されたカテーテルにエネルギを供給して、前記エネルギを前記肺通路に伝達できるように構成された一方、少なくとも１つのエネルギ送達アルゴリズムとプロセッサとを有し、前記プロセッサは、前記少なくとも１つのエネルギ送達アルゴリズムに応じて前記エネルギの電気信号を供給し、前記エネルギは、前記気道壁から異常機能細胞を除去するジェネレータと、
前記プロセッサと通信を行う少なくとも１つのセンサと、を有し、
前記センサは、前記肺通路の状態を感知し、前記プロセッサは、前記状態に基づいて前記少なくとも１つのエネルギ送達アルゴリズムの少なくとも１つのパラメータを修正する、システム。
【請求項１８３】
患者の肺通路を治療するシステムであって、
前記肺通路内に位置決めされるように構成されたカテーテルにエネルギを供給して、前記エネルギを前記肺通路に伝達できるように構成された一方、少なくとも１つのエネルギ送達アルゴリズムとプロセッサとを有し、前記プロセッサは、前記少なくとも１つのエネルギ送達アルゴリズムに応じて前記エネルギの電気信号を供給し、前記エネルギは、前記気道壁内のコラーゲンマトリックス構造を維持しながら、前記気道壁から前記肺通路の異常機能に関わる細胞を除去して正常な健康組織で前記気道壁を再生させるジェネレータと、
前記プロセッサと通信を行う少なくとも１つのセンサと、を有し、
前記センサは、前記肺通路の状態を感知し、前記プロセッサは、前記状態に基づいて前記少なくとも１つのエネルギ送達アルゴリズムの少なくとも１つのパラメータを修正する、システム。
【請求項１８４】
患者の肺通路を治療するシステムであって、
前記肺通路内に位置決めされるように構成されたカテーテルにエネルギを供給して、前記エネルギを前記肺通路に伝達できるように構成された一方、少なくとも１つのエネルギ送達アルゴリズムとプロセッサとを有し、前記プロセッサは、前記少なくとも１つのエネルギ送達アルゴリズムに応じて前記エネルギの電気信号を供給し、前記エネルギは、誘電泳動によって前記壁から上皮細胞を剥離して正常な健康組織で前記壁を再生させるジェネレータと、
前記プロセッサと通信を行う少なくとも１つのセンサと、を有し、
前記センサは、前記肺通路の状態を感知し、前記プロセッサは、前記状態に基づいて前記少なくとも１つのエネルギ送達アルゴリズムの少なくとも１つのパラメータを修正する、システム。
【請求項１８５】
患者の肺通路を治療するシステムであって、
前記肺通路内に位置決めされるように構成されたカテーテルにエネルギを供給して、前記エネルギを前記肺通路に伝達できるように構成された一方、少なくとも２つのエネルギ送達アルゴリズムとプロセッサとを有し、前記プロセッサは、前記少なくとも２つのエネルギ送達アルゴリズムの一方を選択し、前記少なくとも２つのエネルギ送達アルゴリズムの一方に応じて前記エネルギの電気信号を供給し、前記エネルギは、前記気道壁から異常機能細胞を除去するジェネレータと、
前記プロセッサと通信を行う少なくとも１つのセンサと、を有し、
前記センサは、前記肺通路の状態を感知し、前記プロセッサは、前記少なくとも２つのエネルギ送達アルゴリズムの他方を選択し、前記少なくとも２つのエネルギ送達アルゴリズムの他方に応じて前記エネルギの電気信号を供給する、システム。
【請求項１８６】
患者の肺通路を治療するシステムであって、
前記肺通路内に位置決めされるように構成されたカテーテルにエネルギを供給して、前記エネルギを前記肺通路に伝達できるように構成された一方、少なくとも２つのエネルギ送達アルゴリズムとプロセッサとを有し、前記プロセッサは、前記少なくとも２つのエネルギ送達アルゴリズムの一方を選択し、前記少なくとも２つのエネルギ送達アルゴリズムの一方に応じて前記エネルギの電気信号を供給し、前記エネルギは、前記気道壁内のコラーゲンマトリックス構造を維持しながら、前記気道壁から前記肺通路の異常機能に関わる細胞を除去して正常な健康組織で前記気道壁を再生させるジェネレータと、
前記プロセッサと通信を行う少なくとも１つのセンサと、を有し、
前記センサは、前記肺通路の状態を感知し、前記プロセッサは、前記少なくとも２つのエネルギ送達アルゴリズムの他方を選択し、前記少なくとも２つのエネルギ送達アルゴリズムの他方に応じて前記エネルギの電気信号を供給する、システム。
【請求項１８７】
患者の肺通路を治療するシステムであって、
前記肺通路内に位置決めされるように構成されたカテーテルにエネルギを供給して、前記エネルギを前記肺通路に伝達できるように構成された一方、少なくとも２つのエネルギ送達アルゴリズムとプロセッサとを有し、前記プロセッサは、前記少なくとも２つのエネルギ送達アルゴリズムの一方を選択し、前記少なくとも２つのエネルギ送達アルゴリズムの一方に応じて前記エネルギの電気信号を供給し、前記エネルギは、誘電泳動によって前記壁から上皮細胞を剥離して正常な健康組織で前記壁を再生させるジェネレータと、
前記プロセッサと通信を行う少なくとも１つのセンサと、を有し、
前記センサは、前記肺通路の状態を感知し、前記プロセッサは、前記少なくとも２つのエネルギ送達アルゴリズムの他方を選択し、前記少なくとも２つのエネルギ送達アルゴリズムの他方に応じて前記エネルギの電気信号を供給する、システム。
【請求項１８８】
患者の肺通路を治療するシステムであって、
前記肺通路の壁の近くに、あるいは前記壁に対して位置決め可能な少なくとも１つの電極を有して、エネルギを前記肺通路に伝達するカテーテルと、
前記カテーテルに沿って配置され、前記肺通路の状態を感知して状態値を生成する少なくとも１つのセンサと、
前記センサの値が閾値を超える場合に警報を出すように構成されたプロセッサを有するジェネレータと、
を含む、システム。
【請求項１８９】
前記少なくとも１つのセンサはインピーダンスセンサを含み、前記状態値は、前記肺通路の壁の一部のインピーダンスを含む、請求項１８８に記載のシステム。
【請求項１９０】
前記警報は、前記少なくとも１つの電極の少なくとも１つが適切に位置決めされていないことを示す指示事項を含む、請求項１８８に記載のシステム。
【請求項１９１】
前記警報は、前記少なくとも１つの電極の少なくとも１つが不良であることを示す指示事項を含む、請求項１８８に記載のシステム。
【請求項１９２】
患者の肺通路を治療するシステムであって、
前記患者の心臓信号を取得するように構成された心臓モニタと、
前記肺通路内に位置決め可能な少なくとも１つの電極に、前記肺通路に伝達可能なエネルギの電気信号を供給するジェネレータと、を有し、
前記ジェネレータは、前記心臓信号と同期して前記電気信号を供給する、システム。
【請求項１９３】
前記心臓モニタは、前記心臓信号における所定の点で心臓同期パルスを前記ジェネレータに送信し、前記ジェネレータは、前記心臓同期パルスの受信から所定の遅延後に前記エネルギの電気信号を供給するように構成された、請求項１９２に記載のシステム。
【請求項１９４】
前記所定の点は、前記心臓信号のＲ波のピークである、請求項１９３に記載のシステム。
【請求項１９５】
前記所定の遅延は、５０〜１００ミリ秒の範囲内である、請求項１９３に記載のシステム。
【請求項１９６】
前記ジェネレータはプロセッサを含み、前記プロセッサは、複数の心臓同期パルスを監視し、連続心臓同期パルス間の時間間隔を算出し、前記時間間隔が心臓同期パルスの所定数に対して一定ではない場合は、前記ジェネレータによる前記電気信号の供給を防ぐ、請求項１９２から１９５のいずれかに記載のシステム。
【請求項１９７】
心臓同期パルスの前記所定数は５である、請求項１９６に記載のシステム。
【請求項１９８】
心臓同期パルスの前記所定数は３である、請求項１９６に記載のシステム。
【請求項１９９】
前記プロセッサは、前記ジェネレータによる前記電気信号の供給が既に防がれている場合、心臓同期パルスの前記所定数を減らす、請求項１９６に記載のシステム。
【請求項２００】
前記ジェネレータは、前記心臓信号のＳＴ部分で前記電気信号を送信するように構成された、請求項１９２に記載のシステム。
【請求項２０１】
前記ジェネレータは、前記心臓信号のＱＴ間隔中に前記電気信号を送信するように構成された、請求項１９２に記載のシステム。
【請求項２０２】
前記ジェネレータは、前記心臓信号のＴ波の間には前記電気信号を送信しないように構成された、請求項１９２に記載のシステム。
【請求項２０３】
前記ジェネレータは、帰線期間中に前記電気信号を送信しないように構成された、請求項１９２に記載のシステム。
【請求項２０４】
前記帰線期間は、前記心臓信号のＲ波ピークの後の１００〜２００ミリ秒である、請求項２０３に記載のシステム。
【請求項２０５】
前記少なくとも１つの電極が取り付けられているカテーテルをさらに含む、請求項１９２から２０４のいずれかに記載のシステム。
【請求項２０６】
前記肺通路を撮像するように構成された画像診断器をさらに含む、請求項１９２から２０５のいずれかに記載のシステム。
【請求項２０７】
前記画像診断器は、気管支鏡を含む、請求項２０６に記載のシステム。
【請求項２０８】
患者の肺通路における粘液の過剰分泌を低減させるシステムであって、
遠位端の近くに配置されるエネルギ送達体を含み、前記エネルギ送達体は前記肺通路の壁と接触する拡張型突起を少なくとも２つ有し、各突起は少なくとも１つの電極を含む、カテーテルと、
任意のエネルギ量の非熱エネルギを前記壁に向かって伝達する前記少なくとも１つの電極に電気信号を供給するジェネレータと、を有し、
前記エネルギ量は、前記気道壁の粘液の過剰分泌に関連する特定の細胞に選択的な治療を施して前記気道壁による粘液の過剰分泌を低減させる、システム。
【請求項２０９】
前記少なくとも２つの突起は、拡張型籠を形成する複数のワイヤを有し、前記ワイヤの少なくとも１つは、前記少なくとも１つの電極として機能する、請求項２０８に記載のシステム。
【請求項２１０】
前記カテーテルはシャフトを含み、前記シャフトは、前記拡張型籠を通過しない、請求項２０９に記載のシステム。
【請求項２１１】
前記複数のワイヤのうちの１つの少なくとも一部が、前記複数のワイヤにおける隣接のワイヤから絶縁されている、請求項２０９又は２１０に記載のシステム。
【請求項２１２】
前記複数のワイヤのうちの１つの少なくとも一部が、ワイヤの露出部を残して絶縁され、前記肺通路の前記壁に沿う特定の位置に前記エネルギ量を集中させる活性領域を作り出す、請求項２１１に記載のシステム。
【請求項２１３】
前記複数のワイヤは、同時に通電可能である、請求項２０９に記載のシステム。
【請求項２１４】
前記複数のワイヤの少なくとも一部は、個別に通電可能である、請求項２０９に記載のシステム。
【請求項２１５】
前記少なくとも１つの電極は、前記少なくとも２つの突起に取り付けられている別途の電極を含む、請求項２０８に記載のシステム。
【請求項２１６】
前記別途の電極はコイル形状である、請求項２１５に記載のシステム。
【請求項２１７】
前記カテーテルはシャフトを含み、前記少なくとも２つの突起は前記シャフトに取り付けられた端部と、自由端とを有する複数のワイヤを備え、半拡張型籠を形成する、請求項２０８に記載のシステム。
【請求項２１８】
前記少なくとも２つの突起を折り畳むようにカテーテル上を前進可能なシースをさらに含む、請求項２０８から２１７のいずれかに記載のシステム。
【請求項２１９】
選択的な治療は、前記気道壁から前記特定の細胞を選択的に除去することを含む、請求項２０８から２１８のいずれかに記載のシステム。
【請求項２２０】
前記特定の細胞は、基底細胞ではなく上皮細胞を含む、請求項２１９に記載のシステム。
【請求項２２１】
前記上皮細胞は、異常又は過形成杯細胞を含む、請求項２２０に記載のシステム。
【請求項２２２】
前記上皮細胞は、異常多列線毛円柱上皮細胞を含む、請求項２２０に記載のシステム。
【請求項２２３】
除去は、細胞剥離を含む、請求項２１９に記載のシステム。
【請求項２２４】
除去は、細胞死を含む、請求項２１９に記載のシステム。
【請求項２２５】
前記特定の細胞は基底膜の細胞を含み、選択的な治療は、前記基底膜の細胞を修飾し、前記基底膜の透過性を改変することを含む、請求項２０８に記載のシステム。
【請求項２２６】
前記特定の細胞は、粘膜下腺を含み、選択的な治療は、前記粘膜下腺の細胞死を引き起こすことを含む、請求項２０８に記載のシステム。
【請求項２２７】
前記特定の細胞は、病原体を含み、選択的な治療は、前記病原体の細胞死を引き起こすことを含む、請求項２０８に記載のシステム。
【請求項２２８】
選択的な治療は、前記特定の細胞を選択的に修飾して粘液生産を変化させることを含む、請求項２０８に記載のシステム。
【請求項２２９】
前記電気信号は、少なくとも１つのエネルギパケットを含む波形を有し、各エネルギパケットは一連のパルスを含む、請求項２０８から２２８のいずれかに記載のシステム。
【請求項２３０】
各パルスは、約５００Ｖ〜１０ｋＶである、請求項２２９に記載のシステム。
【請求項２３１】
前記エネルギ送達体に沿って配置され、前記気道壁と接触して前記気道壁内外の温度を監視する温度センサをさらに含む、請求項２０８から２３０のいずれかに記載のシステム。
【請求項２３２】
前記ジェネレータは、前記温度センサと通信を行うプロセッサを含み、前記プロセッサは、前記温度が熱組織効果の温度閾値以上に上昇した場合、前記少なくとも１つのエネルギ送達アルゴリズムを修正する、請求項２３１に記載のシステム。
【請求項２３３】
前記エネルギ送達体に沿って配置され、前記気道壁と接触して前記気道壁におけるインピーダンスを監視するインピーダンスセンサをさらに含み、前記インピーダンスセンサは、前記インピーダンスに基づいて前記気道壁の状態を示すインジケータと通信を行う、請求項２０８から２３２のいずれかに記載のシステム。
【請求項２３４】
前記ジェネレータは、前記患者の心臓信号を取得する機構と、前記心臓信号を分析して前記肺通路の前記気道壁に前記非熱エネルギを伝達できる安全期間を特定するように構成されたプロセッサと、をさらに含む、請求項２０８から２３３のいずれかに記載のシステム。
【請求項２３５】
前記気道壁のパラメータを感知するように構成された少なくとも１つのセンサをさらに含み、前記ジェネレータは、前記少なくとも１つのセンサから得たデータに基づいて前記電気信号を修正し、フィードバックループを作成するように構成されたプロセッサをさらに含む、請求項２０８から２３４のいずれかに記載のシステム。
【請求項２３６】
患者の肺通路における粘液の過剰分泌を低減させる方法であって、
少なくとも１つの電極を前記肺通路内に位置決めを行い、前記少なくとも１つの電極が前記肺通路の気道壁の一部に近く、あるいは前記一部に対して配置されるようにすることと、
前記少なくとも１つの電極を通電して、非熱エネルギを前記気道壁の前記一部に送達することと、を含み、
前記非熱エネルギは、前記気道壁の一部の粘液の過剰分泌に関連する特定の細胞に選択的な治療を施して前記気道壁による粘液の過剰分泌を低減させる、方法。
【請求項２３７】
選択的な治療は、前記気道壁から前記特定の細胞を選択的に除去することを含む、請求項２３７に記載の方法。
【請求項２３８】
前記特定の細胞は、基底細胞ではなく上皮細胞を含む、請求項２３６に記載の方法。
【請求項２３９】
前記上皮細胞は、異常又は過形成杯細胞を含む、請求項２３８に記載の方法。
【請求項２４０】
前記上皮細胞は、異常多列線毛円柱上皮細胞を含む、請求項２３８に記載の方法。
【請求項２４１】
除去は、細胞剥離を含む、請求項２３７から２４０のいずれかに記載の方法。
【請求項２４２】
除去は、誘電泳動により行われる細胞剥離を含む、請求項２４１に記載の方法。
【請求項２４３】
除去は、細胞死を含む、請求項２３７から２４０のいずれかに記載の方法。
【請求項２４４】
前記特定の細胞は基底膜の細胞を含み、選択的な治療は、前記基底膜の細胞を修飾し、前記基底膜の透過性を改変することを含む、請求項２３６に記載の方法。
【請求項２４５】
前記特定の細胞は、粘膜下腺を含み、選択的な治療は、前記粘膜下腺の細胞死を引き起こすことを含む、請求項２３６に記載の方法。
【請求項２４６】
前記特定の細胞は、病原体を含み、選択的な治療は、前記病原体の細胞死を引き起こすことを含む、請求項２３６に記載の方法。
【請求項２４７】
選択的な治療は、前記特定の細胞を選択的に修飾して粘液生産を変化させることを含む、請求項２３６に記載の方法。
【請求項２４８】
前記少なくとも１つの電極は拡張型籠を形成する複数のワイヤを有し、前記少なくとも１つの電極の前記肺通路における位置決めは、前記拡張型籠を拡張することを含み、前記複数のワイヤの少なくとも１つが前記肺通路の前記気道壁と接触することになる、請求項２３６に記載の方法。
【請求項２４９】
前記複数のワイヤが単極電極として機能し、
前記患者の近くに対極板を位置決めすることをさらに含む、請求項２４８に記載の方法。
【請求項２５０】
前記複数のワイヤは双極電極として機能する、請求項２４８に記載の方法。
【請求項２５１】
前記少なくとも１つの電極は少なくとも２つの電極を含み、
通電は、双極対として機能する前記少なくとも２つの電極を通電することを含む、請求項２３６に記載の方法。
【請求項２５２】
前記非熱エネルギは任意のエネルギ量を有し、
前記少なくとも１つの電極に対して再通電を行い、異なるエネルギ量を有する非熱エネルギを送達することをさらに含む、請求項２３６から２５１のいずれかに記載の方法。
【請求項２５３】
前記再通電ステップは、前記気道壁の前記一部から感知した状態に応じて行われる、請求項２５２に記載の方法。
【請求項２５４】
前記感知した状態は、温度を含む、請求項２５３に記載の方法。
【請求項２５５】
前記感知した状態は、インピーダンスを含む、請求項２５３に記載の方法。
【請求項２５６】
前記少なくとも１つの電極に対して再通電を行い、前記気道壁の前記一部における異なる細胞に対して選択的な治療を施すことをさらに含む、請求項２３６から２５１のいずれかに記載の方法。
【請求項２５７】
前記特定の細胞に対する通電は、上皮細胞と、並びに粘膜下細胞を含む異なる細胞を含む、請求項２５６に記載の方法。
【請求項２５８】
前記少なくとも１つの電極に対する通電は、前記患者の心周期と同期して前記少なくとも１つの電極に対して通電を行うことを含む、請求項２３６に記載の方法。
【請求項２５９】
同期化は、前記心周期のＴ波の外側を含む、請求項２５８に記載の方法。
【請求項２６０】
前記肺通路内に前記少なくとも１つの電極を再位置決めし、前記少なくとも１つの電極が前記肺通路の前記気道壁の異なる一部の近くに、あるいは一部に対して配置されるようにすることと、
前記少なくとも１つの電極を通電し、前記気道壁の前記異なる一部にエネルギを送達することと、
をさらに含む、請求項２３６から２５９のいずれかに記載の方法。
【請求項２６１】
前記一部と、前記異なる一部は、互いに隣接している、請求項２６０に記載の方法。
【請求項２６２】
前記少なくとも１つの電極を前記患者の異なる肺通路内に位置させ、前記少なくとも１つの電極が前記異なる肺通路の気道壁の一部の近くに、あるいは一部に対して配置されるようにすることと、
前記少なくとも１つの電極を通電し、前記異なる肺通路の気道壁の一部にエネルギを送達することと、
をさらに含む、請求項２３６から２６１のいずれかに記載の方法。
【請求項２６３】
前記非熱エネルギは、少なくとも１つのエネルギパケットを含む波形を有する電気信号により供給され、各エネルギパケットは一連のパルスを含む、請求項２３６から２６２のいずれかに記載の方法。
【請求項２６４】
各パルスは、約５００〜４０００Ｖである、請求項２６３に記載の方法。
【請求項２６５】
各エネルギパケットは、約５００〜８００ｋＨｚの範囲の周波数を有する、請求項２６３に記載の方法。
【発明の詳細な説明】
【技術分野】
【０００１】
関連出願の相互参照
[0001]  本願は、２０１６年６月２７日に出願された米国特許出願第６２／３５５，１６４号の「Methods, Apparatuses, and Systems for the Treatment of Pulmonary Disorders」、並びに２０１７年４月２５日に出願された米国特許出願第６２／４８９，７５３号の「Methods, Apparatuses, and Systems for the Treatment of Pulmonary Disorders」に対する優先権を主張する。上記出願の両方の開示は、その全体が参照により本明細書に組み込まれる。
【背景技術】
【０００２】
Ｉ．解剖学的見地
[0002]  図１は、肺の解剖学的構造の説明図である。空気は気管Ｔを下って肺Ｌに入り、そこで気管Ｔは肺Ｌ全体に延びる複数の気道に分岐する。気管Ｔは最初に頸部ＣＡで左右の主気管支ＭＢに最初に分岐する。これらの主気管支ＭＢは、さらに、葉状気管支ＬＢ、分節気管支ＳＢ、副分節気管支ＳＳＢに分割され、肺胞Ａで終わる。気道の直径は、それらが分岐するにつれて減少する。気管Ｔは、約１５ｍｍ〜２２ｍｍ範囲の内腔直径を、主気管支ＭＢは、約１２ｍｍ〜１６ｍｍ範囲の内腔直径を有することができ、小葉気管支ＬＢは、約９ｍｍ〜１２ｍｍ範囲の腔径を有することができる。それ以降の気管支のサイズは減少し続ける。気道の長さも各分節ごとに異なる。一部の患者では、気管Ｔの長さは約１２ｃｍ、主気管支ＭＢの長さは約４．８ｃｍ、葉の気管支ＬＢの長さは約１．９ｃｍであり、以降の気管支の長さはさらに短くなり続ける。なお、気道壁は、肺組織内に向かって遠位方向に移動するにつれ、より薄くなり、支持構造が少なくなる。
【０００３】
[0003]  肺Ｌの気道は様々な層を備え、各層は１つ又は複数の種類の細胞を有する。図２は、様々な層及び構造を有する気道壁Ｗを表す断面図である。気道壁Ｗの最も内側の細胞層は、多列円柱上皮細胞ＰＣＥＣ、杯細胞ＧＣ、基底細胞ＢＣを含む上皮、又は上皮層Ｅである。杯細胞ＧＣは、気道の内壁を覆って粘液層（ｍｕｃｕｓ  ｂｌａｎｋｅｔ）を形成する粘液Ｍの分泌を担う。多列円柱上皮細胞ＰＣＥＣは粘液層内に延在する繊毛Ｃを含む。上皮Ｅに付着している繊毛Ｃは、鼻と口に向かって脈打ち、粘液Ｍを気道に押し上げて外側へ排出する。
【０００４】
[0004]  基底細胞ＢＣは基底膜ＢＭに付着しており、基底膜ＢＭの下には粘膜下層又は粘膜固有層ＬＰが存在する。粘膜固有層ＬＰは、様々な種類の細胞や組織、例えば平滑筋ＳＭを含む。平滑筋は、気管支収縮及び気管支拡張を担う。粘膜固有層ＬＰは、粘膜下腺ＳＧも含む。粘膜下腺ＳＧは、病原体や異物に対する炎症反応のほとんどに関わっている。同様に、神経Ｎが存在する。迷走神経の神経枝は、気道壁の外側に存在し、あるいは気道壁内に走り、粘液腺、気道平滑筋、結合組織、並びに、線維芽細胞、リンパ球、肥満細胞、その他諸々の細胞型に神経を分布させている。最後に、粘膜固有層ＬＰの下に軟骨層ＣＬが存在する。
【０００５】
[0005]  図３は、気道内の細胞連結の種類を示す、気道壁Ｗの上皮Ｅの断面図である。多列円柱上皮細胞ＰＣＥＣと杯細胞ＧＣは、密着結合ＴＪ及び接着結合ＡＪにより、互いに連結している。多列円柱上皮細胞ＰＣＥＣと杯細胞ＧＣは、接着斑Ｄにより基底細胞ＢＣに連結している。なお、基底細胞ＢＣは、半接着斑Ｈにより基底膜ＢＭに連結している。
【０００６】
ＩＩ．肺疾患
[0006]  図４Ａ〜４Ｂは、それぞれ、健康状態及び罹患状態における気管支気道Ｂを図示する。図４Ａは、正常量の粘液Ｍがあり、炎症がなく、健康状態の気管支気道Ｂを示す。
図４Ｂは、慢性閉塞性肺疾患、特に慢性気管支炎などの罹患状態にある気管支気道Ｂを示す。慢性気管支炎は、持続的な気流閉塞、慢性的な咳嗽、痰を含む症状を、１年に少なくとも３ヶ月以上、２年連続して表すという特徴を有する。図４Ｂは、過剰な粘液Ｍ及び気道閉塞をもたらす炎症Ｉの両方を図示している。気道炎症Ｉは、上皮層Ｅの肥厚とも一致する。
【０００７】
[0007]  様々な肺障害や肺疾患が気道閉塞の原因となる。本明細書ではその一部を簡単に説明する。
【０００８】
Ａ．慢性閉塞性肺疾患（ＣＯＰＤ）
[0008]  慢性閉塞性肺疾患（ＣＯＰＤ）は、タバコの煙やその他の汚染物質など、有害な環境刺激を原因とする、慢性の不可逆的な気流閉塞、並びに持続性炎症を特徴とする、一般的な疾患である。ＣＯＰＤには、主に気道に影響を及ぼす慢性気管支炎を伴う一連の疾患が含まれる。一方、肺気腫は肺胞、つまりガス交換に関与する気嚢に影響を及ぼす。一部の患者は、両方の特徴備えることになる。
【０００９】
[0009]  慢性気管支炎では、気道の構造や機能が変わる。慢性気管支炎の場合、気道から吸入されたタバコの煙や汚染物質などの有害刺激が異物として認識されると、炎症カスケードを引き起こすきっかけとなる。好中球、リンパ球、マクロファージ、サイトカイン、及びその他の炎症マーカは長期被爆した人の気道からみられ、慢性炎症や気道リモデリングを引き起こす。杯細胞は、細胞数が増加する過形成又は杯細胞のサイズが増加する肥大を被る可能性がある。言うなれば、杯細胞は炎症性刺激に対する応答として、さらには吸入毒素の除去のため、より多くの粘液を生成する。過剰な粘液は気道内腔狭窄をさらに進め、より多くの閉塞を誘発する。繊毛は有害刺激により損傷を受けるので、過剰な粘液が気道内腔に残り、吸気中は近位から遠位へ、呼気相中は遠位から近位への気流を妨げる。平滑筋は肥大して肥厚し、気管支収縮の原因となる。粘膜下腺もまた、過形成性や肥厚性となり、気道壁の全体の厚さを増加させ、さらに内腔の直径を狭める。
【００１０】
[0010]  気道内腔径の縮小に加えて、粘液の過剰分泌も、増悪、あるいは健康の全般的悪化を招くことがある。粘液の過剰分泌と繊毛損傷の結果、細菌（例えばインフルエンザ菌、肺炎レンサ球菌、モラクセラ・カタラーリス、黄色ブドウ球菌、緑膿菌、バークホルデリア・セパシア、日和見性グラム陰性桿菌、肺炎マイコプラズマ、肺炎クラミジア）、ウイルス（ライノウイルス、インフルエンザ／パラインフルエンザウイルス、呼吸器合胞体ウイルス、コロナウイルス、単純ヘルペスウイルス、アデノウイルス）及びその他の生物（例えば真菌）が繁殖し、増悪を引き起こし一連の症状をもたらすことになる。これらには、咳嗽の悪化、鬱血、痰量の増加、痰の激化、及び／又は息切れが含まれる。急性増悪の治療としては、ステロイドの経口摂取や静脈内投入、抗生物質、酸素、気管内挿管、人工呼吸器の補助が挙げられる。
【００１１】
Ｂ．喘息
[0011]  喘息は、気道過敏性を特徴とする気道の疾患である。喘息の場合、上皮が肥厚となり、杯細胞や粘膜下腺からの過剰生産のため粘液が過剰分泌し、平滑筋も肥厚となる。本明細書で考察しているように、粘液の過剰分泌、又は過剰な粘液は、病原体の繁栄を助長し、感染症を引き起こしてしまう。
【００１２】
Ｃ．間質性肺線維症
[0012]  間質性肺線維症は、慢性かつ異常な炎症を誘発する肺組織の急性損傷が原因と考えられている。線維芽細胞は炎症に反応して活性化し、肺線維症、瘢痕化、及び肺機能の悪化を触発する。診断後５年目における患者の生存率は僅か２０〜３０％に過ぎない。
【００１３】
Ｄ．嚢胞性線維症（ＣＦ）
[0013]  嚢胞性線維症（ＣＦ）は、遺伝的欠陥によって定義される、肺症状を伴う全身性疾患である。嚢胞性線維症膜通過伝導制御（ＣＦＴＲ）遺伝子の突然変異により、排出できない分泌物が著しく粘稠となる。慢性炎症は、杯細胞や粘膜下腺を介した気道リモデリングと過剰分泌をもたらし、さらには、難治性の気道狭窄や感染症を触発する。
【００１４】
Ｄ．気管支拡張症
[0014]  気管支拡張症は、気道が拡張及び肥厚し、さらには瘢痕化するようになる状態を指す。通常、気道壁の損傷、気道における粘液一掃の妨害、あるいは両方を妨げる感染、あるいは他の症状が原因で患うことになる。この状態を呈すると、気道は粘液除去能力を失うので、反復感染に繋がる可能性がある。各感染症はさらなる損傷を与え、最終的には中程度の気流閉塞を引き起こす。気管支拡張症は、原発性線毛機能不全症候群などの遺伝性疾患を原因とするが、特発性起源である場合もある。
【００１５】
ＩＩＩ．肺疾患の治療
[0015]  一部の場合、肺疾患に対する最も効果的な治療法は、生活習慣の変化、特に禁煙である。これは特にＣＯＰＤの場合である。しかしながら、多くの患者はタバコをやめることができないか、あるいはそれを望まない。現在、肺疾患の症状を緩和する様々な治療法が利用可能である。
【００１６】
Ａ．薬剤
[0016]  ＣＯＰＤは、短時間作用型β作動薬（ＳＡＢＡ）、長時間作用型β作動薬（ＬＡＢＡ）、長期作用型抗コリン薬（ＬＡＭＡ）、ステロイド、慢性抗生物質療法、あるいはロフルミラストなどのＰＤＥ４阻害剤などの１つ又は複数の薬物療法で管理することができる。ＳＡＢＡ及びＬＡＢＡは、気道平滑筋のβ受容体に作用して気管支を拡張する。ＬＡＭＡは抗コリン作用経路を介して作用し、アセチルコリンの放出を阻害して気管支を拡張する。ＬＡＢＡ及びＬＡＭＡは、息切れや増悪の頻度を減らし、生活の質を改善できることが実証されているが、死亡率の減少効果については示されていない。ＬＡＭＡのチオトロピウムは、肺機能の低下速度を遅らせ、増悪までの時間を長引かせる。吸入コルチコステロイドは炎症を直接目標とする。吸入コルチコステロイドは増悪を減少効果については実証されているが、肺機能や死亡率にはほとんど影響を及ぼさない。ＬＡＢＡ、ＬＡＭＡ、吸入コルチコステロイド薬の組み合わせは既に試されている。吸入酸素は、息切れを減らし、死亡率を改善することが知られているが、これらの結果は厳格な基準で表される進行性疾患にのみ関わるため、経鼻カニューレ、又は代替装置による慢性投与を必要とする。
【００１７】
[0017]  ＣＯＰＤは、ＰＤＥ４阻害剤、ステロイド、抗生物質など、１つ又は複数の経口薬で管理することもできる。ロフルミラストは、ＰＤＥ４酵素の選択的長時間作用型阻害剤に当たる経口薬である。抗炎症作用は非常に強力であるが、下痢、体重減少、悪心、食欲減退、腹痛などの有害作用を伴い、忍容性が低い。増悪中の急性炎症の治療につき、プレドニゾンなどの経口ステロイドを患者に処方することができる。服用中止が別の悪化をもたらす場合、患者は長期間に渡って経口ステロイドを継続しなければならないことが知られている。経口ステロイドにも様々な副作用があるが、とりわけ、体重増加、不眠症、甲状腺機能障害、骨粗鬆症などが挙げられる。アジスロマイシン又は抗生物質の長期投与は、ＣＯＰＤ増悪の頻度を減らすことが示されている。抗生物質は、増悪の原因となる病原体の除去による、あるいは、マクロライド系抗生物質が示しているように、粘液分泌の減少を含む他の機構による、抗微生物作用によってこれを達成することができる。抗生物質を長期投与した場合の副作用には、難聴や抗生物質耐性が含まれる。
【００１８】
[0018]  多くの場合、患者は処方された呼吸薬剤を順守しない。吸入療法は、吸気との同期だけでなく深い呼気を必要とし、患者のほとんど、特に高齢者は実行することができない。服用すべき用量を守らなければ、コストや副作用の問題又はその両方で苦しむことになる。まとめると、すべての要因が不適切且つ一貫性に欠ける投与に繋がる。
【００１９】
[0019]  喘息は、成人患者の場合、軽度のものから持続性のものに至るまで、重症度の範囲が幅広い疾患である。軽度の喘息であれば、原因となる要素の回避や短時間作用型β作動薬（ＳＡＢＡ）の服用のみで適切に管理できる。一方、持続性喘息に対する主流の治療法は、グルココルチコイドの吸入である。臨床試験の結果、吸入グルココルチコイドを定期的に服用することで、吸入器を携帯する必要性の低減、肺機能の改善、症状の軽減、悪化の防止を効果が得られることが確認された。一部の患者は、ロイコトリエン修飾剤やＬＡＢＡを追加に服用し、さらなる効果を得ている。チオトロピウムは、吸入グルココルチコイド単独よりも、肺機能を改善するための別の選択肢となり得る。特に深刻な症例では、経口コルチコステロイドを用いる一時的又は長期の治療を必要とする場合がある。
【００２０】
[0020]  間質性肺線維症（ＩＰＦ）の治療法は知られていない。主流の治療法は、必要に応じた酸素補給、そして予防接種などの予防策である。ピルフェニドンは、線維芽細胞の病巣、コラーゲン沈着、及び炎症細胞の炎症浸潤の遅延を試みる、ＩＰＦについて承認を受けた抗線維化剤である。臨床試験では、ピルフェニドンは肺活量の減少（肺機能の尺度）を低下させることが確認されており、全死因死亡率の低下が論証されている。ニネタニブは、ＩＰＦについて承認を受けている別の薬剤であり、線維形成増殖因子（例えば、血小板由来増殖因子、血管内皮増殖因子、線維芽細胞増殖因子）の合成を媒介する複数のチロシンキナーゼに対する受容体遮断剤を介して作用する。これにより、ＩＰＦは疾患の進行速度を遅らせる。ＩＰＦに対する機器療法は未だ承認されていない。
【００２１】
[0021]  嚢胞性線維症の治療法は、胸部理学療法と酸素補給療法から、ＣＦＴＲ遺伝子の根本的な欠陥を目標とする治療法へと急速に進化してきた。ＩｖａｃａｆｔｏｒはＣＦＴＲ増強剤であり、イオンチャネルを介した塩化物の輸送を改善し、一部のＣＦＴＲ遺伝子変異についてＦＤＡから承認を受けている。臨床試験では、ＦＥＶ１を改善し、増悪の頻度を減らすことが確認されている。それはまた、粘膜繊毛及び咳嗽のクリアランスを改善する。しかしながら、最も一般的なデルタＦ５０８欠失を有する患者に対して単独で用いた場合には、転帰の改善をあまり期待できない。その他の目標療法は臨床試験中である。慢性抗生物質は、抗炎症効果があるとされるアジスロマイシン、緑膿菌の治療に用いられる吸入トブラマイシンを含み、一般的にＣＦに対して処方される。他の閉塞性疾患と同様に、ＣＦ患者には、ＬＡＢＡ及びＬＡＭＡを含む気管支拡張剤がよく効く。気道分泌クリアランスを促進する薬剤には、粘液の粘性を低下させる吸入ＤＮａｓｅ、粘液内の気道から水分を引き出す吸入高張食塩水、粘液糖タンパク質内のジスルフィド結合を切断する吸入Ｎ−アセチルシステインが含まれる。増悪の場合には経口ステロイドが用いられるが、ガイドラインは吸入コルチオコステロイドの長期使用を推奨する。
【００２２】
[0022]  気管支拡張症は、気道内腔の過拡張をもたらす宿主損傷応答の解剖学的兆候である。従って治療は、しばしば原発性疾患の原因に向けられる。これらはとりわけ、非結核性マイコバクテリア感染症、一次免疫不全症、アレルギ性気管支肺、アスペルギルス症であり得る。急性増悪の治療は、有害な細菌性病原体を抗生物質で治療することに重点を置いている。マクロライド系及び非マクロライド系抗生物質は、増悪の頻度を低減することが確認されている。ＣＦ不在下での吸収抗生物質の使用は、粘液溶解剤の効能同様に不明である。気管支拡張剤は、肺活量測定で気道閉塞の徴候を示す患者に投与してもよい。
【００２３】
[0023]  原発性線毛機能不全症候群（ＰＣＤ）に対する処置は、毎日の胸部理学療法と呼吸器感染症の迅速な治療により、分泌物のクリアランスを改善し、呼吸器感染症を軽減することを目的としている。噴霧状のＤＮａｓｅ及び他の粘液溶解剤の役割はあまり明白ではない。
【００２４】
[0024]  気道内の病原体を原因とする気道感染症は、種類を問わず、上記の疾患に伴って発生する可能性があり、通常は抗生物質で治療可能である。残念ながら、本分野の薬物開発は衰退しており、現在可能な治療法は限られている。一つの問題は、患者に見られる多種多様な病原体を治療できる唯一の薬剤が存在しないことである。唾液検査を行って常在性病原体を定めることができるが、この場合、他の方法や採取様式に影響を及ぼすサンプル汚染を避けるため、特別な技術を用いた気管支鏡検査により標本を得る必要がある。もう一つの問題は、病原体がこれらの治療法に耐性を発達させているので、現在利用可能な薬剤が必ずしも効果的ではないということである。
【００２５】
Ｂ．介入手順
[0025]  ごく最近、いくつかのグループがＣＯＰＤ用の介入手順を開発した。外科的肺用量減少術（ＬＶＲ）の治療法としての有用性は既に立証されているが、患者のほとんどが脆弱であるため、罹患率と死亡率が非常に高くなってしまう。気管支鏡下肺用量減少術（ＢＬＶＲ）には、一方向弁、コイル、蒸気焼灼術の活用、あるいは生体組織接合剤又は高分子系組織接着剤を目標葉に送達することによって達成され得る。ＬＶＲ／ＢＬＶＲの生理学的目標は肺気腫であり、患者の症状のうち、特に過膨張の解消を目的とする。一部の研究によると、ＢＬＶＲは肺機能や生活の質を改善できることが実証されている。減容療法は、肺胞疾患ではなく気道疾患である慢性気管支炎の患者には効果を持たない。
【００２６】
[0026]  別の新規の療法は肺神経支配除去であり、言わば、気道を巡る副交感神経を除去し、理論的には反応性気道平滑筋を無力化して慢性気管支拡張を触発する方法である。ＬＡＢＡやＬＡＭＡのような気管支拡張剤と類似の効果をもたらすが、投薬に通常伴うばらつきのない長期的な効果を提供することができる。この様式を用いた近位治療のみであるため、効果は上気道に限られるが、呼吸器において抵抗が高いほど、気道の位置は低くなる。
【００２７】
[0027]  気道疾患の治療法として、様々な熱焼灼術も記載されているが、これらはすべて、焼灼の制御及び／又は特定の細胞型の目標化に関わる問題や課題を有する。スプレー凍結療法は、表在性気道細胞を切除して気管支壁に再生効果を生じさせるために、液体窒素を気管支壁に直接噴霧する療法である。オペレータ（例えば、医師）は、通常、壁に「スプレー塗装」を施すので、適用範囲、線量及び／又は治療の深度は、適切なコントローラがない限り、オペレータに左右される傾向にある。また、窒素が直接噴霧されていないスキップ領域では、治療が不完全になる可能性が高い。さらに、正確な深度制御に欠けているため、特に気道壁の壁厚が変化する可能性があり、粘膜固有層や軟骨などの治療目標ではない組織に意図せず損傷を与える可能性がある。高周波及びマイクロ波焼灼技術についても記載されているが、この場合、エネルギは気道壁の様々な場所に送達され、罹患組織を切除する。制御されていない熱伝導、エネルギ送達を制御する実際の組織温度を測定できないこと、重複治療のリスク及び気管支の可変壁厚のために、治療目標ではない組織に意図せず損傷を与える可能性がある。加えて、エネルギを多様に応用するため、カテーテルの再位置決めが必要となり、治療が不完全になってしまう可能性さえある。これらの熱焼灼術はすべて、気道壁の様々な層を非選択的に焼灼するため、上皮ではなく、非目標組織に対して望ましくない焼灼を施すことが多い。上皮の治療目標ではない組織が損傷を受けると、炎症カスケードが生じて炎症を誘発し、増悪やリモデリングをもたらし得る。その結果、気道内腔はさらに縮小される。従って、炎症反応やリモデリングの程度を制限しながら、生理学的疾患に適合する特定の深度及び構造を対象とする介入処置とその制御に対する継続的な改善が必要とされている。
【００２８】
[0028]  Ａｓｔｈｍａｔｘは以前、気管支熱形成術を行うラジオ波焼灼療法システムを開発している。オペレータは、気道にカテーテルを入れて電極を作動させ、気道組織を加熱して平滑筋に熱焼灼を施す。処置中に発生する熱による急性炎症のために、多くの患者は急性増悪に苦しむことになる。ＡＩＲ２臨床試験において、「喘息ＱＯＬ質問票」を適用した結果、偽群と比べ、患者は１２ヶ月目に臨床的に有意な改善を示さなかった。しかしながら、治療群は増悪が少なく、救急救命室を訪れる頻度も減少した。この手順はＦＤＡの承認を受けているが、副作用もあり、保険会社に「治験中の処置」として指定されているので、まだ一般的に使用されていない。
【００２９】
[0029]  それ故、制御が容易であり、病態生理学的異常に適合し、広い表面積を適切な深度で治療することができ、炎症反応やリモデリングの程度を限定できる介入処置に対するニーズは、まだ充足されていない。本発明はこれらの目的の少なくとも一部を満たすためのものである。
【発明の概要】
【００３０】
[0030]  本明細書に記載されているのは、肺組織の治療又は操作、及び／又はＣＯＰＤ（例えば、慢性気管支炎、肺気腫）、喘息、間質性肺線維症、嚢胞性線維症、気管支拡張症、原発性線毛機能不全症候群（ＰＣＤ）、急性気管支炎などに関わる肺疾患又は肺障害、及び／又はその他の肺疾患又は肺障害の治療に用いられる装置、システム及び方法である。これらの実施形態のいずれかの特徴の１つ以上を、１つ以上の他の実施形態における特徴の１つ以上と組み合わせ、請求の範囲の属する新規の実施形態を構成してもよい。肺細胞の例としては、特に限定はないが、上皮（杯細胞、多列線毛円柱上皮細胞、基底細胞）、粘膜固有層、粘膜下組織、粘膜下腺、基底膜、平滑筋、軟骨、神経、組織の近く又は内部に存在する病原体、あるいはこれらの組み合わせが挙げられる。
【００３１】
[0031]  本明細書に開示される方法、装置、及びシステムは、肺組織改変システム（例えば、エネルギ送達カテーテルシステム）を用いて、一般に高電圧パルスにより特徴付けられるエネルギを目標組織に送達し、肺組織を治療するものである。いくつかの実施形態において、エネルギ送達が、臨床的に有意な炎症性治癒反応を一切起こさず目標組織を除去し、他の実施形態において、ある程度の炎症性治癒反応は許容の範疇である。さらに、処置から数日以内に、新規の健康な目標組織が再生されることになる。他の実施形態において、エネルギ送達により、他の気道構造に実質的な影響や損傷を与えず、気道に存在する病原体を破壊などにより除去する。
【００３２】
[0032]  第１の態様において、患者の肺通路における粘液の過剰分泌を低減させるシステムを提供し、システムは、ａ）遠位端の近くに位置する少なくとも１つの電極を含み、遠位端は患者の肺通路内に位置決めされ、少なくとも１つの電極が非熱エネルギを肺通路の気道壁に伝達できるように構成された、カテーテルと、ｂ）少なくとも１つの電極と電気通信を行い、気道壁の粘液の過剰分泌に関連する特定の細胞に選択的な治療を施して気道壁の粘液の過剰分泌を低減させる、気道壁に伝達可能な非熱エネルギの電気信号を供給するように構成された、少なくとも１つのエネルギ送達アルゴリズムを有するジェネレータとを含む。
【００３３】
[0033]  いくつかの実施形態において、選択的な治療は、気道壁から特定の細胞を選択的に除去することを含む。いくつかの実施形態において、除去は、細胞剥離を含む。例えば、細胞剥離は、誘電泳動により行われてもよい。いくつかの実施形態において、除去は、細胞死を含む。例えば、細胞死は、電気穿孔法により行われてもよい。あるいは、他のメカニズムにより行われてもよい。同様に、除去は、誘電泳動と電気穿孔法、あるいは他のメカニズムとの組み合わせを含んでもよい。
【００３４】
[0034]  いくつかの実施形態において、特定の細胞は、基底細胞ではなく上皮細胞を含む。例えば、上皮細胞は、異常又は過形成杯細胞を含んでもよい。あるいは、上皮細胞は、異常多列線毛円柱上皮細胞を含んでもよい。
【００３５】
[0035]  いくつかの実施形態において、      特定の細胞は基底膜の細胞を含み、選択的な治療は、基底膜の細胞を修飾し、基底膜の透過性を改変することを含む。いくつかの実施形態において、特定の細胞は、粘膜下腺を含み、選択的な治療は、粘膜下腺の細胞死を引き起こすことを含む。いくつかの実施形態において、特定の細胞は、病原体を含み、選択的な治療は、病原体の細胞死を引き起こすことを含む。いくつかの実施形態において、選択的な治療は、特定の細胞を選択的に修飾して粘液生産を変化させることを含む。
【００３６】
[0036]  いくつかの実施形態において、電気信号は少なくとも１つのエネルギパケットを含む波形を有し、各エネルギパケットは一連のパルスを含む。一例では、各パルスは約５００Ｖ〜１０ｋＶである。別の例では、各パルスは約５００〜４０００Ｖである。
【００３７】
[0037]  いくつかの実施形態において、少なくとも１つのエネルギパケットは、約５００〜８００ｋＨｚの範囲の周波数を有する。またいくつかの実施形態において、各パルスは二相性である。
【００３８】
[0038]  いくつかの実施形態において、システムは、カテーテルに沿って配置され、気道壁と接触して気道壁内外の温度を監視する温度センサをさらに含む。いくつかの実施形態において、ジェネレータは、温度センサと通信を行うプロセッサを含み、プロセッサは、温度が熱組織効果の温度閾値以上に上昇した場合、少なくとも１つのエネルギ送達アルゴリズムを修正する。
【００３９】
[0039]  いくつかの実施形態において、システムは、カテーテルに沿って配置され、気道壁と接触して気道壁におけるインピーダンスを監視するインピーダンスセンサをさらに含み、インピーダンスセンサは、インピーダンスに基づいて気道壁の状態を示すインジケータと通信を行う。一例では、気道壁の状態は、特定の細胞に対する治療の完了を含む。一例では、気道壁の状態は、特定の細胞に対する治療の効果の欠如を含む。
【００４０】
[0040]  いくつかの実施形態において、ジェネレータは、患者の心臓信号を取得する機構と、心臓信号に基づいて肺通路の気道壁に非熱エネルギを伝達できる安全期間を特定するように構成されたプロセッサと、をさらに含む。いくつかの実施形態において、安全期間は、心臓信号のＳＴ部分で生じる。他の実施形態において、安全期間は、心臓信号のＱＴ間隔中に生じる。
【００４１】
[0041]  いくつかの実施形態において、システムは、気道壁のパラメータを感知するように構成された少なくとも１つのセンサをさらに含み、ジェネレータは、少なくとも１つのセンサから得たデータに基づいて少なくとも１つのエネルギ送達アルゴリズムを修正し、フィードバックループを作成するように構成されたプロセッサをさらに含む。
【００４２】
[0042]  いくつかの実施形態において、カテーテルは、肺通路の気道壁に接触する拡張型突起を少なくとも２つ有する。いくつかの実施形態において、少なくとも２つの突起は、拡張型籠を形成する複数のワイヤを有し、ワイヤの少なくとも１つは、少なくとも１つの電極として機能する。いくつかの実施形態において、カテーテルはシャフトを含み、シャフトは、拡張型籠を通過しない。いくつかの実施形態において、複数のワイヤのうちの１つの少なくとも一部が、複数のワイヤにおける隣接のワイヤから絶縁されている。いくつかの実施形態において、複数のワイヤのうちの１つの少なくとも一部が、ワイヤの露出部を残して絶縁され、肺通路の気道壁に沿う特定の位置にエネルギを集中させる活性領域を作り出す。いくつかの実施形態において、複数のワイヤは、同時に通電可能である。他の実施形態において、複数のワイヤの少なくとも一部は、個別に通電可能である。
【００４３】
[0043]  いくつかの実施形態において、少なくとも１つの電極は、少なくとも２つの突起の少なくとも１つに取り付けられている別途の電極を含む。本実施形態において、別途の電極はコイル形状であってもよい。
【００４４】
[0044]  いくつかの実施形態において、カテーテルはシャフトを含み、少なくとも２つの突起はシャフトに取り付けられた端部と、自由端とを有する複数のワイヤを備え、半拡張型籠を形成する。
【００４５】
[0045]  いくつかの実施形態において、システムは、少なくとも２つの突起を折り畳むようにカテーテル上を前進可能なシースをさらに含む。
【００４６】
[0046]  本発明の第２の態様において、異常に機能している患者の肺通路において正常な健康組織を再生するシステムを提供し、システムは、ａ）遠位端の近くに配置される少なくとも１つの電極を含み、遠位端は患者の肺通路内に位置決めされ、少なくとも１つの電極が非熱エネルギを肺通路の気道壁に伝達できるように構成された、カテーテルと、ｂ）少なくとも１つの電極と電気通信を行い、気道壁内のコラーゲンマトリックス構造を維持しながら、気道壁から異常機能細胞を除去して正常な健康組織で気道壁を再生させる、気道壁に伝達可能な非熱エネルギの電気信号を供給するように構成された少なくとも１つのエネルギ送達アルゴリズムを有するジェネレータとを含む。
【００４７】
[0047]  いくつかの実施形態において、除去は、細胞剥離を含む。例えば、細胞剥離は、誘電泳動により行われてもよい。いくつかの実施形態において、除去は、細胞死を含む。例えば、細胞死は、電気穿孔法により行われてもよい。あるいは、他のメカニズムにより行われてもよい。同様に、除去は、誘電泳動と電気穿孔法、あるいは他のメカニズムとの組み合わせを含んでもよい。
【００４８】
[0048]  いくつかの実施形態において、異常機能細胞は、基底細胞ではなく上皮細胞を含む。一例では、上皮細胞は、異常又は過形成杯細胞を含む。一例では、上皮細胞は、異常多列線毛円柱上皮細胞を含む。いくつかの実施形態において、異常機能細胞は粘膜下腺を含み、除去は粘膜下腺の細胞死を引き起こすことを含む。
【００４９】
[0049]  いくつかの実施形態において、電気信号は、少なくとも１つのエネルギパケットを含む波形を有し、各エネルギパケットは一連のパルスを含む。一例では、各パルスは、約５００Ｖ〜１０ｋＶである。別の例では、各パルスは、約５００〜４０００Ｖである。いくつかの実施形態において、少なくとも１つのエネルギパケットは、約５００〜８００ｋＨｚの範囲の周波数を有する。いくつかの実施形態において、各パルスは二相性である。
【００５０】
[0050]  いくつかの実施形態において、システムは、カテーテルに沿って配置され、気道壁と接触して気道壁内外の温度を監視する温度センサをさらに含む。いくつかの実施形態において、ジェネレータは、温度センサと通信を行うプロセッサを含み、プロセッサは、温度が熱組織効果の温度閾値以上に上昇した場合、少なくとも１つのエネルギ送達アルゴリズムを修正する。
【００５１】
[0051]  いくつかの実施形態において、システム、カテーテルに沿って配置され、気道壁と接触して気道壁におけるインピーダンスを監視するインピーダンスセンサをさらに含み、インピーダンスセンサは、インピーダンスに基づいて気道壁の状態を示すインジケータと通信を行う。
【００５２】
[0052]  いくつかの実施形態において、気道壁の状態は、異常機能細胞の除去の効果の欠如を含む。
【００５３】
[0053]  いくつかの実施形態において、ジェネレータは、患者の心臓信号を取得する機構と、心臓信号に基づいて肺通路の気道壁に非熱エネルギを伝達できる安全期間を特定するように構成されたプロセッサと、をさらに含む。いくつかの実施形態において、安全期間は、心臓信号のＳＴ部分で生じる。他の実施形態において、安全期間は、心臓信号のＱＴ間隔中に生じる。
【００５４】
[0054]  いくつかの実施形態において、システムは、気道壁のパラメータを感知するように構成された少なくとも１つのセンサをさらに含み、ジェネレータは、少なくとも１つのセンサから得たデータに基づいて少なくとも１つのエネルギ送達アルゴリズムを修正し、フィードバックループを作成するように構成されたプロセッサをさらに含む。
【００５５】
[0055]  いくつかの実施形態において、カテーテルは、肺通路の気道壁に接触する拡張型突起を少なくとも２つ有する。一例では、少なくとも２つの突起は、拡張型籠を形成する複数のワイヤを有し、ワイヤの少なくとも１つは、少なくとも１つの電極として機能する。
【００５６】
[0056]  いくつかの実施形態において、カテーテルはシャフトを含み、シャフトは、拡張型籠を通過しない。
【００５７】
[0057]  いくつかの実施形態において、複数のワイヤのうちの１つの少なくとも一部が、複数のワイヤにおける隣接のワイヤから絶縁されている。いくつかの実施形態において、複数のワイヤのうちの１つの少なくとも一部が、ワイヤの露出部を残して絶縁され、肺通路の気道壁に沿う特定の位置にエネルギを集中させる活性領域を作り出す。いくつかの実施形態において、複数のワイヤは、同時に通電可能である。他の実施形態において、複数のワイヤの少なくとも一部は、個別に通電可能である。
【００５８】
[0058]  いくつかの実施形態において、少なくとも１つの電極は、少なくとも２つの突起の少なくとも１つに取り付けられている別途の電極を含む。この例では、別途の電極はコイル形状であってもよい。
【００５９】
[0059]  いくつかの実施形態において、カテーテルはシャフトを含み、少なくとも２つの突起はシャフトに取り付けられた端部と、自由端とを有する複数のワイヤを備え、半拡張型籠を形成する。
【００６０】
[0060]  いくつかの実施形態において、システムは、少なくとも２つの突起を折り畳むようにカテーテル上を前進可能なシースをさらに含む。
【００６１】
[0061]  本発明の第３の態様において、異常に機能している患者の肺通路において正常な健康組織を再生するシステムを提供し、システムは、ａ）遠位端の近くに配置される少なくとも１つの電極を含み、遠位端は患者の肺通路内に位置決めされ、エネルギ送達体が非熱エネルギを肺通路の気道壁に伝達できるように構成された、カテーテルと、ｂ）少なくとも１つの電極と電気通信を行い、気道壁内のコラーゲンマトリックス構造を維持しながら、気道壁から肺通路の異常機能に関わる細胞を除去して正常な健康組織で気道壁を再生させる、気道壁に伝達可能な非熱エネルギの電気信号を供給するように構成された少なくとも１つのエネルギ送達アルゴリズムを有するジェネレータとを含む。
【００６２】
[0062]  いくつかの実施形態において、除去は、細胞剥離を含む。例えば、電気信号は、誘電泳動により細胞剥離を引き起こしてもよい。いくつかの実施形態において、除去は、細胞死を含む。
【００６３】
[0063]  いくつかの実施形態において、細胞は、基底細胞ではなく上皮細胞を含む。例えば、上皮細胞は、異常又は過形成杯細胞を含んでもよい。あるいは、上皮細胞は、異常多列線毛円柱上皮細胞を含んでもよい。
【００６４】
[0064]  いくつかの実施形態において、細胞は、リンパ球、マクロファージ、好酸球、線維芽細胞、形質細胞、肥満細胞、白血球、あるいはこれらの組み合わせを含む。いくつかの実施形態において、細胞は粘膜下腺を含み、除去は粘膜下腺の細胞死を引き起こすことを含む。他の実施形態において、細胞は、病原体を含む。
【００６５】
[0065]  いくつかの実施形態において、電気信号は、少なくとも１つのエネルギパケットを含む波形を有し、各エネルギパケットは一連のパルスを含む。例えば各パルスは、約５００Ｖ〜１０ｋＶであってもよい。あるいは、各パルスは、約５００〜４０００Ｖであってもよい。いくつかの実施形態において、少なくとも１つのエネルギパケットは、約５００〜８００ｋＨｚの範囲の周波数を有する。いくつかの実施形態において、各パルスは二相性である。
【００６６】
[0066]  いくつかの実施形態において、システムは、カテーテルに沿って配置され、気道壁と接触して気道壁内外の温度を監視する温度センサをさらに含む。
【００６７】
[0067]  いくつかの実施形態において、ジェネレータは、温度センサと通信を行うプロセッサを含み、プロセッサは、温度が熱組織効果の温度閾値以上に上昇した場合、少なくとも１つのエネルギ送達アルゴリズムを修正する。
【００６８】
[0068]  いくつかの実施形態において、システムは、カテーテルに沿って配置され、気道壁と接触して気道壁におけるインピーダンスを監視するインピーダンスセンサをさらに含み、インピーダンスセンサは、インピーダンスに基づいて気道壁の状態を示すインジケータと通信を行う。
【００６９】
[0069]  いくつかの実施形態において、気道壁の状態は、細胞の除去の効果の欠如を含む。
【００７０】
[0070]  いくつかの実施形態において、ジェネレータは、患者の心臓信号を取得する機構と、心臓信号に基づいて肺通路の気道壁に非熱エネルギを伝達できる安全期間を特定するように構成されたプロセッサと、をさらに含む。いくつかの実施形態において、安全期間は、心臓信号のＳＴ部分で生じる。いくつかの実施形態において、安全期間は、心臓信号のＱＴ間隔中に生じる。
【００７１】
[0071]  いくつかの実施形態において、システムは、気道壁のパラメータを感知するように構成された少なくとも１つのセンサをさらに含み、ジェネレータは、少なくとも１つのセンサから得たデータに基づいて少なくとも１つのエネルギ送達アルゴリズムを修正し、フィードバックループを作成するように構成されたプロセッサをさらに含む。
【００７２】
[0072]  いくつかの実施形態において、カテーテルは、肺通路の気道壁に接触する拡張型突起を少なくとも２つ有する。いくつかの実施形態において、少なくとも２つの突起は、拡張型籠を形成する複数のワイヤを有し、ワイヤの少なくとも１つは、少なくとも１つの電極として機能する。
【００７３】
[0073]  いくつかの実施形態において、カテーテルはシャフトを含み、シャフトは、拡張型籠を通過しない。
【００７４】
[0074]  いくつかの実施形態において、複数のワイヤのうちの１つの少なくとも一部が、複数のワイヤにおける隣接のワイヤから絶縁されている。いくつかの実施形態において、複数のワイヤのうちの１つの少なくとも一部が、ワイヤの露出部を残して絶縁され、肺通路の気道壁に沿う特定の位置にエネルギを集中させる活性領域を作り出す。
【００７５】
[0075]  いくつかの実施形態において、複数のワイヤは、同時に通電可能である。他の実施形態において、複数のワイヤの少なくとも一部は、個別に通電可能である。
【００７６】
[0076]  いくつかの実施形態において、少なくとも１つの電極は、少なくとも２つの突起の少なくとも１つに取り付けられている別途の電極を含む。本実施形態において、別途の電極はコイル形状であってもよい。
【００７７】
[0077]  いくつかの実施形態において、カテーテルはシャフトを含み、少なくとも２つの突起はシャフトに取り付けられた端部と、自由端とを有する複数のワイヤを備え、半拡張型籠を形成する。
【００７８】
[0078]  いくつかの実施形態において、システムは、少なくとも２つの突起を折り畳むようにカテーテル上を前進可能なシースをさらに含む。
【００７９】
[0079]  本発明の第４の態様において、身体通路から上皮細胞を除去するシステムを提供し、システムは、ａ）遠位端の近くに配置される少なくとも１つの電極を含み、遠位端は身体通路内に位置決めされ、少なくとも１つの電極が非熱エネルギを身体通路の壁に伝達できるように構成された、カテーテルと、ｂ）少なくとも１つの電極と電気通信を行い、誘電泳動によって壁から上皮細胞を剥離して正常な健康組織で壁を再生させる、気道壁に伝達可能な非熱エネルギの電気信号を供給するように構成された少なくとも１つのエネルギ送達アルゴリズムを有するジェネレータとを含む。
【００８０】
[0080]  いくつかの実施形態において、上皮細胞は、杯細胞を含む。他の実施形態において、上皮細胞は、多列線毛円柱上皮細胞を含む。また他の実施形態において、上皮細胞は、基底細胞ではなく、杯細胞と多列線毛円柱上皮細胞とを含む。
【００８１】
[0081]  いくつかの実施形態において、身体通路は、肺通路を含む。例えば、身体通路は、血管、リンパ管、腎臓細管、食道、胃、小腸、大腸、大腸、虫垂、直腸、膀胱、尿管、咽頭、口腔、膣、尿道、又は腺管であってもよい。
【００８２】
[0082]  いくつかの実施形態において、電気信号は、少なくとも１つのエネルギパケットを含む波形を有し、各エネルギパケットは一連のパルスを含む。いくつかの実施形態において、各パルスは、約５００Ｖ〜１０ｋＶである。他の実施形態において、各パルスは、約５００〜４０００Ｖである。いくつかの実施形態において、少なくとも１つのエネルギパケットは、約５００〜８００ｋＨｚの範囲の周波数を有する。いくつかの実施形態において、各パルスは二相性である。
【００８３】
[0083]  いくつかの実施形態において、システムは、カテーテルに沿って配置され、気道壁と接触して気道壁内外の温度を監視する温度センサをさらに含む。いくつかの実施形態において、ジェネレータは、温度センサと通信を行うプロセッサを含み、プロセッサは、温度が熱組織効果の温度閾値以上に上昇した場合、少なくとも１つのエネルギ送達アルゴリズムを修正する。
【００８４】
[0084]  いくつかの実施形態において、システムは、カテーテルに沿って配置され、気道壁と接触して気道壁におけるインピーダンスを監視するインピーダンスセンサをさらに含み、インピーダンスセンサは、インピーダンスに基づいて気道壁の状態を示すインジケータと通信を行う。いくつかの実施形態において、気道壁の状態は、細胞剥離の効果の欠如を含む。
【００８５】
[0085]  いくつかの実施形態において、ジェネレータは、患者の心臓信号を取得する機構と、心臓信号に基づいて肺通路の気道壁に非熱エネルギを伝達できる安全期間を特定するように構成されたプロセッサと、をさらに含む。いくつかの実施形態において、安全期間は、心臓信号のＳＴ部分で生じる。いくつかの実施形態において、安全期間は、心臓信号のＱＴ間隔中に生じる。
【００８６】
[0086]  いくつかの実施形態において、システムは、気道壁のパラメータを感知するように構成された少なくとも１つのセンサをさらに含み、ジェネレータは、少なくとも１つのセンサから得たデータに基づいて少なくとも１つのエネルギ送達アルゴリズムを修正し、フィードバックループを作成するように構成されたプロセッサをさらに含む。
【００８７】
[0087]  いくつかの実施形態において、カテーテルは、肺通路の気道壁に接触する拡張型突起を少なくとも２つ有する。いくつかの実施形態において、少なくとも２つの突起は、拡張型籠を形成する複数のワイヤを有し、ワイヤの少なくとも１つは、少なくとも１つの電極として機能する。いくつかの実施形態において、カテーテルはシャフトを含み、シャフトは、拡張型籠を通過しない。いくつかの実施形態において、複数のワイヤのうちの１つの少なくとも一部が、複数のワイヤにおける隣接のワイヤから絶縁されている。いくつかの実施形態において、複数のワイヤのうちの１つの少なくとも一部が、ワイヤの露出部を残して絶縁され、肺通路の気道壁に沿う特定の位置にエネルギを集中させる活性領域を作り出す。
【００８８】
[0088]  いくつかの実施形態において、複数のワイヤは、同時に通電可能である。いくつかの実施形態において、複数のワイヤの少なくとも一部は、個別に通電可能である。
【００８９】
[0089]  いくつかの実施形態において、少なくとも１つの電極は、少なくとも２つの突起の少なくとも１つに取り付けられている別途の電極を含む。この例では、別途の電極はコイル形状であってもよい。
【００９０】
[0090]  いくつかの実施形態において、カテーテルはシャフトを含み、少なくとも２つの突起はシャフトに取り付けられた端部と、自由端とを有する複数のワイヤを備え、半拡張型籠を形成する。
【００９１】
[0091]  いくつかの実施形態において、システムは、少なくとも２つの突起を折り畳むようにカテーテル上を前進可能なシースをさらに含む。
【００９２】
[0092]  本発明の第５の態様において、患者の肺通路を治療するシステムを提供し、システムは、ａ）肺通路内に位置決めされるように構成されたカテーテルにエネルギを供給して、エネルギが肺通路に伝達できるように構成されたジェネレータを含み、ジェネレータは、少なくとも１つのエネルギ送達アルゴリズムとプロセッサとを有し、プロセッサは、少なくとも１つのエネルギ送達アルゴリズムに応じてエネルギの電気信号を供給し、各電気信号は、少なくとも１つのエネルギパケットを含む波形を有し、各エネルギパケットは一連のパルスを含み、エネルギは、肺通路における粘液の過剰分泌に関連する特定の細胞に選択的な治療を施して粘液の過剰分泌を低減させる。
【００９３】
[0093]  いくつかの実施形態において、各パルスは、約５００〜４０００Ｖである。
【００９４】
[0094]  いくつかの実施形態において、エネルギは単極式で送達され、各パルスは約２０００〜３５００ボルトである。他の実施形態において、エネルギは双極式で送達され、各パルスは約５００〜１９００ボルトである。
【００９５】
[0095]  いくつかの実施形態において、特定の細胞は、基底細胞ではなく上皮細胞を含む。
【００９６】
[0096]  いくつかの実施形態において、パルスの電圧が上昇すると、エネルギが肺通路の壁内のより深くに位置する特定の細胞に選択的に治療を施すようになる。
【００９７】
[0097]  いくつかの実施形態において、少なくとも１つのエネルギパケットは、約５００〜８００ｋＨｚの範囲の周波数を有する。
【００９８】
[0098]  いくつかの実施形態において、エネルギは、肺通路内の軟骨層を治療するための閾値未満である。いくつかの実施形態において、エネルギは、熱焼灼を引き起こす閾値未満である。
【００９９】
[0099]  いくつかの実施形態において、システムは、肺通路の壁と接触し、壁内外の温度を監視するように構成された温度センサをさらに含む、
【０１００】
[00100]  いくつかの実施形態において、プロセッサは、温度センサと通信を行い、さらにプロセッサは、温度が熱組織効果の温度閾値以上に上昇した場合、少なくとも１つのエネルギ送達アルゴリズムを修正する。いくつかの実施形態において、各パルスは二相性である。
【０１０１】
[00101]  いくつかの実施形態において、治療は、特定の細胞を除去することを含む。
【０１０２】
[00102]  いくつかの実施形態において、特定の細胞は基底膜の細胞を含み、選択的な治療は、基底膜の細胞を修飾し、基底膜の透過性を改変することを含む。
【０１０３】
[00103]  いくつかの実施形態において、特定の細胞は、粘膜下腺を含み、選択的な治療は、粘膜下腺の細胞死を引き起こすことを含む。いくつかの実施形態において、特定の細胞は、病原体を含み、選択的な治療は、病原体の細胞死を引き起こすことを含む。
【０１０４】
[00104]  いくつかの実施形態において、システムは、患者の心臓信号を取得するように構成された心臓モニタをさらに含み、プロセッサは、心臓信号と同期してエネルギの電気信号を供給する。
【０１０５】
[00105]  いくつかの実施形態において、プロセッサは、心臓信号のＳＴ部分でエネルギの電気信号を供給する。他の実施形態において、プロセッサは、心臓信号のＱＴ間隔中にエネルギの電気信号を供給する。
【０１０６】
[00106]  いくつかの実施形態において、システムは、肺通路の壁と接触し、壁におけるインピーダンスを監視するように構成されたインピーダンスセンサをさらに含み、インピーダンスセンサは、インピーダンスに基づいて壁の状態を示すインジケータと通信を行う。いくつかの実施形態において、気道壁の状態は、特定の細胞に対する治療の完了を含む。いくつかの実施形態において、気道壁の状態は、特定の細胞に対する治療の効果の欠如を含む。
【０１０７】
[00107]  いくつかの実施形態において、システムは、肺通路の壁のパラメータを感知するように構成された少なくとも１つのセンサをさらに含み、プロセッサは、少なくとも１つのセンサから得たデータに基づいて少なくとも１つのエネルギ送達アルゴリズムを修正し、フィードバックループを作成する。
【０１０８】
[00108]  本発明の第６の様態において、患者の肺通路を治療するシステムを提供し、システムは、ａ）肺通路内に位置決めされるように構成されたカテーテルにエネルギを供給して、エネルギを肺通路に伝達できるように構成された一方、少なくとも１つのエネルギ送達アルゴリズムとプロセッサとを有し、プロセッサは、少なくとも１つのエネルギ送達アルゴリズムに応じてエネルギの電気信号を供給し、エネルギは、肺通路における粘液の過剰分泌に関連する特定の細胞に選択的な治療を施して粘液の過剰分泌を低減させる、ジェネレータと、ｂ）プロセッサと通信を行う少なくとも１つのセンサとを有し、センサは、肺通路の状態を感知し、プロセッサは、状態に基づいて少なくとも１つのエネルギ送達アルゴリズムの少なくとも１つのパラメータを修正する。
【０１０９】
[00109]  いくつかの実施形態において、少なくとも１つのパラメータは、電圧、周波数、パケット期間、サイクル数、エネルギパケット数、休止期間、又は無駄時間を含む。
【０１１０】
[00110]  いくつかの実施形態において、少なくとも１つのセンサは、温度センサを含み、状態は、肺通路の壁の一部における温度を含む。
【０１１１】
[00111]  いくつかの実施形態において、少なくとも１つのパラメータは電圧を含み、プロセッサは、温度が温度閾値に達すると電圧を下げる。
【０１１２】
[00112]  いくつかの実施形態において、プロセッサは、温度が温度閾値に達すると、エネルギの電気信号の供給を中止する。
【０１１３】
[00113]  いくつかの実施形態において、システムは、カテーテルをさらに含み、カテーテルは、肺通路の壁の近くに、あるいは壁に対して位置決め可能な少なくとも１つの電極を有して、エネルギを肺通路に伝達し、少なくとも１つのセンサは、温度センサを含み、状態は、少なくとも１つの電極の温度を含む。
【０１１４】
[00114]  いくつかの実施形態において、少なくとも１つのセンサがインピーダンスセンサを含み、状態は、肺通路の壁の一部のインピーダンスを含む。いくつかの実施形態において、プロセッサは、インピーダンスをインピーダンス閾値と比較し、インピーダンスがインピーダンス閾値を超えている場合、ジェネレータにより警報を出す。
【０１１５】
[00115]  いくつかの実施形態において、システムは、カテーテルをさらに含み、カテーテルは、肺通路の壁の近くに、あるいは壁に対して位置決め可能な少なくとも１つの電極を有して、エネルギを肺通路に伝達し、警報は、少なくとも１つの電極の少なくとも１つが適切に位置決めされていないことを示す指示事項を含む。
【０１１６】
[00116]  いくつかの実施形態において、少なくとも１つのパラメータは電圧を含み、プロセッサは、インピーダンスがインピーダンス閾値に達すると、電圧を下げる。
【０１１７】
[00117]  いくつかの実施形態において、プロセッサは、インピーダンスがインピーダンス閾値に達すると、エネルギの電気信号の供給を中止する。いくつかの実施形態において、少なくとも１つのセンサは、温度センサ、インピーダンスセンサ、表面電導センサ、膜電位センサ、静電容量センサ、力センサ、又は圧力センサを含む。
【０１１８】
[00118]  いくつかの実施形態において、システムは、患者の心臓信号を取得するように構成された心臓モニタをさらに含み、プロセッサは、心臓信号と同期してエネルギの電気信号を供給する。いくつかの実施形態において、肺通路の状態は、特定の細胞に対する治療の完了を含む。
いくつかの実施形態において、肺通路の状態は、特定の細胞に対する治療の効果の欠如を含む。
【０１１９】
[00119]  本発明の第７の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも２つのエネルギ送達アルゴリズムとプロセッサとを有し、プロセッサは、少なくとも２つのエネルギ送達アルゴリズムの一方を選択し、少なくとも２つのエネルギ送達アルゴリズムの一方に応じてエネルギの電気信号を供給し、エネルギは、肺通路における粘液の過剰分泌に関連する特定の細胞に選択的な治療を施して粘液の過剰分泌を低減させる、ジェネレータと、ｂ）プロセッサと通信を行う少なくとも１つのセンサとを有し、センサは、肺通路の状態を感知し、プロセッサは、少なくとも２つのエネルギ送達アルゴリズムの他方を選択し、少なくとも２つのエネルギ送達アルゴリズムの他方に応じてエネルギの電気信号を供給する。
【０１２０】
[00120]  いくつかの実施形態において、少なくとも１つのセンサは、温度センサを含み、状態は、肺通路の壁の一部における温度を含む。
【０１２１】
[00121]  いくつかの実施形態において、システムは、カテーテルをさらに含み、カテーテルは、肺通路の壁の近くに、あるいは壁に対して位置決め可能な少なくとも１つの電極を有して、エネルギを肺通路に伝達し、少なくとも１つのセンサは、温度センサを含み、状態は、少なくとも１つの電極の温度を含む。
【０１２２】
[00122]  いくつかの実施形態において、少なくとも１つのセンサがインピーダンスセンサを含み、状態は、肺通路の壁の一部のインピーダンスを含む。いくつかの実施形態において、プロセッサは、インピーダンスをインピーダンス閾値と比較し、インピーダンスがインピーダンス閾値を超えている場合、ジェネレータにより警報を出す。いくつかの実施形態において、少なくとも１つのパラメータは電圧を含み、プロセッサは、インピーダンスがインピーダンス閾値に達すると、電圧を下げる。
【０１２３】
[00123]  いくつかの実施形態において、少なくとも１つのセンサは、温度センサ、インピーダンスセンサ、表面電導センサ、膜電位センサ、静電容量センサ、力センサ、又は圧力センサを含む。
【０１２４】
[00124]  いくつかの実施形態において、システムは、患者の心臓信号を取得するように構成された心臓モニタをさらに含み、プロセッサは、心臓信号と同期してエネルギの電気信号を供給する。いくつかの実施形態において、肺通路の状態は、特定の細胞に対する治療の完了を含む。いくつかの実施形態において、肺通路の状態は、特定の細胞に対する治療の効果の欠如を含む。
【０１２５】
[00125]  本発明の第８の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも１つのエネルギ送達アルゴリズムとプロセッサとを有し、プロセッサは、少なくとも１つのエネルギ送達アルゴリズムに応じてエネルギの電気信号を供給し、エネルギは、気道壁から異常機能細胞を除去する、ジェネレータと、ｂ）プロセッサと通信を行う少なくとも１つのセンサとを有し、センサは、肺通路の状態を感知し、プロセッサは、状態に基づいて少なくとも１つのエネルギ送達アルゴリズムの少なくとも１つのパラメータを修正する。
【０１２６】
[00126]  本発明の第９の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも１つのエネルギ送達アルゴリズムとプロセッサとを有し、プロセッサは、少なくとも１つのエネルギ送達アルゴリズムに応じてエネルギの電気信号を供給し、エネルギは、気道壁内のコラーゲンマトリックス構造を維持しながら、気道壁から肺通路の異常機能に関わる細胞を除去して正常な健康組織で気道壁を再生させる、ジェネレータと、ｂ）プロセッサと通信を行う少なくとも１つのセンサとを有し、
センサは、肺通路の状態を感知し、プロセッサは、状態に基づいて少なくとも１つのエネルギ送達アルゴリズムの少なくとも１つのパラメータを修正する。
【０１２７】
[00127]  本発明の第１０の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも１つのエネルギ送達アルゴリズムとプロセッサとを有し、プロセッサは、少なくとも１つのエネルギ送達アルゴリズムに応じてエネルギの電気信号を供給し、エネルギは、誘電泳動によって壁から上皮細胞を剥離して正常な健康組織で壁を再生させる、ジェネレータと、ｂ）プロセッサと通信を行う少なくとも１つのセンサとを有し、センサは、肺通路の状態を感知し、プロセッサは、状態に基づいて少なくとも１つのエネルギ送達アルゴリズムの少なくとも１つのパラメータを修正する。
【０１２８】
[00128]  本発明の第１１の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも２つのエネルギ送達アルゴリズムとプロセッサとを有し、プロセッサは、少なくとも２つのエネルギ送達アルゴリズムの一方を選択し、少なくとも２つのエネルギ送達アルゴリズムの一方に応じてエネルギの電気信号を供給し、エネルギは、気道壁から異常機能細胞を除去する、ジェネレータと、ｂ）プロセッサと通信を行う少なくとも１つのセンサとを有し、センサは、肺通路の状態を感知し、プロセッサは、少なくとも２つのエネルギ送達アルゴリズムの他方を選択し、少なくとも２つのエネルギ送達アルゴリズムの他方に応じてエネルギの電気信号を供給する。
【０１２９】
[00129]  本発明の第１２の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも２つのエネルギ送達アルゴリズムとプロセッサとを有し、プロセッサは、少なくとも２つのエネルギ送達アルゴリズムの一方を選択し、少なくとも２つのエネルギ送達アルゴリズムの一方に応じてエネルギの電気信号を供給し、エネルギは、気道壁内のコラーゲンマトリックス構造を維持しながら、気道壁から肺通路の異常機能に関わる細胞を除去して正常な健康組織で気道壁を再生させる、ジェネレータと、ｂ）プロセッサと通信を行う少なくとも１つのセンサとを有し、センサは、肺通路の状態を感知し、プロセッサは、少なくとも２つのエネルギ送達アルゴリズムの他方を選択し、少なくとも２つのエネルギ送達アルゴリズムの他方に応じてエネルギの電気信号を供給する。
【０１３０】
[00130]  本発明の第１３の態様において、患者の肺通路を治療するシステムを提供し、システムは、ａ）肺通路内に位置決めされるように構成されたカテーテルにエネルギを供給して、エネルギを肺通路に伝達できるように構成された一方、少なくとも２つのエネルギ送達アルゴリズムとプロセッサとを有し、プロセッサは、少なくとも２つのエネルギ送達アルゴリズムの一方を選択し、少なくとも２つのエネルギ送達アルゴリズムの一方に応じてエネルギの電気信号を供給し、エネルギは、誘電泳動によって壁から上皮細胞を剥離して正常な健康組織で壁を再生させる、ジェネレータと、ｂ）プロセッサと通信を行う少なくとも１つのセンサとを有し、センサは、肺通路の状態を感知し、プロセッサは、少なくとも２つのエネルギ送達アルゴリズムの他方を選択し、少なくとも２つのエネルギ送達アルゴリズムの他方に応じてエネルギの電気信号を供給する。
【０１３１】
[00131]  本発明の第１４の態様において、患者の肺通路を治療するシステムを提供し、システムは、ａ）肺通路の壁の近くに、あるいは壁に対して位置決め可能な少なくとも１つの電極を有して、エネルギを肺通路に伝達する、カテーテルと、ｂ）カテーテルに沿って配置され、肺通路の状態を感知して状態値を生成する少なくとも１つのセンサと、ｃ）センサの値が閾値を超える場合に警報を出すように構成されたプロセッサを有するジェネレータとを含む。
【０１３２】
[00132]  いくつかの実施形態において、少なくとも１つのセンサはインピーダンスセンサを含み、状態値は、肺通路の壁の一部のインピーダンスを含む。
【０１３３】
[00133]  いくつかの実施形態において、警報は、少なくとも１つの電極の少なくとも１つが適切に位置決めされていないことを示す指示事項を含む。他の実施形態において、警報は、少なくとも１つの電極の少なくとも１つが不良であることを示す指示事項を含む。
【０１３４】
[00134]  本発明の第１５の態様において、患者の肺通路を治療するシステムを提供し、システムは、ａ）患者の心臓信号を取得するように構成された心臓モニタと、ｂ）肺通路内に位置決め可能な少なくとも１つの電極に、肺通路に伝達可能なエネルギの電気信号を供給するジェネレータとを有し、ジェネレータは、心臓信号と同期して電気信号を供給する、
【０１３５】
[00135]  いくつかの実施形態において、心臓モニタは、心臓信号における所定の点で心臓同期パルスをジェネレータに送信するように構成され、ジェネレータは、心臓同期パルスの受信から所定の遅延後にエネルギの電気信号を供給する。いくつかの実施形態において、所定の点は、心臓信号のＲ波のピークである。いくつかの実施形態において、所定の遅延は、５０〜１００ミリ秒の範囲内である。
【０１３６】
[00136]  いくつかの実施形態において、ジェネレータはプロセッサを含み、プロセッサは、複数の心臓同期パルスを監視し、連続心臓同期パルス間の時間間隔を算出し、時間間隔が心臓同期パルスの所定数に対して一定ではない場合は、ジェネレータによる電気信号の供給を防ぐ。いくつかの実施形態において、心臓同期パルスの所定数は５である。他の実施形態において、心臓同期パルスの所定数は３である。いくつかの実施形態において、プロセッサは、ジェネレータによる電気信号の供給が既に防がれている場合、心臓同期パルスの所定数を減らす。いくつかの実施形態において、ジェネレータは、心臓信号のＳＴ部分で電気信号を送信するように構成される。いくつかの実施形態において、ジェネレータは、心臓信号のＱＴ間隔中に電気信号を送信するように構成される。いくつかの実施形態において、ジェネレータは、心臓信号のＴ波の間には電気信号を送信しないように構成される。いくつかの実施形態において、ジェネレータは、帰線期間中に電気信号を送信しないように構成される。いくつかの実施形態において、帰線期間は、心臓信号のＲ波ピークの後の１００〜２００ミリ秒である。
【０１３７】
[00137]  いくつかの実施形態において、システムは、少なくとも１つの電極が取り付けられているカテーテルをさらに含む。
【０１３８】
[00138]  いくつかの実施形態において、システムは、肺通路を撮像するように構成された画像診断器をさらに含む。いくつかの実施形態において、画像診断器は、気管支鏡を含む。
【０１３９】
[00139]  本発明の第１６の態様において、患者の肺通路における粘液の過剰分泌を低減させるシステムを提供し、システムは、ａ）遠位端の近くに配置されるエネルギ送達体を含み、エネルギ送達体は肺通路の壁と接触する拡張型突起を少なくとも２つ有し、各突起は少なくとも１つの電極を含む、カテーテルと、ｂ）任意のエネルギ量の非熱エネルギを壁に向かって伝達する少なくとも１つの電極に電気信号を供給するジェネレータとを有し、エネルギ量は、気道壁の粘液の過剰分泌に関連する特定の細胞に選択的な治療を施して気道壁による粘液の過剰分泌を低減させる。
【０１４０】
[00140]  いくつかの実施形態において、少なくとも２つの突起は、拡張型籠を形成する複数のワイヤを有し、ワイヤの少なくとも１つは、少なくとも１つの電極として機能する。
【０１４１】
[00141]  いくつかの実施形態において、カテーテルはシャフトを含み、シャフトは、拡張型籠を通過しない。
【０１４２】
[00142]  いくつかの実施形態において、複数のワイヤのうちの１つの少なくとも一部が、複数のワイヤにおける隣接のワイヤから絶縁されている。いくつかの実施形態において、複数のワイヤのうちの１つの少なくとも一部が、ワイヤの露出部を残して絶縁され、肺通路の気道壁に沿う特定の位置にエネルギ量を集中させる活性領域を作り出す。
【０１４３】
[00143]  いくつかの実施形態において、複数のワイヤは、同時に通電可能である。他の実施形態において、複数のワイヤの少なくとも一部は、個別に通電可能である。
【０１４４】
[00144]  いくつかの実施形態において、少なくとも１つの電極は、少なくとも２つの突起に取り付けられている別途の電極を含む。本実施形態において、別途の電極はコイル形状であってもよい。
【０１４５】
[00145]  いくつかの実施形態において、カテーテルはシャフトを含み、少なくとも２つの突起はシャフトに取り付けられた端部と、自由端とを有する複数のワイヤを備え、半拡張型籠を形成する。
【０１４６】
[00146]  いくつかの実施形態において、システムは、少なくとも２つの突起を折り畳むようにカテーテル上を前進可能なシースをさらに含む。
【０１４７】
[00147]  いくつかの実施形態において、選択的な治療は、気道壁から特定の細胞を選択的に除去することを含む。特定の細胞は、基底細胞ではなく上皮細胞を含んでもよい。一例では、上皮細胞は、異常又は過形成杯細胞を含む。別の例では、上皮細胞は、異常多列線毛円柱上皮細胞を含む。
【０１４８】
[00148]  いくつかの実施形態において、除去は、細胞剥離を含む。他の実施形態において、除去は、細胞死を含む。
【０１４９】
[00149]  いくつかの実施形態において、特定の細胞は基底膜の細胞を含み、選択的な治療は、基底膜の細胞を修飾し、基底膜の透過性を改変することを含む。
【０１５０】
[00150]  いくつかの実施形態において、特定の細胞は、粘膜下腺を含み、選択的な治療は、粘膜下腺の細胞死を引き起こすことを含む。
【０１５１】
[00151]  いくつかの実施形態において、特定の細胞は、病原体を含み、選択的な治療は、病原体の細胞死を引き起こすことを含む。
【０１５２】
[00152]  いくつかの実施形態において、選択的な治療は、特定の細胞を選択的に修飾して粘液生産を変化させることを含む。
【０１５３】
[00153]  いくつかの実施形態において、電気信号は、少なくとも１つのエネルギパケットを含む波形を有し、各エネルギパケットは一連のパルスを含む。一例では、各パルスは、約５００Ｖ〜１０ｋＶである。
【０１５４】
[00154]  いくつかの実施形態において、システムは、エネルギ送達体に沿って配置され、気道壁と接触して気道壁内外の温度を監視する温度センサをさらに含む。
【０１５５】
[00155]  いくつかの実施形態において、ジェネレータは、温度センサと通信を行うプロセッサを含み、プロセッサは、温度が熱組織効果の温度閾値以上に上昇した場合、少なくとも１つのエネルギ送達アルゴリズムを修正する。
【０１５６】
[00156]  いくつかの実施形態において、システムは、エネルギ送達体に沿って配置され、気道壁と接触して気道壁におけるインピーダンスを監視するインピーダンスセンサをさらに含み、インピーダンスセンサは、インピーダンスに基づいて気道壁の状態を示すインジケータと通信を行う。
【０１５７】
[00157]  いくつかの実施形態において、ジェネレータは、患者の心臓信号を取得する機構と、心臓信号を分析して肺通路の気道壁に非熱エネルギを伝達できる安全期間を特定するように構成されたプロセッサと、をさらに含む。
【０１５８】
[00158]  いくつかの実施形態において、システムは、気道壁のパラメータを感知するように構成された少なくとも１つのセンサをさらに含み、ジェネレータは、少なくとも１つのセンサから得たデータに基づいて電気信号を修正し、フィードバックループを作成するように構成されたプロセッサをさらに含む。
【０１５９】
[00159]  本発明の第１７の態様において、患者の肺通路における粘液の過剰分泌を低減させる方法を提供し、方法は、ａ）少なくとも１つの電極を肺通路内に位置決めし、少なくとも１つの電極が肺通路の気道壁の一部に近く、あるいは一部に対して配置されるようにすることと、ｂ）少なくとも１つの電極を通電して、非熱エネルギを気道壁の一部に送達することとを含み、非熱エネルギは、気道壁の粘液の過剰分泌に関連する特定の細胞に選択的な治療を施して気道壁による粘液の過剰分泌を低減させる。
【０１６０】
[00160]  いくつかの実施形態において、選択的な治療は、気道壁から特定の細胞を選択的に除去することを含む。一例では、特定の細胞は、基底細胞ではなく上皮細胞を含む。一例では、上皮細胞は、異常又は過形成杯細胞を含む。別の例では、上皮細胞は、異常多列線毛円柱上皮細胞を含む。
【０１６１】
[00161]  いくつかの実施形態において、除去は、細胞剥離を含む。例えば、除去は、誘電泳動による細胞剥離を含んでもよい。いくつかの実施形態において、除去は、細胞死を含む。
【０１６２】
[00162]  いくつかの実施形態において、特定の細胞は基底膜の細胞を含み、選択的な治療は、基底膜の細胞を修飾し、基底膜の透過性を改変することを含む。
【０１６３】
[00163]  他の実施形態において、特定の細胞は、粘膜下腺を含み、選択的な治療は、粘膜下腺の細胞死を引き起こすことを含む。
【０１６４】
[00164]  また他の実施形態において、特定の細胞は、病原体を含み、選択的な治療は、病原体の細胞死を引き起こすことを含む。
【０１６５】
[00165]  いくつかの実施形態において、選択的な治療は、特定の細胞を選択的に修飾して粘液生産を変化させることを含む。
【０１６６】
[00166]  いくつかの実施形態において、少なくとも１つの電極は拡張型籠を形成する複数のワイヤを有し、少なくとも１つの電極の肺通路における位置決めは、拡張型籠を拡張することを含み、複数のワイヤの少なくとも１つが肺通路の気道壁と接触することになる。いくつかの実施形態において、複数のワイヤが単極電極として機能し、方法は、患者の近くに対極板を位置決めすることをさらに含む。いくつかの実施形態において、複数のワイヤは双極電極として機能する。
【０１６７】
[00167]  いくつかの実施形態において、少なくとも１つの電極は少なくとも２つの電極を含み、通電は、双極対として機能する少なくとも２つの電極を通電することを含む。
【０１６８】
[00168]  いくつかの実施形態において、非熱エネルギは任意のエネルギ量を有し、方法は、少なくとも１つの電極に対して再通電を行い、異なるエネルギ量を有する非熱エネルギを送達することをさらに含む。
【０１６９】
[00169]  いくつかの実施形態において、再通電ステップは、気道壁の一部から感知した状態に応じて行われる。いくつかの実施形態において、感知した状態は、温度を含む。他の実施形態において、感知した状態は、インピーダンスを含む。
【０１７０】
[00170]  いくつかの実施形態において、方法は、少なくとも１つの電極に対して再通電を行い、気道壁の一部における異なる細胞に対して選択的な治療を施すことをさらに含む。いくつかの実施形態において、特定の細胞に対する通電は、上皮細胞と、並びに粘膜下細胞を含む異なる細胞を含む。
【０１７１】
[00171]  いくつかの実施形態において、少なくとも１つの電極に対する通電は、患者の心周期と同期して少なくとも１つの電極に対して通電を行うことを含む。いくつかの実施形態において、同期化は、心周期のＴ波の外側を含む。
【０１７２】
[00172]  いくつかの実施形態において、
方法は、肺通路内に少なくとも１つの電極を再位置決めし、少なくとも１つの電極が肺通路の気道壁の異なる一部の近くに、あるいは一部に対して配置されるようにすることと、少なくとも１つの電極を通電し、気道壁の異なる一部にエネルギを送達すること、とをさらに含む。いくつかの実施形態において、一部と、異なる一部は、互いに隣接している。
【０１７３】
[00173]  いくつかの実施形態において、方法は、少なくとも１つの電極を患者の異なる肺通路内に配置させ、少なくとも１つの電極が異なる肺通路の気道壁の一部の近くに、あるいは一部に対して位置するようにすることと、少なくとも１つの電極を通電し、異なる肺通路の気道壁の一部にエネルギを送達することをさらに含む。
【０１７４】
[00174]  いくつかの実施形態において、非熱エネルギは、少なくとも１つのエネルギパケットを含む波形を有する電気信号により供給され、各エネルギパケットは一連のパルスを含む。いくつかの実施形態において、各パルスは、約５００〜４０００Ｖである。いくつかの実施形態において、各エネルギパケットは、約５００〜８００ｋＨｚの範囲の周波数を有する。
【０１７５】
[00175]  これらの実施形態並びに他の実施形態は、添付の図面に関連する下記の説明においてさらに詳細に説明される。
【０１７６】
参照による組み込み
[00176]  本明細書で言及されるすべての刊行物、特許及び特許出願は、それぞれの個々の刊行物、特許、又は特許出願が具体的かつ個別に参照により組み込まれることが示されるのと同程度に参照により本明細書に組み込まれる。
【図面の簡単な説明】
【０１７７】
[00177]  本発明の新しい特徴は、添付の特許請求の範囲に詳細に記載されている。本発明の特徴及び利点のよりよい理解は、本発明の原理が利用される例示的な実施形態を説明する下記の詳細な説明、並びに添付の図面を参照することによって得られるであろう。
【０１７８】
【図１】[00178]  肺の解剖学的構造の説明図である。
【図２】[00179]  様々な層と構造を有する気道壁を表す断面図である。
【図３】[00180]  気道内の様々な細胞連結を示す、気道壁の上皮の断面図である。
【図４Ａ】[00181]  健康状態における気管支気道を示す。
【図４Ｂ】[00181]  罹患状態における気管支気道を示す。
【図５】[00182]  患者の治療に用いられる肺組織修正システムの一実施形態を示す。
【図６】[00183]  図５に示す治療用エネルギ送達カテーテルの実施形態の詳細図である。
【図７】[00184]  肺組織改編システムお一実施例の概略図である。
【図８Ａ】[00185]  患者の口／口腔に挿入した気管支鏡を示す。
【図８Ｂ】[00185]  患者の鼻／鼻腔に挿入した気管支鏡を示す。
【図９】[00186]  気道治療を目的とする、カテーテルの遠位端の主気管支内の位置決めを示す。
【図１０】[00186]  気道治療を目的とする、カテーテルの遠位端の主気管支内の位置決めを示す。
【図１１】[00186]  気道治療を目的とする、カテーテルの遠位端の主気管支内の位置決めを示す。
【図１２】[00187]  患者を治療する段階的アプローチにおける、本明細書に記載の方法を示すフローチャートである。
【図１３】[00188]  エネルギ送達アルゴリズムにより供給される信号の波形の一実施形態を示す。
【図１４】[00189]  別のエネルギ送達アルゴリズムの波形例を示す。
【図１５】[00190]  別のエネルギ送達アルゴリズムの波形例を示す。
【図１６】[00191]  別のエネルギ送達アルゴリズムの波形例を示す。
【図１７】[00192]  送達エネルギが細胞を気道壁から分離して細胞を除去させる実施形態を示す。
【図１８】[00193]  送達エネルギが細胞を死滅させ、最終的に細胞を気道壁から除去する実施形態を示す。
【図１９】[00194]  誘電泳動効果による上皮細胞の除去を概略的に示す。
【図２０】[00195]  エネルギ送達体を介したエネルギパルスの肺通路への送達に当たり望ましい期間を強調している、ヒト心臓のサンプル心電図（ＥＣＧ）トレースの一部を例示するグラフである。
【図２１】[00196]  エネルギの供給を心周期と同期させる方法の一実施形態を示すフローチャートである。
【図２２】[00197]  鼻、又は口を介した、実質組織などの肺組織へのアクセスのやり方を示す。
【図２３Ａ】[00198]  共焦点レーザ内視鏡検査法（ＣＬＥ）を用いて得られる肺通路の例示的な画像を示す。
【図２３Ｂ】[00198]  光干渉断層撮影法（ＯＣＴ）を用いて得られる肺通路の例示的な画像を示す。
【図２４】[00199]  螺旋形の籠を形成する複数のリボン又はワイヤにより形成された電極を有する単一エネルギ送達本体を備える、エネルギ送達カテーテルの一実施形態を示す。
【図２５】[00200]  エネルギ送達カテーテルが２つのエネルギ送達体を含む実施形態を示す。
【図２６】[00201]  単一エネルギ送達体を含むエネルギ送達カテーテルの一実施形態を示し、エネルギ送達体は、エネルギ送達体を通って延在するシャフト上に取り付けられている。
【図２７】[00202]  両方のエネルギ送達体が単一シャフト上に担持されている実施形態を示す。
【図２８Ａ】[00203]  拡張時に１つのエネルギ送達体のエネルギが一方の端部で拘束されず、半籠形を形成する実施形態を示す。
【図２８Ｂ】[00204]  両方のエネルギ送達体が、拡張時に半籠形を形成するように構成された編組金属ワイヤを有する実施形態を示す。
【図２９】[00205]  活性化領域を画定する絶縁体の一部を除去した状態で一部のワイヤが絶縁されている、通電可能なワイヤを備える編組ワイヤ籠型エネルギ送達体を示す。
【図３０】[00206]  チューブがレーザで切断され、両端がチューブ自体を介して拘束されている、折り畳み籠を形成する、他の実施形態を示す。
【図３１】[00207]  絶縁されたワイヤと、１つ以上の別途の追加電極（コイル状）とが、絶縁籠ワイヤに連結されて活性領域を形成する、エネルギ伝達体の実施形態を示す。
【図３２】[00208]  複数のタインを含むエネルギ送達体の一実施形態を示す。
【図３３】[00209]  １つ以上の突起を含むエネルギ送達体の一実施形態を示す。
【図３４】[00210]  各突起が非導電性材料から形成され、別々の電極を担持・支持するか、及び／又は別の方法で結合される、１つ以上の突起を含むエネルギ送達体の実施形態を示す。
【図３５】[00211]  ２つのエネルギ送達体を有し、各エネルギ送達体が拡張型コイルの形状を有するカテーテルの一実施形態を示す。
【図３６】[00212]  幅と長さを有するコイルを含むエネルギ送達体の実施形態を示し、コイルの長さは略円形のパターンを予形成している。
【図３７】[00213]  電極を有するロッドを含むエネルギ送達体の一実施形態を示し、ロッドの長さは略円形のパターンを予形成している。
【図３８】[00214]  近位に後退して１つ以上のプロングを露出させるシースを有するカテーテルの実施形態を示す。
【図３８Ａ】[00215]  図３８のＡ−Ａに沿った断面図である。
【図３９】[00216]  電極間の距離を維持する手段として、絶縁基板に取り付けられた２つの電極をその間に有するプロングの実施形態を示す。
【図４０】[00217]  図３６の図示より狭い絶縁基板を有するプロングの実施形態を示す。
【図４１】[00218]  さらに狭い絶縁基板と２つ以上の電極とを有するプロングの実施形態を示す。
【図４２】[00219]  絶縁基板上に取り付けられた複数の電極を示す。
【図４３】[00220]  図３６〜３７に図示の、螺旋形電極を有する絶縁基板を示す。
【図４４】[00221]  図３８に図示の、螺旋形電極を有する絶縁基板を示す。
【図４５Ａ】[00222]  プロングと気管支壁との間に所望の界面が形成されるまで拡張型部材を拡張することを示す。
【図４５Ｂ】[00222]  プロングと気管支壁との間に所望の界面が形成されるまで拡張型部材を拡張することを示す。
【図４６】[00223]  双極性／多重化様式で作動可能な４つのエネルギ送達体を有するエネルギ送達カテーテルの実施形態を示す。
【図４７】[00224]  エネルギ送達体と、患者の皮膚に外部から適用される分散（対）電極との間にエネルギを供給する、単極エネルギ送達を示す。
【図４８】[00225]  気管支鏡に取り外し可能に連結されたカテーテルの例を示す。
【図４９Ａ】[00226]  ２つのエネルギ送達体を有するカテーテルの気管支鏡を通した導入を示す。
【図４９Ｂ】[00226]  ２つのエネルギ送達体を有するカテーテルの気管支鏡を通した導入を示す。
【図４９Ｃ】[00226]  ２つのエネルギ送達体を有するカテーテルの気管支鏡を通した導入を示す。
【図５０】[00227]  肺の主気管支内の単一目標分節の概略図である。
【図５１】[00228]  全体の目標、又は治療領域が概して隣接するように互いに隣接して位置決めされた２つの目標分節の概略図である。
【図５２】[00229]  患者における２つの目標領域の概略図である。
【図５３】[00230]  編組籠を有するエネルギ送達体の一部の概略側面図である。
【図５４】[00231]  気道壁を有する肺通路内に位置決めされた図５０のエネルギ送達体の概略断面図である。
【図５５】[00232]  エネルギ伝達体の長さに沿った気道の連続全周治療の効果の概略図である。
【図５６】[00233]  肺通路における不連続組織効果の概略図である。
【図５７Ａ】[00234]  組織学的例示を示す（実験室６、動物１−１００８５）、未治療の気道からの断面図である。
【図５７Ｂ】[00234]  組織学的例示を示す（実験室６、動物１−１００８５）、治療済みの気道からの断面図である。
【図５８Ａ】[00235]  別の組織学的例示を示す（実験室６、動物１−１００８５）、未治療の気道からの断面図である。
【図５８Ｂ】[00235]  別の組織学的例示を示す（実験室６、動物１−１００８５）、治療済みの気道からの断面図である。
【発明を実施するための形態】
【０１７９】
[00236]  下記に、装置、送達システム、方法の具体的な実施形態を、図面を参照しながら説明する。ただし詳細な説明は、任意の構成要素、特徴、工程が本発明に必須不可欠であることを意味する訳ではない。
【０１８０】
Ｉ．概要
[00237]  気管支気道における粘液の分泌は、内膜を保護し、感染症の撲滅を助けるため、肺の防御に重要な役割を果たしている。粘液の分泌量は、バクテリア、粒子、化学的刺激物などの刺激の種類によって異なる。通常の分泌レベルは、環境の一時的な状態に応じて増減する。気管支気道の上皮層における粘液は粒子を捕捉し、繊毛細胞は粘液が下気道から出ていくことができるようにする。その結果、粘液は、最終的に咳嗽や嚥下により取り除かれる。粘液はまた、防御機能を補助する抗菌剤を含む。病原体や無害な吸入タンパク質は、このように気道から排除され、他の免疫成分との接触が制限される。気管支気道において、粘液は杯細胞により生成される。杯細胞は、分泌顆粒中の水と複合体を形成して気道内腔に放出されるムチンを生成する。大きな気道では、粘液は粘液腺からも生成される。感染や中毒の危険にさらされるとき、気道上皮は粘液分泌能力を上方制御して咳嗽や痰の放出を引き起こす。その後、気道上皮は回復して正常な状態に戻り、杯細胞は消え、咳嗽が軽減する。
【０１８１】
[00238]  しかしながら、多くの肺障害や肺疾患の発症のいくつかの例では、体は回復せず、慢性的に過剰な粘液を生成し、それを肺に蓄積することになる。これは、慢性の咳嗽、呼吸困難、疲労、胸痛、不快感などの症状を引き起こす。粘液の過剰分泌は多くの病状に伴うものであり、嚢胞性線維症（ＣＦ）に関わる気管支拡張症、非ＣＦ性気管支拡張症、慢性閉塞性肺疾患、喘息における主要な臨床的及び病理的特徴に当たる。
【０１８２】
[00239]  上記の疾患はすべて、先天性肺防御の障害や宿主の炎症反応の活性化に関わっている。トル様受容体（ＴＬＲ）の信号伝達に加えて、異常レベルの抗菌ペプチド、界面活性剤、唾液リゾチーム、痰分泌白血球プロテアーゼ阻害剤、マクロファージは、ムチン転写及びＮＦ−ＫＢ（活性Ｂ細胞の核因子κＢ軽鎖増強剤）の経路を引き起こす。粘液生産の増加とクリアランスの減少は、増悪と気道上皮損傷の増加を誘発する。繊毛活動は中断され、ムチン生産は上方制御される。杯細胞集団は拡大する。杯細胞への分化を伴う上皮細胞増殖が増加する。同様に、炎症は増悪に際して上昇し、プロテアーゼが活性化し、空気及びＣＯ２の肺胞への出入りを可能にする弾性繊維を破壊する。傷害に反応して、気道上皮は炎症細胞の気道を一掃するためにさらに多くの粘液を生成する。これは疾患を進行させる。病原体は粘液に侵入するが、排除することはできない。それ故に、気道ではもう一つの悪化サイクルが進むようになる。悪化サイクルが進むにつれて、粘液の過生産は、感染、入院、罹患の危険性を高める病理学的状態をもたらす。
【０１８３】
[00240]  疾患進行サイクルを中断又は防止するために、気道壁構造が罹患／リモデリング状態からアーキテクチャ、機能、及び／又は活動が比較的正常な状態に回復するように、気道壁内の１つ以上の細胞構造に影響を及ぼすのに有用な肺組織改変システムで気道を治療する。肺組織改変システムは、一般に高電圧パルスを特徴とするエネルギの送達を介して肺組織を治療する。いくつかの実施形態において、エネルギ送達は、臨床的に有意な炎症反応を起こさず目標組織の改変又は除去を可能とする。一方、他の実施形態において、ある程度の炎症性治癒反応は許容の範疇である。これにより、処置から数日以内に健康な新しい組織が再生可能となる。
【０１８４】
[00241]  １つの方法では、肺組織改変システムからのエネルギ出力により上皮層Ｅにおいて分離を起こす。異常機能不全繊毛状偽層状上皮細胞ＰＣＥＣ及び過形成異常杯細胞ＧＣは基底細胞ＢＣから分離され、気道内腔に引き込まれ、排出される。結果として、基底細胞ＢＣは基底膜ＢＭに残されて、正常杯細胞ＧＣと正常多列線毛円柱上皮細胞ＰＣＥＣが再生される。それによって、疾患の逆リモデリングが触発され、粘液の過剰分泌が低減する。新規再生杯細胞ＧＣは粘液の生産性が非常に低い。新規再生多列線毛円柱上皮細胞ＰＣＥＣは正常に機能する繊毛Ｃを再生し、粘液Ｍをより容易に排出する。患者は粘液容量の減少をすぐ感じ取り、咳嗽や気道閉塞も軽減される。以降、数週間で増悪の減少と生活の質の向上が期待できる。
【０１８５】
[00242]  いくつかの実施形態において、細胞−細胞結合の相対強度のため、エネルギは、基底細胞ＢＣとより表面に近い杯状ＧＣ及び多列線毛円柱上皮細胞ＰＣＥＣとの間の上皮分離を誘導する。基底細胞ＢＣは、半接着斑Ｈ（図３を参照）により基底膜ＢＭに連結している。さらに基底細胞ＢＣは、接着斑Ｄ（図３を参照）を介して杯細胞ＧＣ及び多列線毛円柱上皮細胞ＰＣＥＣに連結している。肺組織改変システムのエネルギパラメータ及び電極構成で、接着斑Ｄによる連結は分離するが半接着斑Ｈは無傷のままに残すように設計してもよい。これによって表面細胞を取り除き、基底細胞ＢＣはほぼ無傷に残り、そして上皮再生の準備を整える。再生プロセスは、基底膜ＢＭを破壊して壊死が起こる、外傷又は熱焼灼処置で通常期待できるものより速い。例えば熱焼灼処置におけるような基底膜破壊及び壊死は、とりわけＴ細胞、マクロファージ、ＩＬ−１３、ＩＬ−４、単球、プロテアーゼ、サイトカイン、ケモカインを含む炎症経路の活性化の原因となる。本明細書に開示された方法では、基底膜ＢＭはほぼ破壊されず、急性炎症もほとんど全く生じない。これにより、処置後数日以内に健康な新しい目標組織の再生が可能となる。他の実施形態において、肺組織改変システムからのエネルギ出力により、気道壁Ｗに他の変化又はさらなる変化を誘発し、健康な目標組織を再生できることが理解される。
【０１８６】
[00243]  図５は、患者Ｐの治療に用いられる肺組織改変システム１００の一実施形態を示す。本実施形態において、システム１００は、ジェネレータ１０４に連結可能な治療用エネルギ送達カテーテル１０２を含む。カテーテル１０２は、遠位端付近に少なくとも１つのエネルギ送達本体１０８を有し、近位端にハンドル１１０を有する細長いシャフト１０６を備える。ジェネレータ１０４はカテーテル１０２に連結し、エネルギ送達本体１０８に電気エネルギを提供する。図５に図示されているように、カテーテル１０２は、例えば気管支鏡１１２の内腔を通すなど、様々な方法により患者Ｐの気管支通路に挿入することができる。
【０１８７】
[00244]  図６は、図５に示す治療用エネルギ送達カテーテル１０２の実施形態の詳細図である。本実施形態において、エネルギ送達本体１０８は単一の単極送達電極を含むが、種類、数、配列を変更してもよく、本明細書は、下記にて変更例についても説明する。本実施形態において、エネルギ送達本体１０８は、電極として機能する螺旋形の籠を形成する近位端拘束部１２２及び遠位端拘束部１２４により拘束された複数のワイヤ、あるいはリボン１２０を含む。他の実施形態において、ワイヤ又はリボンは、螺旋形ではなく直線形である（つまり、直線形の籠を形成するように構成される）。さらに他の実施形態において、エネルギ送達体１０８はチューブをレーザで切断して形成する。いくつかの実施形態において、エネルギ送達本体１０８は自己拡張型であり、折畳状態で目標領域に送達される。例えば、エネルギ供給体１０８の上にシース１２６を載置すると、折畳状態に構成することができる。図６において、（シース１２６内の）カテーテルシャフト１０６は、近位端拘束部１２２で終端し、遠位端拘束部１２４をほぼ拘束せずカテーテル１０２のシャフト１０６に対して自由に移動する。エネルギ送達本体１０８を覆ってシース１２６を前進させると、遠位端拘束部１２４が前方に移動し、それによって、エネルギ送達本体１０８を引き伸ばし／折り畳み、続いて拘束する。
【０１８８】
[00245]  カテーテル１０２は、近位端にハンドル１１０を含む。いくつかの実施形態において、ハンドル１１０は、例えばハンドル取り外しボタン１３０を押して、取り外すことができる。本実施形態において、ハンドル１１０は、エネルギ送達体操作ノブ１３２を含み、ノブ１３２の動きにより籠型電極は、拡張し、あるいは収縮／折畳する。この例では、ハンドル１１０はさらに、気管支鏡１１２と連結するの気管支鏡作業ポートスナップ１３４と、ジェネレータ１０４と連結するケーブルプラグインポート１３６とを含む。
【０１８９】
[00246]  図５に戻って参照すると、本実施形態において、治療用エネルギ送達カテーテル１０２は、患者Ｐの皮膚に外部から適用される分散（対）電極１４０と共にジェネレータ１０４と連結することができる。従って、本実施形態において、カテーテル１０２の遠位端付近に配置されるエネルギ送達体１０８と対極板１４０との間にエネルギを供給し、単極エネルギ送達を成し遂げる。本明細書でさらに説明されるように、双極性エネルギ送達及び他の位置決めが代わりに用いられてもよいことが理解される。本実施形態において、ジェネレータ１０４は、ユーザインタフェース１５０、１つ以上のエネルギ伝達アルゴリズム１５２、プロセッサ１５４、データ記憶／検索部１５６（メモリ及び／又はデータベースなど）、エネルギ記憶サブシステム１５８を含む。サブシステム１５８は、送達すべきエネルギを生成し貯蔵する役割を果す。いくつかの実施形態において、エネルギ貯蔵／送達に１つ以上のコンデンサを用いているが、最新技術の開発につれて、任意の適切な素子を使用してもよい。さらに、１つ以上の通信ポートが含まれる。
【０１９０】
[00247]  いくつかの実施形態において、ジェネレータ１０４は３つのサブシステムを備えることを理解されたい。つまり、１）高エネルギ貯蔵システム、２）高電圧・中周波数スイッチング増幅器、３）システム制御、ファームウェア、ユーザインタフェースである。システムコントローラは、パルスエネルギ出力を患者の心調律に同期させることを可能にする心臓同期トリガモニタを備える。ジェネレータはＡＣ（交流）主電源を取り入れ、複数のＤＣ（直流）電源に電力を供給する。ジェネレータのコントローラは、エネルギ供給の前に、高エネルギコンデンサ蓄電池を充電するようにＤＣ電源に指示する。治療用エネルギ送達を開始する際に、ジェネレータのコントローラ、高エネルギ貯蔵バンク、二相性パルス増幅器が同時に動作し、高電圧、中周波数の出力を生成する。
【０１９１】
[00248]  プロセッサ１５４は、例えば、汎用プロセッサ、フィールドプログラマブルゲートアレイ（ＦＰＧＡ）、特定用途向け集積回路（ＡＳＩＣ）、デジタル信号プロセッサ（ＤＳＰ）などであってもよい。プロセッサ１５４は、アプリケーションプロセス及び／又は他のモジュール、システム１００に関するプロセス及び／又は機能、及び／又はシステム１００に関するネットワークを実行するように構成されてもよい。
【０１９２】
[00249]  本明細書において、「モジュール」という用語は、例えば、メモリ、プロセッサ、電気トレース、光コネクタ、ソフトウェア（ハードウェアで実行される）などを含む任意のアセンブリ及び／又は操作可能に接続している電気素子のセットを意味する。例えば、プロセッサで実行されるモジュールは、ハードウェアベースのモジュール（例えばＦＰＧＡ、ＡＳＩＣ、ＤＳＰ）及び／又はソフトウェアベースのモジュール（例えばメモリに記憶されたコンピュータコードのモジュール）の任意の組み合わせであってもよい。
【０１９３】
[00250]  データ記憶／検索部１５６は、例えば、ランダムアクセスメモリ（ＲＡＭ）、メモリバッファ、ハードドライブ、データベース、消去型プログラマブル読出専用メモリ（ＥＰＲＯＭ）、電気式消去型読出専用メモリ（ＥＥＰＲＯＭ）、読出専用メモリ（ＲＯＭ）、フラッシュメモリなどであってもよい。データ記憶／検索部１５６は、プロセッサ１５４にシステム１００に関わるモジュール、プロセス及び／又は機能を実行させる命令を格納することができる。
【０１９４】
[00251]  いくつかの実施形態において、データ記憶／検索部１５６は、様々なコンピュータ実装運転に対応する命令やコンピュータコードを格納する持続性コンピュータ可読媒体（持続性プロセッサ可読媒体ともいう）を有するコンピュータ記憶製品を含む。コンピュータ可読媒体（又はプロセッサ可読媒体）は、一時的な伝搬信号（例えば、空間又はケーブルなどの伝送媒体に情報を搬送する伝搬電磁波）を含まないので、持続性とみなされる。媒体及びコンピュータコード（コードともいう）は、特定の目的のために設計及び構築されたものであってもよい。持続性コンピュータ可読媒体の例として、ハードディスク、フロッピーディスク、磁気テープなどの磁気記憶媒体、コンパクトディスク／デジタルビデオディスク（ＣＤ／ＤＶＤ）、コンパクトディスク読み取り専用メモリ（ＣＤ?ＲＯＭ）、ホログラフィック装置などの光記憶媒体、光ディスク等の光磁気記録媒体、搬送波信号処理モジュール、ＡＳＩＣ、プログラマブルロジックデバイス（ＰＬＤ）、読出専用メモリ（ＲＯＭ）、ランダムアクセスメモリ（ＲＡＭ）デバイスなどの、プログラムコードの記憶・実行を行うように構成された特別構成ハードウェアデバイスが挙げられるが、これらに限定される訳ではない。本明細書に記載の他の実施形態は、例えば本明細書に記載の命令及び／又はコンピュータコードを格納できるコンピュータプログラム製品に関する。
【０１９５】
[00252]  コンピュータコードの例としては、マイクロコード又はマイクロ命令、例えばコンパイラにより生成される機械命令、ウェブサービスを生成するコード、インタープリタを用いてコンピュータで実行される高レベル命令を含むファイルが挙げられるが、これらに限定される訳ではない。例えば、命令型プログラミング言語（例えば、Ｃ、Ｆｏｒｔｒａｎなど）、関数型プログラミング言語（Ｈａｓｋｅｌｌ、Ｅｒｌａｎｇなど）、論理プログラミング言語（例えば、Ｐｒｏｌｏｇ）、オブジェクト指向プログラミング言語（例えば、Ｊａｖａ、Ｃ＋＋など）、他の適切なプログラミング言語、及び／又は開発ツールを用いて実施形態を実装してもよい。コンピュータコードの例示には、制御信号、暗号化コード、圧縮コードも含まれるが、これらに限定される訳ではない。
【０１９６】
[00253]  いくつかの実施形態において、システム１００は、例えばローカルエリアネットワーク（ＬＡＮ）、ワイドエリアネットワーク（ＷＡＮ）、仮想ネットワーク、電気通信ネットワーク、データネットワーク、及び／又はインターネットなど、有線ネットワーク及び／又は無線ネットワークとして実装される任意の様々なネットワークに通信可能に接続してもよい。いくつかの実施形態において、通信は、適切な種類及び／又は方法のセキュア通信（例えば、セキュアソケットレイヤ（ＳＳＬ））、及び／又は暗号化を適用して保護してもよい。他の実施形態において、任意の又はすべての通信が保護されていなくてもよい。
【０１９７】
[00254]  ユーザインタフェース１５０は、患者データの入力、治療アルゴリズム（つまり、エネルギ送達アルゴリズム１５２）の選択、エネルギ送達の開始、記憶／検索部１５６が格納する記録の閲覧、そうでなければジェネレータ１０４とのその他の通信をオペレータが実行できる、タッチスクリーン及び／又は物理的ボタンを含んでもよい。
【０１９８】
[00255]  本明細書に開示されるシステムのいずれも、オペレータ定義の入力を許容するように構成されたユーザインタフェース１５０を備えてもよい。オペレータ定義の入力は、エネルギ送達中、又は他の時点における、エネルギ送達パルス、電力、目標温度、動作モード、あるいはこれらの組み合わせを含むことができる。例えば、様々な動作モードは、システム始動及び自己テスト、オペレータ入力、アルゴリズム選択、治療前システム状態及びフィードバック、エネルギ送達、エネルギ送達後の表示・フィードバック、治療データ管理及び／又はダウンロード、ソフトウェア更新、あるいはこれらの組み合わせを含むことができる。
【０１９９】
[00256]  いくつかの実施形態において、システム１００は、外部心臓モニタ１７０などの心電図（ＥＣＧ）取得用の機構も備える。心臓モニタの例は、例えばＡｃｃｕＳｙｎｃ  Ｍｅｄｉｃａｌ  Ｒｅｓｅａｒｃｈ社から入手可能である。いくつかの実施形態において、外部心臓モニタ１７０はジェネレータ１０４に操作可能に接続している。ここで、心臓モニタ１７０を用いて、ＥＣＧを連続的に取得する。外部電極１７２を患者Ｐに付けてＥＣＧを取得してもよい。ジェネレータ１０４は、１つ以上の心周期を分析し、エネルギを患者Ｐに印加しても安全である期間の始点を識別し、それによってエネルギ送達を心周期と同期させる。いくつかの実施形態において、この期間は、エネルギパルスがＴ波で送達される場合に生じ得る不整脈のリスクを回避するために、Ｒ波のミリ秒以内である。そのような心臓同期は、通常、単極エネルギ送達を適用するときに用いるが、他の場合に用いられ得ることを理解されよう。
【０２００】
[00257]  いくつかの実施形態において、プロセッサ１５４は、エネルギ送達アルゴリズムの修正及び／又は切り替え、エネルギ供給や任意のセンサデータの監視、フィードバックループを介する監視データへの応答を行う。いくつかの実施形態において、プロセッサ１５４は、１つ以上の測定システムパラメータ（例えば、電流）、１つ以上の測定組織パラメータ（例えば、インピーダンス）及び／又はこれらの組み合わせに基づき、フィードバック制御ループを実行する１つ以上のアルゴリズムを実行するように構成される。
【０２０１】
[00258]  データ記憶／検索部１５６は、送達された治療に関連するデータを格納する。任意選択でデバイス（例えば、ラップトップやサムドライブ）を通信ポートに接続してこのデータをダウンロードすることができる。いくつかの実施形態において、デバイスは、例えばデータ記憶／検索部１５６に格納され、プロセッサ１５４により実行可能な命令など、情報のダウンロードを指示するローカルソフトウェアを有する。いくつかの実施形態において、オペレータは、ユーザインタフェース１５０を介して、コンピュータデバイス、タブレット、モバイルデバイス、サーバ、ワークステーション、クラウドコンピューティングデバイス／システムなど（ただしこれらに限定される訳ではない）のデバイス及び／又はシステムを対象とするデータダウンロードを選択することができる。有線及び／又は無線接続が可能な通信ポートを通じて、上述の通りデータダウンロードが可能となるが、カスタムアルゴリズムのアップロードやソフトウェア更新などのデータアップロードも可能である。
【０２０２】
[00259]  上述の通り、様々なエネルギ送達アルゴリズム１５２は、ジェネレータ１０４にプログラミング可能であり、あるいは、メモリやデータ記憶／検索部１５６に格納するなど、事前のプログラミングも可能である。あるいは、エネルギ送達アルゴリズムをデータ記憶／検索部に追加し、プロセッサ１５４により実行してもよい。これらのアルゴリズム１５２はそれぞれ、プロセッサ１５４により実行可能である。アルゴリズムの例示につき、下記により詳しく説明する。いくつかの実施形態において、カテーテル１０２は、例えば、温度、インピーダンス、抵抗、静電容量、導電率、誘電率、及び／又は伝導率の判定に用いられる１つ又は複数のセンサ１６０を含む。センサデータは、治療計画の立案、治療の監視、及び／又はプロセッサ１５４を介する直接フィードバックに用いられ、エネルギ送達アルゴリズム１５２を修正することができる。例えば、インピーダンス測定は、適用すべき初期用量を決めるのは勿論、さらなる治療の必要性を決定するためにも用いられる。
【０２０３】
[00260]  本明細書に開示されるシステムのいずれも、温度、インピーダンス、治療期間又はエネルギ送達パルスの時間的側面、治療能及び／又はシステム状態などの入力に応じ、治療計画の調整及び／又は中止を動的に判断できる自動治療提供アルゴリズムを備えてもよい。
【０２０４】
[00261]  いくつかの実施形態において、図５に図示されているように、撮像は、別途の撮像スクリーン１８０と接続している気管支鏡１１２など、市販のシステムを使用して行うことができる。画像診断器をカテーテル１０２に組み込んでもよく、カテーテル１０２と共に使用してもよい。画像診断器を、適切な機構を用いて、カテーテル１０２に、機械的に、操作可能に、及び／又は通信可能に連結してもよい。
【０２０５】
[00262]  図７は、肺組織改変システム１００の一実施形態の概略図である。本実施形態において、カテーテル１０２は単極エネルギ送達用として構成されている。図示されているように、分散（中性）電極又は対極板１４０は、患者の皮膚に固定されている間、ジェネレータ１０４に操作可能に接続し、カテーテル１０２を介して送達されるエネルギの戻り経路となる。エネルギ送達カテーテル１０２は、１つ以上のエネルギ送達体１０８（電極を含む）、１つ以上のセンサ１６０、１つ以上の画像診断器１６２、１つ以上のボタン１６４、及び／又は位置決め機構１６６（例えば、プルワイヤ付きハンドルのレバー及び／又はダイヤル、入れ子式チューブ、シースなどが挙げられるが、これらに限定される訳ではない）を含む。１つ以上のエネルギ送達体１０８は組織と接触する。いくつかの実施形態において、フットスイッチ１６８はジェネレータ１０４に操作可能に接続し、エネルギ送達の開始に用いられる。
【０２０６】
[00263]  前述のように、ユーザインタフェース１５０は、患者データの入力、エネルギ送達アルゴリズム１５２の選択、エネルギ送達の開始、記憶／検索部１５６が格納する記録の閲覧、あるいはジェネレータ１０４とのその他の通信をオペレータが実行できる、タッチスクリーン及び／又は物理的ボタンを含んでもよい。プロセッサ１５４は、エネルギ送達アルゴリズムの管理・実行、エネルギ供給やセンサデータの監視、フィードバックループを介する監視データへの応答を行う。データ記憶／検索部１５６は、治療関連データを格納する。デバイス（例えば、ラップトップやサムドライブ）を通信ポート１６７に接続すると、データ記憶／検索部１５６からデータをダウンロードすることができる。
【０２０７】
[00264]  カテーテル１０２は、ジェネレータ１０４及び／又は別途の撮像スクリーン１８０に操作可能に接続されている。画像診断器１６２は、カテーテル１０２に組み込んでもよく、カテーテル１０２と共に使用してもよい。その代わりに、あるいはそれに加えて、別途の画像診断器、又は撮像装置１６９、例えば市販のシステム（つまり、気管支鏡など）を使用してもよい。別途のの撮像装置１６９を、適切な機構を用いて、カテーテル１０２に、機械的に、操作可能に、及び／又は通信可能に連結してもよい。
【０２０８】
[00265]  図８Ａによると、気管支鏡１１２は患者Ｐの口腔ＯＣに挿入される。気道にアクセスする方法には、鼻、又は鼻腔ＮＣ（図８Ｂ）など、その他の開口部の使用も含まれる。あるいは、適切な人工開口部を使用してもよい（図示せず。例えば、ストーマ、気管切開術など）。気管支鏡１１２の使用により、目標組織の直接的な視覚化が可能となる。気管支鏡１１２の作業チャネルを用いて、本明細書が開示する装置及びシステムに従ってカテーテル１０２を送り込み、カテーテルの留置を肉眼で確認できる。図８Ａ〜図８Ｂは、遠位端の気管Ｔ及び主気管支ＭＢ内にカテーテル１０２を導入する様を図示しているが、カテーテル１０２は、必要に応じて、大腿部気管支ＬＢ、遠位分節気管支ＳＢや副分節気管支ＳＳＢに挿入しても構わない。
【０２０９】
[00266]  図９〜１１は、気道治療を目的として、カテーテル１０２の遠位端を主気管支ＭＢ内に位置決めした場合を示す。いくつかの実施形態において、カテーテル１０２は、気道壁Ｗに損傷を与えず気道を通って前進できるように、非外傷性先端部１２５又を有する。図９は、シース１２６がエネルギ送達本体１０８を覆っている間、主幹気管支ＭＢ内を前進するカテーテル１０２を図示する。カテーテル１０２の位置決めを、様々な撮像技術により補助してもよい。例えば、気管支鏡１１２を用いて目標部位までリアルタイムに直接視覚ガイドを提供してもよく、治療を前後して、更には治療中に、カテーテル１０２の正確な位置決めを観察してもよい。図１０は、シース１２６を引き抜いて、エネルギ送達体１０８を露出させる場合を図示している。当然のことながら、いくつかの実施形態において、エネルギ送達体１０８は自己拡張型であるため、シース１２６はエネルギ送達体１０８を折畳状態で保持する。本実施形態において、シース１２６を引き抜いてエネルギ送達体１０８を放すと、エネルギ送達体の自己拡張が可能となる。他の実施形態において、エネルギ送達体１０８は、例えばシース１２６を引き抜いた後、ノブ１３２の移動など、他の機構により拡張される。図１１は、拡張型籠形エネルギ送達体１０８を図示しており、エネルギ送達体１０８は気道壁Ｗに接触する。さらなる撮像により、位置決めを検証してもよく、及び／又は、追加の測定（例えば深度）を行ってもよい。
【０２１０】
[00267]  エネルギ送達体１０８が望ましい位置に位置決めされると、治療エネルギがエネルギ送達体１０８により気道壁Ｗに供給される。治療エネルギは、少なくとも１つのエネルギ送達アルゴリズムに従って印加される。
【０２１１】
[00268]  いくつかの実施形態において、ジェネレータ１０４のユーザインタフェース１５０により、所望の治療アルゴリズム１５２を選択することができる。他の実施形態において、アルゴリズム１５２は、カテーテル１０２に取り付けられている１つ以上のセンサにより取得された情報に基づき、ジェネレータ１０４により自動的に選択される。詳細は下記に説明する。ここでは、多様なエネルギ送達アルゴリズムを使用してもよい。いくつかの実施形態において、アルゴリズム１５２は、各パケット間に休止期間を置く一連のエネルギパケットを含む波形を有する信号を生成し、各エネルギパケットは一連の高電圧パルスを含む。いくつかの実施形態において、各高電圧パルスは、約５００Ｖ〜１０ｋＶ、あるいは約５００Ｖ〜約５０００Ｖであり、この範囲に属する数値をすべて適用できる。いくつかの実施形態において、供給エネルギの周波数は、約１０ｋＨｚ〜約１０ＭＨｚ、あるいは約１００ｋＨｚ〜約１ＭＨｚの範囲内であり、この範囲に属する数値をすべて適用できる。アルゴリズム１５２は、気道壁にエネルギを送達し、最小限の組織加熱で、あるいは組織加熱を一切行わず所望の治療を施す。いくつかの実施形態において、温度センサは、治療中に電極及び／又は組織温度を測定し、組織の蓄積エネルギが臨床的に有意な組織加熱を誘発できるほどではないことを確認する。例えば、温度センサは、組織及び／又は電極の温度を監視する。所定の閾値温度を超えた場合（例えば６５℃）、ジェネレータはアルゴリズムを変更してエネルギ供給を自動的に停止するか、あるいは設定した閾値以下に温度を下げる。さらに、温度が所定の閾値（縦おば６５℃）を超えた場合、ジェネレータはパルス幅を縮めるか、パルス間及び／又はパケット間の時間を延長する。以上は、パラメータの百分率を考慮する所定の段階的なアプローチ、あるいは他の方法により実現できるプロセスの一例である。
【０２１２】
[00269]  従来の高周波アブレーション（ＲＦＡ）は、３５０〜５５０ｋＨｚの高周波交流を印加して細胞を死滅させ、組織を発熱させて細胞の熱壊死をもたらす。心臓不整脈、固形腫瘍、腎臓神経などの治療を目的として、多くのＲＦＡ装置が開発されてきた。マイクロ波焼灼は、３００ＭＨｚ〜３００ＧＨｚの交流を用いる熱焼灼様式の一種であり、これもまた細胞を熱壊死させる。エネルギ源は、焼灼帯の大きさや均一な加熱のため、固形腫瘍の治療に用いられる。一般に、熱焼灼は組織内のタンパク質を変性させて著しい炎症反応を引き起こす上に、制御が困難であり、非目標組織に損傷を与えることがよくある。特定の治療（例えば、腫瘍治療）の場合、炎症は許容の範疇であるが、肺気道内に重点を置くと、炎症により重篤な合併症（例えば、増悪）に繋がる可能性がある。タンパク質の変性が臨床罹患率にどう影響を及ぼすかは定かではないが、無傷、無変性のタンパク質は、病原体や腫瘍などに及ぼす影響に関わらず、免疫系への様々な攻撃に対する宿主の応答を高める可能性が高い。このような限界があるからこそ、特に気道に対する熱焼灼は、それほど望ましくない。
【０２１３】
[00270]  逆に、アルゴリズム１５２は、気道壁Ｗに非熱エネルギを送達し、炎症を軽減、あるいは回避することができる。いくつかの実施形態において、アルゴリズム１５２は、組織に所定の深度まで影響を及ぼし、及び／又は気道壁内の特定の細胞を目標にするように調整を受ける。いくつかの実施形態において、ジェネレータは、固有のアルゴリズム設定を有しており、それによって目標セル深度が各設定に反映される。例えば、ある設定／アルゴリズムは、主として粘液層に存在する病原体に影響を及ぼし、別の設定／アルゴリズムは上皮を目標とし、また別の設定／アルゴリズムは主に上皮、基底膜、粘膜下組織及び／又は平滑筋を目標とする。さらに別の設定／アルゴリズムは、主に上皮、基底膜、粘膜下組織、平滑筋、粘膜下腺及び／又は神経を目標とする。いくつかの実施形態において、治療は同じ場所で行われるが、他の実施形態において、オペレータは、異なる場所で特定の細胞型に治療するように選択してもよい。オペレータが利用する設定は、患者の状態の生理学的性質に依存し得る。
【０２１４】
[00271]  エネルギが細胞を除去する生物学的メカニズム及び細胞プロセスは、後のセクションでさらに詳細に説明する。エネルギは、目標位置で気道壁Ｗを治療し、健康組織を再生する。例えば、正常杯細胞ＧＣや正常多列線毛円柱上皮細胞ＰＣＥＣを再生し、疾患の逆リモデリングを誘導して粘液の過剰分泌を低減させる。新規再生杯細胞ＧＣは粘液の生産性が非常に低い。新規再生多列線毛円柱上皮細胞ＰＣＥＣは正常に機能する繊毛Ｃを再生し、粘液Ｍをより容易に排出する。したがって正常な健康組織は処置から数日以内に再生される。これにより患者の咳嗽や粘液の過剰分泌などの症状が劇的に減少し、その結果、増悪が減少し生活の質が向上する。
【０２１５】
[00272]  図１２は、本明細書に記載の方法を、患者を治療する段階的アプローチにより例示するフローチャートである。この方法は、必要に応じて、施術者、治療用エネルギ送達カテーテル、又はジェネレータによって実行できる。いくつかの実施形態において、本明細書に開示されている１つ以上のステップは、任意選択であり得る。第１の一連のステップは、患者の解剖学的構造及び／又は処置の是非を判定する手順に対する適合性の評価に用いられてもよい。いくつかの実施形態において、評価は任意であり、下記のステップのうちの１つ以上を含んでもよい。まず（必要ならば）気道にアクセスする（３００）（必要な場合に限る）。次に、必要及び／又は所望の任意の適切な処置前撮像、痰サンプリング及び／又は生検を行う（３０１）。処置前撮像は、非侵襲的ＣＴスキャン、気管支鏡検査、共焦点レーザ内視鏡検査法（ＣＬＥ）、光干渉断層撮影法（ＯＣＴ）、又は任意の適切な技術、並びに任意の測定（例えば深度）が含まれる。喀痰サンプリングは、鼻粘膜ブラッシング、鼻洗浄、気管支ブラッシング、気管支洗浄、及び／又は気管支肺胞洗浄を含む。その後、患者に対する治療の必要性を判定する。判定が、「No」の場合（３０２）、終了（３２２）に進む。判定が「Yes」の場合（３０３）、必要であれば、アクセスを取得する（３０４）。いくつかの実施形態において、処置は、処置前評価から１日以上後に行う。本実施形態において、アクセス取得が求められる（３０４）。
【０２１６】
[00273]  いくつかの実施形態において、治療は処置前評価の直後に実施する。本実施形態において、再度のアクセスは必要でない。本実施形態において、処置の次のステップ３０５は、カテーテルを導入することである。上述の通り、様々な方法でカテーテルを導入してもよいが、例示として、カテーテルを気管支鏡の作業チャネルを介して搬送する。次のステップ３０６において、カテーテルを目標部位に位置決めする。また、一例として、気管支鏡は、目標部位までリアルタイムに直接視覚ガイドを提供し、そして、カテーテルの正確な位置決めを観察する用途としても用いられる。これは、気道壁と接触するように１つ以上のエネルギ送達体を位置決めすることを含む。次に、追加撮像（３０７）により、位置決めを検証し、及び／又は追加の測定値（例えば深度）を作成することができる。次のステップ３０８において、オペレータはまた、所望のエネルギ送達アルゴリズム１５２を選択することができる。上記で詳しく説明したように、これは目標治療深度に基づく例に含まれる。あるいは、ジェネレータは、ほとんどの患者に適する事前に定義したアルゴリズムを適用するように構成される。本実施形態において、次のステップ３０９では、エネルギ送達アルゴリズムを実行又は適用する。ここでは、フットペダル又は本明細書に記載の他の機構を介して用いる。エネルギ印加の後、オペレータはエネルギ印加（３１０）を評価することができる。測定の有無に関わらない追加撮像の実行、及び／又はジェネレータが送信するメッセージ（例えば、不完全な治療をもたらし得る、エネルギ送達に関するエラー）に対する応答も含まれてもよい。治療が許容されない場合（３１１）、オペレータは目標部位の位置決めステップ３０６に戻る。治療が許容対象である場合（３１２）、オペレータは次のステップへ進む。手順の次のステップは、より多くの治療部位を治療する必要があるか否かを判断することである。「No」の場合（３１３）、オペレータは、次に、最終撮像（３１５）に進み、残りのステップを終了（３２２）まで進める。「Yes」の場合（３１４）、オペレータは次の目標部位に再位置決めし（３１６）、治療ステップを繰り返す。すべての治療が完了すると、オペレータは、任意の最終撮像（３１５）に進み、ここでオペレータは、撮像を確認してすべての目標領域が満足に治療されたことを確認することができる。「No」の場合（３１７）、オペレータは、「次の目標部位に再位置決め」（３１６）に戻って追加の治療を行う。「Yes」の場合（３１８）、オペレータは、取得された任意の処置前生検及び／又は痰サンプル（３０１）と比較できるように、１つ以上の直後生検及び／又は痰サンプルを採取するかを決める（３１９）。後日に、追跡画像及び／又は生検、及び／又は痰サンプルを得て（３２０）、他の画像、生検、及び／又は痰サンプルと比較し、治療結果に関する評価及び／又は文書化を補助してもよい。次にオペレータは、規範的な治癒プロセスを支援するために物質や活性剤を投与し（３２１）、それにより治療上の問題又は合併症の可能性をさらに低減してもよい。また、これは、特に短期的に、増悪の程度や頻度をさらに減らすことができる。これらの薬剤のいくつかの例として、��張食塩水ゲル、薬用フィルム、抗菌剤、抗ウイルス剤、抗真菌剤、抗炎症剤などが挙げられる。組織を高エネルギ場に曝露した結果、治療された組織は、薬剤の取り込みが改善するために調整することができる。その後、手順は終了する（３２２）。患者は引き続き医師の指示に従い、疾患又は障害が再発及び／又は継続する場合、この処置全体を再び受けることができる。
【０２１７】
[00274]  従って、所望の臨床効果を得られなかった又は得られたが治療後に症状が再発した特定の実施形態において、手順を繰り返すことが望ましいと考えられる。これらの実施形態において、特定の領域に再度治療を施すに留まらず、肺の解剖学的構造の異なる部分を目標にすることも好ましい可能性がある。よって、システム１００を使用して、元の治療部位と同じ組織部分、あるいは、最初の介入とは明白に異なる組織部分に再度治療を施してもよい。
【０２１８】
[00275]  様々な実施形態を上記で説明してきたが、それらは限定ではなく例として提示されていることを理解されたい。上記の方法を、特定のイベントを特定の順序で遂行するものと見なす場合、特定のイベントの順序を変更してもよい。さらに、特定のイベントは可能であれば並列プロセスで同時に実行してもよく、また、上述のように順次に実行してもよい。
【０２１９】
ＩＩ．エネルギ送達アルゴリズム
[00276]  前述したように、１つ以上のエネルギ送達アルゴリズム１５２は、ジェネレータ１０４にプログラミングして患者Ｐにエネルギを送達してもよく、事前にプログラミングしてもよい。１つ以上のエネルギ送達アルゴリズム１５２は、炎症の軽減又は回避を目的として気道壁Ｗに送達される非熱エネルギを供給する電気信号を指定する。一般に、アルゴリズム１５２は、所定の深度まで組織に影響を及ぼすように、及び／又は気道壁内の特定の細胞を目標にするように調整される。深度及び／又は目標指定は、１つ以上のエネルギ送達アルゴリズム１５２により規定されるエネルギ信号のパラメータ、カテーテル１０２の設計（特に１つ以上のエネルギ送達体１０８）、及び／又は単極性又は双極性エネルギ送達の選択に左右される。一例では、双極性エネルギ送達は、単極性エネルギ送達に比べ、低電圧で治療効果を達成することができる。双極構成では、正極と負極は、互いに十分に接近しており、極や極間の両方に治療効果をもたらす。単極と比較すると、治療効果をより大きな表面積に広げることができ、低電圧でも治療効果を出すことができる。同様に、低電圧により浸透深さを減らし、粘膜下細胞ではなく上皮細胞に影響を及ぼすこともできる。加えて、供給電圧が心筋細胞の刺激を回避できるほど低い場合は、心臓同期は不要となる。
【０２２０】
[00277]  当然のことながら、様々なエネルギ送達アルゴリズム１５２を使用してもよい。いくつかの実施形態において、アルゴリズム１５２は、一連のエネルギパケットを含む波形を有する信号を規定し、各エネルギパケットは一連の高電圧パルスを含む。そのような実施形態において、アルゴリズム１５２は、例えばパケット数、パケット内のパルス数、各パルスの周波数を含む、印加エネルギの持続時間やエネルギ振幅（例えば、電圧）などの信号パラメータを指定する。パケット間には一定の休止期間を置いてもよく、パケットを心周期にゲートし、患者の心拍数によって変動してもよい。センサ情報及び自動遮断仕様などに基づくフィードバックループなどが含まれてもよい。
【０２２１】
[00278]  図１３は、エネルギ送達アルゴリズム１５２が規定する信号の波形４００の一実施形態を示す。ここでは、２つのパケット、つまり第１のパケット４０２と第２のパケット４０４が図示されており、パケット４０２、４０４は休止期間４０６によって分離されている。本実施形態において、各パケット４０２、４０４は、第１の二相パルス（第１の正ピーク４０８及び第１の負ピーク４１０を含む）と、第２の二相パルス（第２の正ピーク４０８’及び第２の負ピーク４１０’を含む）を有する。第１及び第２の二相パルスは、各パルス間で不感時間４１２（つまり、休止）によって分離されている。本実施形態において、二相パルスは対称であるので、設定電圧４１６は正ピーク及び負ピークに対して同じである。ここで、二相対称波も方形波であり、正の電圧波の大きさと時間は負の電圧波の大きさにほぼ等しい。正の電圧波は細胞の脱分極を引き起こし、通常負に荷電する細胞が一時的に正に変わる。負の電圧波は、細胞電位が負である細胞過分極を引き起こす。
【０２２２】
[00279]  いくつかの実施形態において、各高電圧パルス又は設定電圧４１６は、その間のすべての値及びサブ範囲を含む約５００Ｖ〜１０ｋＶの間、特に約５００Ｖ〜４０００Ｖである。いくつかの実施形態において、各高電圧パルスは、一般に気道壁Ｗを貫通する約１０００Ｖ〜２５００Ｖであり、上皮細胞などの特定の細胞に対してやや浅く治療を行う又は作用する。いくつかの実施形態において、各高電圧パルスは、一般に気道Ｗを貫通する約２６００Ｖ〜４０００Ｖであり、粘膜下細胞又は平滑筋細胞など、やや深く位置する特定の細胞に対して治療を行う又は作用する。設定電圧４１６は、エネルギの供給方式が単極方式と双極方式のいずれなのかに応じて変化する。いくつかの実施形態において、エネルギは単極方式で送達され、各高電圧パルスは約２０００Ｖ〜３５００Ｖ、より具体的には２５００Ｖである。双極方式の送達の場合、小さい有向電界のため低電圧が使用される。いくつかの実施形態において、エネルギは双極方式で送達され、各パルスは、約１００Ｖ〜１９００Ｖ、具体的には１００Ｖ〜９９９Ｖ、より具体的には約５００Ｖ〜８００Ｖであり、例えば５００Ｖ、５５０Ｖ、６００Ｖ、６５０Ｖ、７００Ｖ、７５０Ｖ、８００Ｖである。
【０２２３】
[00280]  いくつかの実施形態において、設定電圧４１６は、その間のすべての値及びサブ範囲を含む約５０Ｖ〜約４ｋＶ、あるいは約５００Ｖ〜約４ｋＶである。他の実施形態において、設定電圧４１６は、その間のすべての値及びサブ範囲を含む約５００Ｖ〜約５ｋＶでる。
【０２２４】
[00281]  単位時間当たりのパルス数を周波数という。いくつかの実施形態において、信号は１００ｋＨｚ〜１ＭＨｚの周波数を有する。いくつかの実施形態において、信号は、通常気道Ｗを貫通する約１００〜５００ｋＨｚの周波数を有し、粘膜下細胞又は平滑筋細胞など、やや深く位置する特定の細胞に対して治療を行う又は作用する。いくつかの実施形態において、通常気道壁Ｗを貫通する約６００ｋＨｚ〜１ＭＨｚの周波数を有し、上皮細胞などの特定の細胞に対してやや浅く治療を行う又は作用する。３００ｋＨｚ以下の周波数では、望ましくない筋肉刺激が生じる可能性がある。従って、いくつかの実施形態において、信号は、５００〜８００ｋＨｚの周波数、例えば５００ｋＨｚ、５５０ｋＨｚ、６００ｋＨｚ、６５０ｋＨｚ、７００ｋＨｚ、７５０ｋＨｚ、８００ｋＨｚの周波数を有する。特に、いくつかの実施形態において、信号は６００ｋＨｚの周波数を有する。加えて、心臓同期化は通常、望ましくない心筋刺激を低減又は回避することを目的とする。いくつかの実施形態において、二相パルスは、望ましくない筋肉刺激、特に心筋刺激を減少させることを目的とする。信号アーチファクトを最小限に抑える構成要素があれば、さらに高い周波数を用いてもよい。
【０２２５】
[00282]  いくつかの実施形態において、パケット間の時間、つまり休止期間４０６は、その間のすべての値及びサブ範囲を含む約０．１秒〜約５秒に設定され。他の実施形態において、休止期間４０６は、その間のすべての値及びサブ範囲を含む約０．００１秒〜約１０秒である。いくつかの実施形態において、休止期間４０６は約１秒である。具体的には、いくつかの実施形態において、信号を心調律に同期させ、心拍の間に各パケットを送達するので、休止期間が心拍と一致する。心臓同期を利用する他の実施形態において、パケット間の休止期間は、後ろのセクションで説明されるように心臓同期に影響を受けるため、休止期間４０６も変わる。
【０２２６】
[00283]  サイクルカウント４２０は、各パケット内のパルス数である。図１３を参照すると、第１のパケット４０２は、サイクルカウント４２０が２である（つまり、２つの二相性パルスを有する）いくつかの実施形態において、サイクルカウント４２０は、その間のすべての値及びサブ範囲を含むパケットごとに１〜１００に設定される。いくつかの実施形態において、サイクル数４２０は、その間のすべての値及びサブ範囲を含む最大５パルス、最大１０パルス、最大２５パルス、最大４０パルス、最大６０パルス、最大８０パルス、最大１００パルス、最大１０００パルス、又は最大２０００パルスである。
【０２２７】
[00284]  パケット期間はサイクル数によって決まる。サイクル数が多いほど、パケット期間が長くなり、供給エネルギ量も多くなる。いくつかの実施形態において、パケット期間は、約５０〜１００マイクロ秒、例えば５０マイクロ秒、６０マイクロ秒、７０マイクロ秒、８０マイクロ秒、９０マイクロ秒、又は１００マイクロ秒である。
【０２２８】
[00285]  治療中の送達パケット数又はパケットカウントは、その間のすべての値及びサブ範囲を含む１パケット、２パケット、３パケット、４パケット、５パケット、１０パケット、１５パケット、２０パケット、最大５パケット、最大１０パケット、最大１５パケット、最大２０パケット、最大１００パケット、あるいは最大１０００パケットである。いくつかの実施形態において、送達パケット数は５であり、各パケットは１００マイクロ秒のパケット持続時間と、２５００Ｖの設定電圧とを有する。いくつかの実施形態において、送達パケット数は５〜１０であり、各パケットは１００マイクロ秒のパケット持続時間と、２５００Ｖの設定電圧とを有する。これによって、治療効果の均一性が向上される。いくつかの実施形態において、送達パケット数は２０未満であり、各パケットは１００マイクロ秒のパケット持続時間と、２５００Ｖの設定電圧とを有する。これによって、軟骨層ＣＬへの影響を回避する。いくつかの実施形態においては、設定電圧は２５００Ｖ、総エネルギ送達期間は０．５〜１００ミリ秒であり、治療効果に最適である。
【０２２９】
[00286]  いくつかの実施形態において、不感時間４１２は、その間のすべての値及びサブ範囲を含む約０〜約５００ナノ秒で設定される。他の実施形態において、不感時間４１２は、その間のすべての値及びサブ範囲を含む約０〜１０マイクロ秒、約０〜約１００マイクロ秒、約０〜約１００ミリ秒である。いくつかの実施形態において、不感時間４１２は０．２〜０．３マイクロ秒である。
【０２３０】
[00287]  目標組織の望ましい変更を目的とする特定の設定は、互いに及び電極設計に左右される。従って、本明細書に記載の実施形態は特定の波形例を示しており所望の組織効果を得るために任意の組み合わせで複数の波形及び／又は特性を使用することは、本発明の範囲内である。エネルギ信号に対するパラメータの第１の例示的な組み合わせは、周波数６００ｋＨｚ、電圧３０００Ｖ、パケット数１０である。エネルギ信号に対するパラメータの第２の例示的な組み合わせは、周波数６００ｋＨｚ、電圧２５００Ｖ、パケット数５である。エネルギ信号に対する例示パラメータの第３の組み合わせは、周波数６００ｋＨｚ、電圧２３００Ｖ、パケット数２０である。第１の例では、高電圧のため、上皮及び粘膜下組織の治療効果が強化された。第２の例では、電圧が低く、パケット数が少ないため、上皮及び粘膜下組織の治療効果が少なかった。第３の例では、パケット数が多く電圧が低いため、上皮の治療効果は増強し、粘膜下組織の治療効果は低減した。これは、低電圧が、高電圧に比べ、粘膜下腺に対して同様の治療効果を有するほど深く浸透できないことを裏付ける。
【０２３１】
[00288]  図１４は、他のエネルギ送達アルゴリズム１５２が規定する信号の波形例４００を示す。ここでは、２つのパケット、つまり第１のパケット４０２と第２のパケット４０４が図示されており、パケット４０２、４０４は休止期間４０６によって分離されている。本実施形態において、各パケット４０２、４０４は、第１の二相パルス（第１の正ピーク４０８及び第１の負ピーク４１０を含む）と、第２の二相パルス（第２の正ピーク４０８’及び第２の負ピーク４１０’を含む）を有する。第１及び第２の二相パルスは、各パルス間の不感時間４１２によって分離されている。本実施形態において、波形４００は非対称であるので、設定電圧は正ピーク及び負ピークに対して異なる。優勢な正振幅又は負振幅が同じ電荷セル膜電荷電位をより長い期間保持するので、非対称波形は、より一貫した治療効果をもたらす。本実施形態において、第１の正ピーク４０８は、第１の負ピーク４１０の設定電圧４１６’よりも大きい設定電圧４１６を有する。いくつかの実施形態において、非対称はさらに、パルス幅の異なるパルスを含む。いくつかの実施形態において、二相波形は非対称であるため、一方向（つまり、正方向又は負方向）の電圧が他方向の電圧より大きくなる一方、パルス長さを算出すると、偏光解消曲線下面積が小さくなる。過分極の曲線下面積に等しい。あるいは、脱分極及び過分極の曲線下面積は等しくなくてもよい。
【０２３２】
[00289]  図１５は、他のエネルギ送達アルゴリズム１５２が規定する信号の波形例４００を示す。同じく２つのパケット、つまり第１のパケット４０２と第２のパケット４０４が図示されており、パケット４０２、４０４は休止期間４０６によって分離されている。本実施形態において、各パケット４０２、４０４は、第１の単相パルス４３０及び第２の単相パルス４３２を有する。第１及び第２の単相パルス４３０、４３２は、各パルス間で不感時間４１２によって分離されている。単相波形は、同じ電荷セル膜電位がより長い期間保持されるので、より望ましい治療効果が得られる。しかしながら、隣接する筋肉群は、二相波形に比べ、単相波形によってより強く刺激を受ける。
【０２３３】
[00290]  図１６は、他のエネルギ送達アルゴリズム１５２が規定する信号の波形例４００を示す。同じく２つのパケット、つまり第１のパケット４０２と第２のパケット４０４が図示されており、パケット４０２、４０４は休止期間４０６によって分離されている。本実施形態において、各パケット４０２、４０４は、３つの二相パルス４４０、４４２、４４４を含む。さらに、パルス４４０、４４２、４４４は、方形波ではなく正弦波形状である。正弦波は対称波という利点を有する。対称性は不要な筋肉刺激の低減に役立つ。
【０２３４】
[00291]  カテーテル１０２のボタン１６４、又はジェネレータ１０４に操作可能に接続されたフットスイッチ１６８など、様々な機構の作動によってエネルギ送達を行うことができる。そのような作動は、典型的に、同量のエネルギを提供する。エネルギ量は、送達パケット数とパケット電圧によって定められる。気道壁Ｗに供給される各エネルギ量は、壁Ｗ内外の温度を、熱焼灼の閾値、特に基底膜ＢＭの熱焼灼に対する閾値未満に保持する。さらに、エネルギ量は、治療処置中の熱蓄積をさらに低減又は排除できるように、経時的に漸増又は漸減してもよい。エネルギ量は、熱的効果を誘発する代わりに、最終的には健康組織の再生をもたらす、生物学的メカニズム及び細胞効果を誘発するレベルで提供する。
【０２３５】
ＩＩＩ．生物学的メカニズム及び細胞効果
[00292]  前述のように、アルゴリズムは、炎症を軽減又は回避しながら生物学的メカニズムや細胞効果を誘発するレベルで気道壁Ｗにエネルギを提供する。例示的に生物学的メカニズム及び細胞プロセスを本明細書に記載しているが、本例示に限定される訳ではない。
【０２３６】
[00293]  気道壁Ｗに供給されるエネルギは、最終的には健康な肺気道組織の再生をもたらす様々な細胞効果を引き起こす。細胞効果の例としては、気道壁Ｗからの細胞分離（分離された細胞を自然に又は意図された方法により運び去ってもよい）や細胞死（例えば、溶解及びアポトーシス）などによる、特定の細胞型の除去が挙げられる。その他の細胞効果としては、細胞の再プログラミング又は改善薬剤の取り込みを目的とする細胞の調整など、特定の細胞型を除去せず改変することが考えられる。
【０２３７】
[00294]  いくつかの実施形態においては、特定の細胞は、気道壁Ｗからの細胞分離によって除去される。図１７は、エネルギ（矢印２００）が１つ以上のエネルギ送達体によって気道壁Ｗに供給される実施形態を示す。本実施形態において、エネルギ２００は、基底膜ＢＭを超えて広がることなく上皮層Ｅに影響を及ぼすように設定された目標セル深度を有する。エネルギ２００は、特定の上皮細胞、ここでは多列線毛円柱上皮細胞ＰＣＥＣ及び杯状細胞ＧＣを、残りの上皮層（例えば、基底細胞ＢＣ）及び／又は基底膜ＢＭから分離するように構成される。分離された細胞は、肺通路内で自由に移動し、自然の排除プロセスによって、あるいは吸引などの介入方法によって、除去される。
【０２３８】
[00295]  他の実施形態において、特定の細胞は細胞死によって除去され、影響を受けた細胞は溶解又はアポトーシスによって死滅し、最終的に気道壁Ｗから細胞が除去される。図１８は、エネルギ２０２が１つ以上のエネルギ送達体によって気道壁Ｗに供給され、エネルギ２０２が、基底膜ＢＭを超えて広がることなく上皮層Ｅに影響を及ぼすように設定された目標セル深度を有する実施形態を示す。しかし、本実施形態において、エネルギ２０２は、特定の上皮細胞、ここでは多列線毛円柱上皮細胞ＰＣＥＣ及び杯状細胞ＧＣを死滅させ（破線を参照）、他の細胞（例えば基底細胞ＢＣ）を保持するように構成される。細胞死をもたらすメカニズムは多様である。例えば、いくつかの実施形態において、細胞死は細胞膜の破壊によって起こる。本実施形態において、送達エネルギは、細胞膜が細胞のバリア機能を維持することができないように細胞膜の脂質二重層を破壊する。原形質膜がなければ、細胞は、ナトリウム、カリウム、カルシウム、アデノシン三リン酸（ＡＴＰ）の細胞内濃度を適切に維持することができない。その結果、細胞は恒常性を失い死滅する。いくつかの実施形態において、細胞死は細胞小器官の破壊によって起こる。本実施形態において、送達エネルギは、細胞小器官の機能を永久的に妨げる。本細胞小器官には、小胞体、ゴルジ体、ミトコンドリア、核、核小体などが含まれる。これらの細胞小器官が正常に機能できなければ、細胞は死滅する。一例では、細胞膜と細胞小器官の両方が送達エネルギの目標となることが理解され得る。従って、送達エネルギが細胞膜又は細胞小器官に対して部分的な影響しか及ぼさない場合、両方の目標に対する累積的な影響が最終的に細胞死をもたらすであろう。
【０２３９】
[00296]  細胞死後、炎症カスケードが起こる。細胞断片及び細胞内の内容物は、白血球及びマクロファージに、気道壁Ｗの患部に入るように信号を送る。数時間から数日にわたって、死滅細胞は食作用によってその領域から除去される。細胞外マトリックスを損傷する熱焼灼とは異なり、食作用は細胞の残骸に限定され、細胞外マトリックスのコラーゲンやマトリックス成分には限定されない。
【０２４０】
[00297]  いくつかの実施形態において、特定の細胞は除去されず、むしろ目標細胞は、再プログラミングなど修飾又は作用を受ける。例えば、いくつかの実施形態において、杯状細胞ＧＣにおいて、蓄積粘液の分泌能、又は粘液生成能が変化する。あるいは、修飾により多列線毛円柱上皮細胞ＰＣＥＣの繊毛Ｃが機能を回復し、より良好に気道へ粘液を排出できるようになる。他の実施形態において、多列線毛円柱上皮細胞ＰＣＥＣ及び杯細胞ＧＣは変化しないが、深度のより高い構造が主に影響を受け、平滑筋肥大の低減、慢性炎症細胞及び好酸球の中和などの効果をもたらす。
【０２４１】
[00298]  細胞除去又は細胞修飾のいずれが行われるかに関わらず、気道壁Ｗは再生し、正常な機能を回復する。一例では、上皮細胞は処置前状態に再生されるが、平滑筋ＳＭ、好酸球、粘膜下腺ＳＧ、慢性炎症細胞を含む、高深度の細胞は永久的に減少する。
【０２４２】
[00299]  前述のように、組織の所定の深度まで影響を及ぼすように、及び／又は気道壁内の特定の細胞型を目標とするように、アルゴリズムを調整することができる。例えば、様々なアルゴリズムが、粘液層Ｍ、上皮層Ｅ、基底膜ＢＭ、固有層ＬＰ、平滑筋細胞ＳＭ、粘膜下組織、粘膜下腺ＳＧ、神経Ｎ、あるいはこれらの組み合わせを特に対象とする。一実施形態において、アルゴリズムは、気道壁Ｗの上皮層Ｅから基底膜ＢＭまで貫通するエネルギを生成するように構成される。本実施形態において、様々な細胞型が目標となる。例えば、エネルギは、基底細胞ＢＣを残し、多列線毛円柱上皮細胞ＰＣＥＣ及び杯状細胞ＧＣを目標として、これらの細胞を除去させるように構成されてもよい。本実施形態において、気道壁Ｗは、粘液の過剰分泌を引き起こす、機能不全異常状態の多列線毛円柱上皮細胞ＰＣＥＣ及び過形成異常杯細胞ＧＣを有する。送達エネルギは、異常多列線毛円柱上皮細胞ＰＣＥＣ及び杯細胞ＧＣを、細胞死や剥離などによって除去し、基底細胞ＢＣは、基底膜ＢＭに沿って無傷のまま残す。多列線毛円柱上皮細胞ＰＣＥＣと杯状細胞ＧＣは、密着結合ＴＪと接着結合ＡＪにより連結されていることを思い出されたい。さらに、多列線毛円柱上皮細胞ＰＣＥＣ及び杯状細胞ＧＣは、接着斑Ｄによって基底細胞ＢＣに連結されている。いくつかの実施形態において、エネルギは、密着結合ＴＪ及び接着結合ＡＪ、さらに接着斑Ｄを打ち抜き、多列線毛円柱上皮細胞ＰＣＥＣ及び杯細胞ＧＣを除去する。同様に、エネルギは、基底細胞ＢＣを基底膜１２６に連結する半接着斑Ｈを保持するように構成されてもよい。従って、基底細胞ＢＣは無傷のまま残る。
【０２４３】
[00300]  多列線毛円柱上皮細胞ＰＣＥＣ及び杯細胞ＧＣの除去は、様々なメカニズムによって粘液生産及び粘液分泌の減少することができる。例えば、この除去は、ムチンにみられるタンパク質の発現をもたらす信号伝達機構を弱め、それによって粘液生産が減少する。特に、Ｍｕｃ５ａｃは、気道杯細胞ＧＣのムチンにみられるタンパク質であり、ＭＵＣ５ＡＣ遺伝子によってコード化される。Ｍｕｃ５ａｃ発現に関与する様々な配位子や転写因子が挙げられる。インターロイキン−１３は、インターロイキン−４Ｒαサブユニットを含む受容体に結合し、Ｊａｎｕｓキナー１（Ｊａｋ１）を活性化し、Ｓｔａｔ６のリン酸化を引き起こす。ＭＵＣ５ＡＣ及びＭｕｃ５ａｃプロモータは共通Ｓｔａｔ６結合部位を持たないが、Ｓｔａｔ６活性化はＳＰＤＥＦ（ＳＡＭ尖頭ドメイン含有Ｅｔｓ転写因子）の発現増加をもたらし、粘膜化生に関与する複数の遺伝子を上方制御し、Ｆｏｘａ２の発現を阻害する。その結果、Ｍｕｃ５ａｃが負の調節を受ける。上皮成長因子、トランスフォーミング増殖因子α、アンフィレグリン、ニューレグリンを含む配位子が、マイトジェン活性化プロテインキナーゼ（ＭＡＰＫ）を活性化するＥｒｂＢ受容体に結合する。酸素誘導因子１（ＨＩＦ−１）もまた、ＥｒｂＢ受容体の下流で活性化する。近位のＭＵＣ５ＡＣ及びＭｕｃ５ａｃプロモータには、ＨＩＦ−１結合部位が保存されている。補体Ｃ３及びβ２−アドレナリン受容体の信号伝達もＭｕｃ５ａｃ生産を増幅する。Ｓｏｘ２、Ｎｏｔｃｈ、Ｅ２ｆ４、及びＭａｔｈなどの転写因子は、主に発現を調節する。
【０２４４】
[00301]  多列線毛円柱上皮細胞ＰＣＥＣ及び杯細胞ＧＣを細胞死又は剥離により除去する場合、Ｍｕｃ５ａｃ発現をもたらす信号伝達機構は弱められる。そのため、粘液は生成されず、気道の粘液が減少する。これは、ＣＯＰＤ（慢性気管支炎、肺気腫）、喘息、間質性肺線維症、嚢胞性線維症、気管支拡張症、急性気管支炎、他の肺疾患又は肺障害を有する患者には有益な効果といえよう。
【０２４５】
[00302]  上皮細胞の除去はまた、様々なメカニズムによって粘液分泌を減少させる。特に、粘液生産杯細胞ＧＣが除去されると、粘液を気道に分泌する細胞を残さない。粘液の分泌は、ムチンエキソサイトーシスの分子メカニズムによって引き起こされる。ムチン含有分泌顆粒は、原形質膜に固定されたシンタキシンの閉鎖立体配座を結合するＭｕｎｃ１８へのテザーとして作用するエフェクタタンパク質と、顆粒結合Ｒａｂタンパク質との相互作用によって、原形質膜にドッキングする。ＡＴＰがＧｑに結合したＰ２Ｙ２プリン作動性受容体（Ｐ２Ｙ２Ｒ）に結合してホスホリパーゼＣ（ＰＬＣ）を活性化すると分泌が引き起こされ、その結果、二次メッセンジャのジアシルグリセロール（ＤＡＧ）及びイノシトール三リン酸（ＩＰ３）を生成する。ＤＡＧはＭｕｎｃ１３１４を活性化してシンタキシンを開き、顆粒及び原形質膜を一緒に引き込む、ＳＮＡＰ−２３（シナプトソーム関連タンパク質２３）とＶＡＭＰ（小胞関連膜タンパク質）との４ヘリックスＳＮＡＲＥ（可溶性Ｎ−エチルマレイミド感受性因子結合タンパク質受容体）複合体を形成することができる。ＩＰ３は小胞体（ＥＲ）においてＩＰ３受容体（ＩＰ３Ｒ）からのカルシウムの放出を誘導し、シナプトタグミンを活性化してＳＮＡＲＥ複合体の最終的なコイル形成を誘導し、その結果、膜の融合及びムチンの放出をもたらす。
【０２４６】
[00303]  上皮細胞を除去すると、ムチンエキソサイトーシスを引き起こす信号伝達機構は弱められる。そのため、分泌される粘液は少なくなり、気道の粘液が減少する。これはＣＯＰＤ（慢性気管支炎、肺気腫）、喘息、間質性肺線維症、嚢胞性線維症、気管支拡張症、急性気管支炎、他の肺疾患又は肺障害を患う患者には有益な効果といえよう。
【０２４７】
[00304]  いくつかの実施形態において、基底膜ＢＭ上に残された基底細胞ＢＣは、正常杯細胞ＧＣ及び正常多列線毛円柱上皮細胞ＰＣＥＣを再生することができ、それによって、疾患の逆リモデリングが触発され、粘液の過剰分泌が低減する。いくつかの実施形態において、多列線毛円柱上皮細胞ＰＣＥＣは、気道壁Ｗの周囲領域からの移動によりさらに増殖して、目標領域における健康組織の再生を補助する。杯細胞ＧＣは通常、エネルギ印加前に存在する軽度、中程度、重度の杯細胞過形成と比べると、低いレベルで再生する。新規再生杯細胞ＧＣは粘液の生産性が非常に低い。新規再生多列線毛円柱上皮細胞ＰＣＥＣは正常に機能する繊毛Ｃを再生し、粘液Ｍをより容易に排出する。これにより、正常な健康組織は処置から数日以内に再生され、患者の咳嗽や粘液の過剰分泌などの症状が劇的に減少し、その結果、増悪が減少し生活の質が向上する。
【０２４８】
[00305]  他の実施形態において、エネルギは、細胞死又は剥離などによって除去される異常杯状細胞ＣＧを目標とし、多列線毛円柱上皮細胞ＰＣＥＣ及び基底細胞ＢＣは残すように構成されてもよい。異常杯細胞ＣＧの除去は、上記のメカニズムによって、粘液生産及び／又は粘液分泌の減少をもたらす。同様に、エネルギが、細胞死又は剥離などによって除去される異常多列線毛円柱上皮細胞ＰＣＥＣを目標とし、杯細胞ＣＧ及び基底細胞ＢＣは残すように構成されてもよい。同様に、エネルギが、細胞死又は剥離などによって除去される異常基底細胞ＢＣを目標とし、多列線毛円柱上皮細胞ＰＣＥＣ及び杯細胞ＧＣは残すように構成されてもよい。上記の細胞除去を如何に組み合わせようが、残りの細胞は、送達エネルギによって、又はその後の送達エネルギによって、さらに修飾や作用の対象となる。例えば、残された異常杯細胞ＣＧは、無傷のまま修飾され、粘液生産及び／又は粘液分泌の減少をもたらすようになる。細胞集団は部分的に除去されてもよく、特定の細胞型の細胞一部は送達エネルギによって除去され、残りは必要によって修飾される。
【０２４９】
[00306]  他の実施形態において、アルゴリズムは、基底膜ＢＭまで気道壁Ｗの上皮層Ｅを貫通するエネルギを生成するように構成される。本実施形態において、上皮層Ｅの変化は上記のように起こる。さらに、基底膜ＢＭは、気道壁Ｗを健康状態にリモデリングすることを補助するために送達エネルギによって影響を受ける。いくつかの実施形態において、基底膜ＢＭに変化が生じ、基底膜ＢＭの膜厚が安定化するか、あるいは減少する。基底膜ＢＭの肥厚は、慢性気管支炎及び喘息を含む多くの肺疾患の特徴の一つである。従って、送達エネルギは、そのような肥厚の停止又は逆転を目的に基底膜ＢＭを目標としてもよい。いくつかの実施形態において、基底膜ＢＭのこのような変化は、好中球などの細胞やサイトカインなどの炎症性分子の、基底膜ＢＭに対する通過能に影響を及ぼし、したがって健康気道壁Ｗの再生を補助する。
【０２５０】
[00307]  いくつかの実施形態において、アルゴリズムは、気道壁Ｗの上皮層Ｅを貫通し、基底膜ＢＭを超えるエネルギを生成するように構成される。基底膜ＢＭの後ろにある気道壁Ｗの構成層は、肺通路に沿った解剖学的構造の変動に応じて位置を変える。例えば、平滑筋層ＳＭの位置は、肺通路の長さに沿って変わるが、基底膜ＢＭとの隣接位置から固有層ＬＰの下方までの範囲である。従って、特定の肺通路分節に対して、気道壁Ｗから選ばれた層を目標とし、送達エネルギを滴定する。例えば、平滑筋層ＳＭの特定位置に影響を及ぼすように、アルゴリズムを選択又は調整することができる。平滑筋肥大は、慢性気管支炎、喘息、及び気道過敏性をもたらす他のいくつかの気道疾患を含む、多くの肺疾患の特徴である。いくつかの実施形態において、送達エネルギは、平滑筋細胞の細胞死を誘導する。これによって、気道過敏症が低減され、望ましい気管支拡張効果が得られる。
【０２５１】
[00308]  いくつかの実施形態において、粘膜下腺ＳＧに影響を及ぼすようにアルゴリズムを選択又は調整する。粘膜下腺は、罹患気道において粘液を過生産及び過剰分泌する。いくつかの実施形態において、送達エネルギは粘膜下腺ＳＧの細胞死を誘導する。粘膜下腺ＳＧが減少すると、気道の粘液が減少し、患者の転帰が改善する。
【０２５２】
[00309]  いくつかの実施形態において、送達エネルギが固有層ＬＰに影響を与えるようにアルゴリズムを選択又は調整する。固有層ＬＰは緩い結合組織を有する。粘膜固有層ＬＰの結合組織及びマトリックス構造は非常に高い圧縮性と弾性を持ち合わせており、それによって肺通路の拡張が可能になる。さらに、緩い構造は多くの細胞型の存在を可能にする。固有層ＬＰの細胞集団は多種多様であり、例えば、線維芽細胞、リンパ球、形質細胞、マクロファージ、好酸球性白血球及び肥満細胞が含まれる。気道疾患を患う患者はよく慢性炎症、具体的にはリンパ球やマクロファージの集団が増加する。いくつかの実施形態において、送達エネルギは、炎症性細胞、特にリンパ球、マクロファージ及び／又は好酸球の量を減少させ、それによって炎症を低減させる。そのようなエネルギは、細胞外マトリックスを維持しながら、細胞死などによって、固有層ＬＰから細胞を除去する。マトリックス構造を維持することで、幹細胞及び／又は他の細胞はマトリックスを再増殖させて健康組織を形成することができる。これは、細胞外マトリックスを含む気道壁Ｗの層が、例えば層の融解や崩壊よって恒久的に変化する、線維症又は他の瘢痕形成メカニズムとは対照的である。加えて、軟骨層ＣＬは損傷を受けないので、気道の構造的完全性を維持し、崩壊を防止することができる。
【０２５３】
[00310]  従って、１つ以上のアルゴリズムを使用してエネルギを供給し、気道壁Ｗの１つ以上の層に影響を与えてもよい。エネルギは気道壁Ｗの特定の深度まで貫通し、壁Ｗの表面から特定の深度まで延在する様々な層に作用する。あるいは、エネルギは、周囲の層に影響を及ぼすことなく特定の深度にて細胞に作用するように構成されてもよい。細胞に及ぼす影響としては、細胞死又は細胞剥離による細胞除去、あるいは、細胞の特定機能を変化させる細胞修飾が挙げられる。一例では、同じ種類、又は同じ層内の細胞の一部だけが、送達エネルギによって影響を受ける。任意選択で、同じ又は異なるアルゴリズムのいずれかを利用して、追加エネルギを送達し、同じ種類、又は同じ層内の細胞のうち大きい部分又は全体に作用してもよい。あるいは、同じ又は異なるアルゴリズムのいずれかを利用し、追加のエネルギを供給して影響を増大させることができる。例えば、追加エネルギは、修飾細胞から細胞を除去する。またさらに、同じ又は異なるアルゴリズムを適用し、追加エネルギを送達して、気道壁の異なる部分又は異なる深度に影響を及ぼす。
【０２５４】
[00311]  細胞の除去又は修正を行う実際のメカニズムは、例えば、アルゴリズム１５２、エネルギ送達体１０８、患者の解剖学的構造などに左右される。いくつかの実施形態において、細胞は、誘電泳動によって除去される（例えば分離される）。
【０２５５】
[00312]  誘電泳動は、不均一の印加電界の影響下における粒子の移動を表す。誘電泳動運動は、印加電界によって粒子内に誘導された電荷の大きさや極性によって決まる。粒子内に誘起される双極モーメントは、粒子境界における等しい、且つ反対の電荷の発生によって表すことができる。誘導映動は、粒子表面全体に均一に分布していないので、巨視的双極子を形成する。印加電界は不均一であるため、局所電界及び粒子の両側に発生する力は異なる。従って、周囲の媒体に対する粒子の相対分極率に応じて、内側電極及び高電界領域（正の誘電泳動）に向かって、あるいは、外側電極及び低電界領域（負の誘電泳動）に向かって移動するように誘導される。誘電泳動力は、細胞体積及び分極、周囲の媒体の導電率及び誘電率、並びに発生電界の大きさの頻度、空間勾配の関数である。
【０２５６】
[00313]  いくつかの実施形態において、多列線毛円柱上皮細胞ＰＣＥＣ及び杯細胞ＧＣなどの異常上皮細胞の除去は、エネルギ送達体１０８によって送達される１つ以上のエネルギパルスによって誘導された誘電泳動の結果である。特に、いくつかの実施形態において、上皮層Ｅを誘電泳動の作用によって分離し、異常多列線毛円柱上皮細胞ＰＣＥＣ及び杯細胞ＧＣを固定基底細胞ＢＣから引き離し、気道壁Ｗから除去する。基底細胞ＢＣは半接着斑Ｈによって基底膜ＢＭに連結され、基底細胞ＢＣは接着斑Ｄを介して杯細胞ＧＣ及び繊毛上皮細胞ＥＣに連結されることに注目されたい。エネルギパラメータと電極構成につき、接着斑Ｄによる連結を分離する代わりに半接着斑Ｈはそのまま残る。それによって、表面細胞は除去され、基底細胞ＢＣはほぼ損傷を受けずそのまま残り、上皮を再生する準備に入る。
【０２５７】
[00314]  図１９は、誘電泳動効果による上皮細胞の除去を概略的に図示する。ここで、エネルギ送達本体１０８を有するカテーテル１０２の実施形態の遠位部分は、肺通路内に位置する。破線で図示した電界線からも分かるように、エネルギ２０４がエネルギ送達体１０８から送達される。エネルギ送達体１０８の形状、及び患者Ｐの皮膚に外部から適用される対極板１４０の位置決めにより、電場は不均一となる。本実施形態において、エネルギ送達体１０８は正に帯電している。これは電界の最も強く／最も集中している極である。対極板１４０は負に帯電しており、電界の最も弱い極である。その結果、不均一な電界は、気道壁Ｗからの上皮細胞（例えば、多列線毛円柱上皮細胞ＰＣＥＣ及び杯状細胞ＧＣ）の分離や変位を誘導する（下向きの矢印を参照されたい）。上皮細胞はその後、自然に又は意図されたメカニズムによって除去される。
【０２５８】
[00315]  いくつかの実施形態において、細胞に対して、電気穿孔法などや他のメカニズムにより、除去又は修飾を行う。可逆的電気穿孔法は、短い高電圧パルスが細胞膜電圧を増加させる強電界を発生させ、細胞膜（例えば、原形質膜）に孔を形成する非熱的技術である。これらの孔により、化学物質、ＤＮＡ、及び／又は他の薬剤を細胞に導入することができる。従って、いくつかの実施形態において、可逆的電気穿孔法を用いて、例えば気道壁Ｗ内の細胞を修飾し、また例えば薬物や薬剤の取り込みを増やす。不可逆的電気穿孔法（ＩＲＥ）は、短い高電圧パルスが細胞膜電圧を増加させる強い電界を発生させ、実質的なタンパク質変性なしに、細胞膜（例えば、原形質膜）に孔を形成させ、細胞の壊死を誘発する非熱焼灼術である。従っていくつかの実施形態において、細胞死によって細胞を除去するために、不可逆的電気穿孔法を使用することができる。いくつかの実施形態において、誘電泳動と電気穿孔法の組み合わせなどのメカニズムの組み合わせによって、細胞を除去、又は修飾する。
【０２５９】
[00316]  気道壁Ｗの組織細胞の影響を及ぼす代わりに又はそれに加えて、送達エネルギは気道壁Ｗの内部又は付近に存在する病原体に作用してもよい。病原体の種類に特に限定はなく、例えば、細菌（例えばインフルエンザ菌、肺炎レンサ球菌、モラクセラ・カタラーリス、黄色ブドウ球菌、緑膿菌、バークホルデリア・セパシア、日和見性グラム陰性桿菌、肺炎マイコプラズマ）、ウイルス（ライノウイルス、インフルエンザ／パラインフルエンザウイルス、呼吸器合胞体ウイルス、コロナウイルス、単純ヘルペスウイルス、アデノウイルス）、その他の生物（例えば真菌）が挙げられる。
【０２６０】
[00317]  いくつかの実施形態において、肺組織改変システム１００は、追加的又は代替的に患者の気道の内腔内（例えば、粘液層Ｍ内）又は気道壁Ｗの組織層内に見られる病原体に影響を及ぼし、感染を管理、削減、及び／又は排除する。いくつかの実施形態において、システム１００からのエネルギ出力は、粘液層Ｍ及び気道内又は気道近くに存在する可能性がある、あらゆる病原体に影響を及ぼす。粘液層Ｍは、粘性が低くなり、したがって患者が咳嗽を介して排出することを容易にする。病原体は死滅する（例えばアポトーシス）ように死滅又はプログラムされてもよく、それによって感染を減少又は排除する。
【０２６１】
[00318]  いくつかの実施形態において、ステム１００は、目標病原体に対する抗体又は他の共生及び支持免疫応答を開発し、将来の免疫及び将来のその病原体に対する耐性を向上させることにおいて患者を支援する。システム１００は実質的に非熱的に病原体に影響を及ぼし、細胞死をもたらすので、細胞断片は依然としてタンパク質を含む。無傷のタンパク質が局所環境及び循環中に放出されるにつれて、免疫系はこれらの課題に対する監視、認識及び脅威反応の新しい方法を開発し、将来的にそれらの課題又は病原体からの宿主防御を増強する。
【０２６２】
[00319]  前述のように、エネルギ信号パラメータは、異なる侵入深度などの異なる効果を引き起こすように操作される。一例では、システム１００は、粘液層Ｍ及び任意の常在病原体のみが罹患するように構成することができる。一例では、上皮層Ｅの分離が起こる。一例では、システム１００は、単一のエネルギ送達アルゴリズムを介して上皮層Ｅの分離が起こり、病原体が影響を受け、及び／又はより深い構造が影響を受けるように構成することができる。一例では、ジェネレータは、格納された様々なエネルギ送達アルゴリズムを有することができ、ユーザは、個々の患者に施す治療の調整にこれらのアルゴリズムのうち２つ以上を適用することができる。これは、個々の患者のニーズに対処するために、単一の治療セッション又は複数の治療セッションで行われる。
【０２６３】
[00320]  一例では、平滑筋細胞ＳＭ粘膜下腺ＳＧ及び／又は神経Ｎを含むより深い細胞に影響を及ぼすことが望ましい。患者の病理は、上皮Ｅによって引き起こされる粘液過剰分泌よりも複雑であり、従って処置はより深い構造に影響を及ぼすことを意図してのものである。気道平滑筋細胞ＳＭは気管支過敏性に寄与することが知られており、粘膜下腺ＳＧは重度の粘液過剰分泌に寄与し得、そして神経Ｎは粘膜下腺ＳＧ及び気道平滑筋ＳＭの両方を神経支配する。あるいは、喘息と慢性閉塞性肺疾患（ＣＯＰＤ）（例：喘息−ＣＯＰＤ重複症候群）などの複合病態の患者は、何らかのメカニズム（例：粘液過剰分泌、平滑筋肥大、繊毛機能障害、及び／又は）を目標とする手技から恩恵を受けることができる、など）及び／又は目標組織。エネルギ線量は、上皮Ｅの深部の構造に影響を及ぼすように滴定することができる（例えば、センサ及び／又は他のフィードバックに基づいて繰り返し修正することができる）。一例では、エネルギ線量が増加すると、粘膜下腺ＳＧは軽度の部分膜溶解を受ける。又は構造上の整合性が大幅に失われる。独特かつ熱エネルギとは異なり、上皮Ｅと粘膜下腺ＳＧとの間に位置する細胞層である固有層ＬＰは変化しないままである。熱エネルギ源は細胞外マトリックスの構造に有意な変化を引き起こし、そして線維症を引き起こす。
【０２６４】
[00321]  粘膜下腺ＳＧに加えて、平滑筋ＳＭは、投与量に応じて、焦点の変化から消滅までの範囲であり、数日から数週間にわたって上皮Ｅの除去を引き起こす。気道壁内の最も深い構造である軟骨層ＣＬは、エネルギによる影響を受けず、炎症又は壊死の兆候を示さず、絶縁性の障壁として作用する。
【０２６５】
ＩＶ．センサ
[00322]  いくつかの実施形態において、１つ以上のシステム又は組織パラメータを測定するために、１つ以上のセンサ１６０がシステム１００に含まれる。例示的なセンサ１６０は、温度センサ、インピーダンスセンサ、抵抗センサ、表面コンダクタンスセンサ、膜電位センサ、静電容量センサ、及び／又は力／圧力センサ、あるいはそれらの組み合わせを含む。従って、センサ１６０によって測定されるパラメータは、数例を挙げると、インピーダンス、膜電位又は静電容量、及び／又は温度を含むことができる。センサ１６０は、とりわけ、（ａ）基準測定値を得ること、（ｂ）エネルギの送達中にパラメータを測定すること、及び／又は（ｃ）エネルギ送達後のパラメータを測定することのために使用される。
【０２６６】
[00323]  センサ１６０は、エネルギ送達体１０８上の、エネルギ送達体１０８に隣接して、又はカテーテル１０２の遠位部分に沿った任意の適切な位置に位置決めすることができる。温度センサは、電極及び／又は電極／組織界面の温度を監視することができる。インピーダンスセンサは、２つの電極にわたる組織のインピーダンスを監視することができる。コンダクタンスセンサは、任意の２つの電極を横切る電気エネルギの伝達を監視することができる。力／圧力センサは、電極が組織にかける力又は圧力の量を監視することができる。
【０２６７】
[00324]  このセンサ情報は、非限定的な例として、エネルギ供給体１０８の適切な展開を決定し、治療アルゴリズム１５２を駆動し、及び／又は安全上の理由でエネルギ供給を停止するためにシステムへのフィードバックとして使用できる。センサ１６０は、適切な治療が達成されたときに感知するためにも使用される。ジェネレータ１０４内のアルゴリズム１５２はまた、検出されたデータを使用して、目標組織治療が達成されるように治療用アルゴリズム１５２を自動的に滴定することができる。言い換えれば、治療アルゴリズムの１つ以上のパラメータ及び／又は態様は、センサデータに基づいて反復的に修正することができる。例えば、いくつかの実施形態において、電力及び／又はエネルギ持続時間は、センサデータに基づいて増減することができる。
【０２６８】
Ａ．インピーダンスセンサ
１．エネルギ送達体の適切な位置の確保
[00325]  いくつかの実施形態において、エネルギ送達体１０８が肺の気道に適切に挿入され展開されているか否かを判断するために、１つ以上のインピーダンスセンサが使用される。いくつかの実施形態において、短時間の低電圧信号が、それらの位置決め及び気道の目標領域内での展開／拡張中にエネルギ送達体１０８に送達される。１つ以上のインピーダンスセンサからジェネレータ１０４によって受信された測定された電流フィードバックに基づいて、ジェネレータのプロセッサ１５４は、インピーダンスを計算するために設定電圧及び実際の電流を使用して計算を実行する。次いで、計算されたインピーダンスは、適切に挿入され配備されたエネルギ送達体１０８にとって許容可能と考えられるインピーダンス値と比較される。計算されたインピーダンスが許容可能なインピーダンスの範囲外である場合、ジェネレータ１０４は特定のメッセージを表示し及び／又はオペレータに警告する特定の音を発する。例えば、エネルギ送達体１０８が依然として気管支鏡１１２内にある場合、ジェネレータ１０４は許容範囲外の非常に高いインピーダンスを測定することがある。そのような場合、ジェネレータは、オペレータがエネルギ伝達体１０８をインピーダンスが著しく低く許容範囲内にある気道内に再位置決めするまでメッセージ（例えば、電極位置の確認）を表示することができる。この時点で、メッセージは変化し得る（例えば、準備完了）。
【０２６９】
[00326]  温度、力又は圧力センサなどの他の種類のセンサを、治療の開始前に電極と組織との接触を確認するために追加的又は代替的に使用することができる。電極と気道の壁との間の十分な接触が効果的な治療のための重要な要素である。電極から組織へのエネルギを十分に結合し、そして所望の組織効果を達成するために、強固で一貫した接触が望ましい。
【０２７０】
２．カテーテルの機能確保
[00327]  いくつかの実施形態において、カテーテル１０２が機能的であるか潜在的に欠陥があるか否かを判定するために１つ以上のインピーダンスセンサが利用される。本実施形態において、短時間の低電圧信号（例えば、１〜５パケットの持続時間、及び約５００Ｖの電圧を有する信号）が、それらの位置決め及び目標領域内での展開／拡張中にエネルギ送達体に送達される。ジェネレータ１０４によって受信された測定された電流フィードバックに基づいて、ジェネレータのプロセッサ１５４は、インピーダンスを計算するために設定電圧及び実際の電流を使用して計算を実行する。計算されたインピーダンスは、適切に機能しているカテーテルにとって許容可能と考えられるインピーダンス値と比較される。計算されたインピーダンスが許容可能なインピーダンスの範囲外である場合、ジェネレータ１０４は任意選択的に特定のメッセージを表示し、及び／又はオペレータに警告する特定の音を発する。例えば、カテーテルに欠陥があると、インピーダンスは非常に高くなる。本実施形態において、ジェネレータ１４はメッセージ（例えば「カテーテル交換」）を表示する。一旦交換されると、ジェネレータ１０４は、許容範囲内のはるかに低いインピーダンスを検出し、別のメッセージ（例えば、「位置カテーテル」）を表示することができる。従って、インピーダンス測定は、機能不全のカテーテルを検出することによって安全上の問題を回避するために使用することができる。
【０２７１】
３．エネルギアルゴリズムの修正
[00328]  いくつかの実施形態において、どのエネルギ送達アルゴリズム１５２を適用するか、及び／又は目標位置に追加のエネルギを適用する必要性を定義するために、エネルギを適用する前後にインピーダンス測定を行うことができる。いくつかの実施形態において、治療前インピーダンス測定値を使用して、様々な信号パラメータの設定を決定することができる。他の実施形態において、エネルギ送達アルゴリズムを調整すべきか否かを判定するためにセンサを使用することができる。
【０２７２】
[00329]  いくつかの実施形態において、インピーダンス測定は以下のように行われる。肺通路内の目標領域に位置決めされると、短期間の低電圧信号がジェネレータ（例えばジェネレータ１０４）を介してエネルギ送達体１０８に送達される。ジェネレータ１０４によって受信された測定された電流フィードバックに基づいて、ジェネレータ１０４は、インピーダンスを計算するために設定電圧及び実際の電流を使用して計算を実行する。計算されたインピーダンスは、測定されたインピーダンスに対して許容可能であると考えられるインピーダンス値と比較される。次いで、エネルギ送達アルゴリズム１５２は、測定されたインピーダンスに基づいて修正又は調整される。調整することができるパラメータは、電圧、周波数、休止期間、サイクル数、不感時間、パケット数又はパケット数、あるいはそれらの組み合わせを含むが、これらに限定されない。従って、フィードバック制御ループは、測定された１つ以上のシステム又は組織パラメータに基づいてエネルギ送達のパラメータを修正するように構成することができる。
【０２７３】
[00330]  いくつかの実施形態において、組織の電気的特性を監視するために１つ以上のインピーダンスセンサが使用される。インピーダンス値は組織状態の指標と見なすことができる。いくつかの実施形態において、インピーダンススペクトルを提供するために、インピーダンスは異なる周波数で測定される。このスペクトルは、インピーダンスの周波数に依存する、又は無効な成分を特徴付ける。組織には抵抗成分と反応成分の両方がある。これらは複素インピーダンスの成分である。リアクタンスは組織の静電容量とインダクタンスを含むインピーダンスの周波数依存成分である。組織の状態が変化すると、全体的なインピーダンスが変化するだけでなく、複素インピーダンスの抵抗成分又は反応成分が変化する。複素インピーダンスの測定は、２つの電極間の低電圧検知信号の伝導を含む。信号は、正弦波を含み得るがこれに限定されない。抵抗又はリアクタンスの変化を含む複素インピーダンスの変化は、治療された組織の状態を反映する可能性があるため、治療が組織に影響を及ぼし、組織には影響を及ぼさないこと、又は治療が完了することを示す。インピーダンス値はまた、センサと気道組織との間の接触状態に応じて変化する。このようにして、電極と組織との間の接触状態を決定するためにセンサを使用することもできる。
【０２７４】
[00331]  一例は、ジェネレータ１０４は、目標位置でのさらなるエネルギ送達が必要とされないことをユーザに指示する。任意選択で、ジェネレータ１０４は、特定のメッセージを表示し、及び／又はどのエネルギ送達アルゴリズム１５４が選択されたか、又はその目標位置で治療が完了したことに関してオペレータに警告する特定の音を発する。従って、ジェネレータ１０４は、特定の測定インピーダンスに対して適切なアルゴリズムを自動的に選択するか、又は治療が完了したと判定された場合にエネルギ信号の伝達を遮断するように構成することができる。さらに、インピーダンス又は他のセンサを使用して、安全上の懸念から治療を自動的に中止すべきであると判断することができる。
【０２７５】
Ｂ．温度センサ
[00332]  いくつかの実施形態において、１つ以上の温度センサを使用して、治療中に電極及び／又は組織の温度を測定し、組織に蓄積されたエネルギが臨床的に有意な組織加熱を引き起こさないようにする。いくつかの実施形態において、電極又はその付近で測定された温度はまた、治療前に電極と組織との間の接触状態を決定するためにも使用される。これは、熱を発生させるのに十分であるが実質的な熱的損傷を引き起こすには不十分なレベルでエネルギを加えることによって達成することができる。電極が気道壁に押し付けられているか、気道内腔内を移動しているか、又は浮遊しているかに応じて、温度はその定常状態値又はその変動性において異なる。
【０２７６】
[00333]  いくつかの実施形態において、組織と接触し、組織が所定の安全閾値を超えて加熱されないようにするために、１つ以上のエネルギ送達体１０８の表面に沿って１つ以上の温度センサが配置される。従って、治療中に組織の温度を監視するために１つ以上の温度センサを使用することができる。一実施形態において、温度が閾値（例えば、４０℃、４５℃、５０℃、６０℃、６５℃）値を超えて上昇するなど、所定の基準を満たす温度変化は、測定された温度を下げる、又は予め設定された閾値より下に温度を下げるためのエネルギ供給パラメータ（例えば、アルゴリズムの修正）。調整には、休止期間又は不感時間の増加、又はパケット数の減少が含まれるが、これらに限定される訳ではない。調整は、パラメータの百分率を考慮する所定の段階的なアプローチ、あるいは他の方法により実現できるプロセスの一例である。
【０２７７】
[00334]  他の実施形態において、１つ以上の温度センサが組織及び／又は電極の温度を監視し、所定の閾値温度を超えると（例えば６５℃）、ジェネレータ１０４はアルゴリズムを変更してエネルギ供給を自動的に停止する。例えば、安全閾値が６５℃に設定され、ジェネレータ１０４が温度安全閾値を超えているという１つ以上の温度センサからのフィードバックを受信する場合、治療は自動的に停止される。
【０２７８】
Ｃ．電極接触を監視するセンサ
[00335]  いくつかの実施形態において、複数のセンサ（例えば、温度、インピーダンス、力、圧力など）が、１つ以上のエネルギ送達体１０８の表面上の円周方向などの様々な場所に載置される。そのような構成では、センサを使用して、１つ以上のエネルギ送達体１０８の表面と気管支気道壁表面との間の接触が十分であるか否か、例えば適切に円周及び／又は安定などを示すことができる。周方向ではない（例えば、不均一な温度、インピーダンス、力など）及び／又は安定している（例えば、連続的に変化する温度、インピーダンス、力など）など、接触が十分ではないことをセンサが示す。１つ以上のエネルギ送達体の拡張のレベルを調整するか、又は治療されている気管支の内径によりよく一致する異なるサイズのエネルギ送達体１０８を有するカテーテル１０２を選択する。いくつかの実施形態において、ジェネレータ１０４は、接触の程度、質、及び／又は安定性を解釈し、エネルギ送達体の適切な位置決めを助けるためにオペレータにフィードバックを提供するように構成される。例えば、オペレータが、円周方向に接触していない１つ以上のエネルギ送達体を位置決めする過程にあるとき、ジェネレータ１０４のユーザインタフェース１５０は、「接触不良」などのメッセージを表示することができる。
【０２７９】
[00336]  いくつかの実施形態において、力又は圧力センサを使用して、エネルギ送達体と気道の壁との間の接触力を検出及び測定し、それによってエネルギ送達体と組織との間の接触状態を決定することができる。
【０２８０】
[00337]  本明細書に開示されるシステム１００の実施形態のいずれも、治療の適用を監視するために１つ以上のセンサを組み込むことができる。
【０２８１】
Ｖ．心臓同期
[00338]  いくつかの実施形態において、エネルギ信号は、患者の心周期と同期して心不整脈の誘発を防ぐ。従って、患者の心周期は通常、心電図（ＥＣＧ）を使用して監視される。図２０を参照すると、通常的なＥＣＧトレース６００は、心房脱分極を表すＰ波６０２、心室脱分極及び心房再分極を表すＱＲＳ群６０４、並びに心室再分極を表すＴ波６０６の繰り返し周期を含む。心臓に非常に近接して気道内にエネルギを安全に送達するために、エネルギ送達と患者の心臓周期との間の同期化が採用されて、心不整脈の危険性が低減される。供給されたエネルギが心筋細胞膜透過性を増加させてイオン輸送を可能にし、それが心臓不整脈、特に心室細動を誘発する可能性があるので、高電圧エネルギが心筋内に時期尚早の活動電位を誘発する可能性がある。心臓の不整脈を避けるために、電気エネルギは、心筋の「脆弱な期間」の外側にある方法で気道に送達される。１心周期（心拍）内では、心室筋の脆弱な期間は、全Ｔ波６０６によってＥＣＧ上に示される。通常、心室心筋については、脆弱期間はＴ波６０６の中期及び終期と一致する。しかしながら、高エネルギパルスが心室に近接して送達されるとき、脆弱な期間は心拍の数ミリ秒早く発生する可能性がある。従って、Ｔ波全体は心室の脆弱な期間内にあると見なすことができる。
【０２８２】
[00339]  心周期の残りの部分はＰ波６０２及びＱＲＳ群６０４であり、これらは両方とも心房又は心室の筋肉が高電圧エネルギ刺激に対して不応性である期間を含む。高電圧エネルギパルスが筋肉の不応期中に供給されれば、不整脈発生の可能性を最小限に抑えることができる。第１の心周期のＳＴ分節６０８（心室脱分極と再分極との間の間隔）及びＴＱ間隔６１０（第１の心周期の終わり及び第２の心周期の中点を含む間隔）は、高電圧エネルギが生じる期間である。心筋の脱分極状態（不応期）に起因する心不整脈の誘発なしに送達することができる。図２０は、その間にエネルギが安全に印加され得る心周期の例示的な部分を示す陰影付きボックスを含む。
【０２８３】
[00340]  図２１は、いくつかの実施形態による、エネルギの送達を心周期と同期させるための方法の一実施形態を表すフローチャートである。本実施形態において、心電図（ＥＣＧ）は、エネルギ生成ジェネレータ１０４上の通信ポート１６７に操作可能に接続された外部心臓モニタ１７０（ＡｃｃｕＳｙｎｃ  Ｍｅｄｉｃａｌ  Ｒｅｓｅａｒｃｈ  Ｃｏｒｐｏｒａｔｉｏｎから入手可能な心臓モニタなど）によって取得される。適切なモニタを使用することができる。ここで、心臓モニタ１７０は、ＥＣＧを連続的に取得し、１つ以上の心臓周期を分析し、エネルギを印加するのが安全である期間の始まりを識別するために使用される。いくつかの実施形態において、心臓モニタ１７０がこの事象／開始（例えば、ＥＣＧトレースのＲ波）を検出すると、低電圧トランジスタ−トランジスタ論理（ＴＴＬ）パルス（例えば、≦５Ｖ）を通信ポート１６７に送信する。開始ステップ６５０において、エネルギ発生ジェネレータ１０４のプロセッサ１５４は、通信ポート１６７を監視し（ステップ６５２において）、心臓同期パルスが検出されたか否かを判定する。ＴＴＬパルスがジェネレータ１０４によって検出されない（ステップ６５４）場合、ユーザインタフェース１５０を使用してユーザに知らせる（ステップ６５６）。例えば、ユーザインタフェース１５０は、真っ赤なハート及び／又は任意の他の適切な視覚的インジケータを表示する。心臓同期パルスがジェネレータ１０４によって検出される（ステップ６５８）と、ユーザインタフェース１５０を使用してユーザに知らせる（ステップ６６０）。例えば、赤く点灯しているハートが黄色に点滅しているハートに変わり、心臓の同期パルスが検出された時点で点灯する。
【０２８４】
[00341]  外部心臓モニタ１７０は誤ったＴＴＬパルスを送信することもあるため、並びに、患者の心拍数が正常な予想範囲ではなく、不安定であるか、及び／又は患者の心拍数が、患者の基本心拍リズムとはかけ離れるか異なる拡張したＱＲＳ群を有する場合、ジェネレータが治療を継続してはいけないため、次のステップは、心拍数をチェックしてＴＴＬパルス（すなわち、心臓同期パルス）の信頼性を確立することを含む（ステップ６６２）。一実施形態において、ジェネレータ１０４のプロセッサ１５４を使用してＴＴＬパルスを監視し、Δｔ１、Δｔ２、Δｔ３、Δｔ４、Δｔ５と呼ばれる各ビート間の時間を計算する。これらの値は、最後の５つのΔｔ計算を有するローリングバッファとしてジェネレータ１０４のデータ記憶モジュール１５６内に記憶することができる。次に、これら５つの値の平均を計算することができ、これをΔｔ−ａｖｅと呼ぶ。検出された次の１つ以上のＴＴＬパルスを使用して次のΔｔ（例えばΔｔ６、Δｔ７など）を計算することができ、これもデータ記憶モジュール１５６に記憶することができる。例えば、２つのＴＴＬパルスを利用することができる。
【０２８５】
[00342]  次に、ジェネレータ１０４のアルゴリズムモジュール１５２を使用してこれらの値を一組の基準と比較し、それが満たされた場合、患者の心臓の律動が正常／一貫していること及びＴＴＬパルスが信頼できることの確信を提供する。例えば、心拍数を計算して確認し、１分あたり４０〜１５０拍（ｂｐｍ）であることを確認できる。この例では、Δｔ６及びΔｔ７をΔｔ−ａｖｅと比較して心拍数が不安定ではないことを検証することもできる。一実施形態において、続けるために、Δｔ６及び／又はΔｔ７はΔｔ−ａｖｅの±１５％以内である。この例では、信頼性を確認するために両方の基準が満たされなければならない（ステップ６６４で）。しかしながら、他の実施形態において、両方の基準は必要とされないかもしれない。信頼性が確認されると、ユーザインタフェース１５０を使用して続行しても安全であることをユーザに通知することができる（ステップ６６６）。例えば、ユーザインタフェース１５０上の黄色の点滅ハートは、緑色の点滅ハートに変わる。次に、ユーザインタフェース１５０を使用して、ジェネレータ１０４の高エネルギ貯蔵ユニット（例えば、１つ以上のコンデンサ）を充電するようにユーザに指示する。一例では、ユーザインタフェース１５０は、「充電」とラベル付けされたソフトキーを表示し、これをユーザが押して高エネルギ貯蔵ユニットを充電することができる。充電ボタンが押されていない場合（ステップ６６８）、プロセッサ１５４は心拍数及びＴＴＬ信号の信頼度をチェックし続ける。
【０２８６】
[00343]  プロセッサ１５４が充電ボタンが押されたことを認識すると（ステップ６７０）、プロセッサ１５４は心拍数及びＴＴＬ信号の信頼性をチェックし続ける（ステップ６７２）。その間に、事前定義された/所定の時間量（例えば、約３０、４０、５０、６０、又は最大１２０秒、その間のすべての値及び部分的な範囲を含む）が経過した場合、心拍数及びTTLの信頼性は検証が確立されると（ステップ６７４）、システムは充電モードを中止し、心拍数をチェックして心臓同期パルスの信頼性を確立しているシステム状態に戻る（ステップ６６２）。タイムアウトに達していない場合（ステップ６７６）、信頼性が確立されるまで（ステップ６８０で）ユーザインタフェース１５０はユーザに通知する（ステップ６７８）。ユーザインタフェース１５０は、ソフトキーが「準備完了」とラベル付けされるように変更することができる。システム１００は、フットスイッチ１６８が押されるのを待っている。
【０２８７】
[00344]  システム１００がフットスイッチ１６８が押されるのを待つ間（ステップ３４８）、それは心拍数を監視しそして自信をチェックし続ける（６７２）。ユーザがその時間内にフットスイッチ１６８を押さない場合（例えば、約３０、４０、５０、６０、又はその間のすべての値及びサブ範囲を含む最大１２０秒まで）に別のタイムアウトを事前定義することができる。図示のようにタイムアウトに達すると（ステップ６７４）、システムはエネルギを供給する準備ができていることを中止し、心拍数をチェックしてＴＴＬパルスの信頼を確立しているシステム状態に戻る（ステップ６６２）。ユーザがフットスイッチを押すと（ステップ６８４）、エネルギ供給を開始することができる（ステップ６８６）。しかしながら、ジェネレータ１０４は、次の心臓パルスが検出されるまで待機して、Ｒ波が検出された後にエネルギ送達がさらに確実に行われるように構成することができる。一実施形態において、エネルギは、ＴＴＬパルスの前縁が検出されてから約５０ミリ秒後まで送達されない。しかしながら、この値は約０〜３００ミリ秒の範囲である。次いで、第１のエネルギパケットを送達することができる（ステップ６８６）。次に、プロセッサ１０４は、すべてのパケットが送達されたか否かを判断するためにチェックする（ステップ６８８）。そうでない場合、プロセッサ１５４は心拍数を監視し（ステップ６９０）ＴＴＬパルスの信頼性をチェックし続け、心臓同期パルスの信頼性が再確立されるとエネルギ供給を続けることができる（ステップ６６２）。
【０２８８】
[00345]  一例では、エネルギ供給の直後のＴＴＬパルスは、供給される高電圧エネルギによって引き起こされる誤ったトリガであるので、無視する方がいい。例えば、プロセッサ１５４は、エネルギが供給された後の約４００ｍｓの間、又は最後のＴＴＬパルスの前縁の後の約４５０ｍｓの間、ＴＴＬパルスを無視することができる。他の状況では、ＴＴＬパルスは、その間のすべての値とサブ範囲を含めて、約５０ｍｓ〜約１秒間無視できる。プロセッサが次のＴＴＬパルスを検出すると、次のΔｔを計算し、以前に定義された基準と比較することができる（ステップ６９０）（つまり、ローリング平均に基づいて）。エネルギ送達後の心拍における一過性の遅延の可能性のために、次のΔｔが基準から外れる場合、それは単に無視される。次いで、次のΔｔを計算し、以前に定義された基準と比較することができる。基準が満たされると（ステップ７００）、次のパケットが送達される（ステップ６８６）。すべてのパケットが送達されていない場合、システムは心拍数を監視し、前述のように心同期パルスの信頼性をチェックし続ける（ステップ６９０）。信頼性が確立された場合（ステップ７００）、サイクルは継続する。信頼性が確立されていない場合（ステップ７０２）、例えば心臓が黄色に変わって点滅又は赤く点灯することによって、ユーザに通知される（ステップ７０４）。
【０２８９】
[00346]  システム１００が許容可能な信頼性を決定できないか、又は一定時間内（例えば、約１０、２０、３０、４０、５０、又は６０秒）にＴＴＬパルスをもはや検出しない場合、タイムアウトに達する（ステップ７０６）。ユーザインタフェース１５０を使用してユーザに通知することができる（ステップ７０８）。この時点で、サイクルは終了し、残りのパケットは送達されない。次にプロセスは開始に戻る（ステップ６５０）。システムが設定された制限時間内に許容可能な信頼性を判定することができる場合（ステップ７００）、タイムアウトせず（ステップ６８８）、前述の通り、心拍数の継続的監視を続けて信頼性をチェックする（ステップ６９０）。信頼性が得られた場合（ステップ７００）、次のエネルギパケットが送達される（ステップ６８６）。すべてのパケットが送達されると、治療は完了したとみなされ（ステップ７１０）、ユーザは治療の完了を知らされる（ステップ７０８）。高エネルギパケットのいずれかの送達に関連する電流が設定値（例えば、約４５アンペア）を超える場合（ステップ６８６）、サイクルも終了することができる（ステップ７０８）。
【０２９０】
[00347]  いくつかの実施形態において、心電図１７０を取得するための構成要素はジェネレータ１０４と一体的に形成される。心臓モニタが5誘導心電図までの取得に限定されている場合、追加の誘導をシステムに組み込むことが有益な場合がある。結果として、心臓同期パルスを受信するために通信ポート１６７を使用する必要性を排除することになる。むしろ、プロセッサ１５４は、Ｒ波を直接検出し、そしてＱＲＳ群全体の完全性を評価するように構成することができる。
【０２９１】
[00348]  いくつかの実施形態において、プロセッサ１５４は、Δｔ―ａｖｅを計算するために５つ以上、あるいは５つ以下のΔｔ’を使用するように構成されてもよい。いくつかの実施形態において、プロセッサ１５４は、３〜１０個のΔｔ’を用いてΔｔ―ａｖｅを計算するように構成されてもよい。さらに、プロセッサ１５４は、信頼性を確認するためにΔｔ６及びΔｔ７以外のΔｔを使用するように構成されてもよい。例えば、プロセッサ１５４は、後続のΔｔを使用するように構成されてもよい。プロセッサ１５４はまた、上述の４０〜１５０ｂｐｍを超える心拍数を可能にするように構成されてもよい。例えば、プロセッサ１５４は、すべての値及びその間の部分的な範囲を含む、３０〜１６０ｂｐｍの範囲の心拍数を可能にするように構成されてもよい。プロセッサ１５４はまた、Δｔ６又はΔｔ７が±１０％より大きく又は小さくなることを可能にするように構成されてもよい。例えば、プロセッサ１５４は、Δｔ６又はローリング平均を含む他のデータ点を±３％から±５０％以内にすることを可能にするように構成されてもよい。本明細書で提供されるユーザインタフェース１５０の例は単なる例であり、本発明を限定する訳ではない。
【０２９２】
[00349]  従って、ジェネレータは、患者の心拍数を連続的に監視するように構成することができ、心不整脈が誘発された場合には、治療は自動的に停止され、警報が鳴る。
【０２９３】
Ｖ．撮像
[00350]  撮像は、下記のように活用することができる。（ａ）罹患目標組織を検出する、（ｂ）治療すべき領域を特定する、（ｃ）エネルギ送達の有効性を判定する治療領域の評価を行う、（ｄ）領域の見逃しや、不十分の治療の有無を評価する、（e）治療前後の撮像により目標治療深度を測定し、その深度を使用して特定のエネルギ送達アルゴリズムを選択し、その深度まで組織効果を達成する、（ｆ）目標細胞型又は細胞界面を同定する処置中撮像、及びその位置又は深さを用いて特定のエネルギ送達アルゴリズムを選択し、目標細胞型又は細胞界面への組織効果を得る、及び／又は、（ｇ）炎症組織の存在の有無にかかわらず、処置後撮像により病原体の存在を同定する。
【０２９４】
[00351]  いくつかの実施形態において、共焦点レーザ内視鏡検査法（ＣＬＥ）、光干渉断層撮影法（ＯＣＴ）、超音波、静的又は動的ＣＴ撮影、Ｘ線、磁気共鳴撮影（ＭＲＩ）、及び／又は他の画像診断器を使用することができる。エネルギ送達カテーテル１０２又は別の装置に組み込むことによって、別途の装置／システム、又は肺組織改変システム１００に（機能的に及び／又は構造的に）組み込まれる／統合される。画像診断器（単数又は複数）は、システムが胸に展開される場所に対して、上皮の厚い領域、杯細胞過形成、粘膜下腺、平滑筋、及び／又は他の異常部位などを含む、組織の様々な切片の位置特定及び／又はアクセスに使用できる。いくつかの実施形態において、目標治療深度を測定し、目標治療深度まで治療するのに十分な治療アルゴリズム１５２を選択するために使用することができる。次いで、少なくとも１つのエネルギ送達体を異常気道壁組織の部位に位置決めし、エネルギを送達して目標組織に影響を及ぼすことができる。画像診断器（単数又は複数）は、治療の前、最中、間、及び／又は後に、治療がどこで行われたか行われなかったか、又はエネルギが気道壁に適切に影響したか否かを判断するために使用できる。ある領域を見逃した、又はある領域が十分に影響を受けていないと判断された場合、適切な治療が達成されるまで、エネルギ送達を繰り返し、続いて画像診断法（単数又は複数）を繰り返すことができる。さらに、撮像情報を利用して、特定の細胞型及び／又は所望の治療深度が適用されたか否かを判定することができる。これは、多種多様な患者の解剖学的構造を治療するためのエネルギ送達アルゴリズムのカスタマイズを可能にする。
【０２９５】
[00352]  いくつかの実施形態において、蛍光剤（例えば、フルオレセイン）の使用と組み合わせた撮像は、気道に存在し得る病原体の認識を高めるために行われる。蛍光剤は、特定の病原体（例えば、細菌）に直接タグ付けするか、又は様々な感染状態に関連する細胞（例えば、好中球）に間接的にタグ付けするように選択することができる。いくつかの実施形態において、そのような撮像方法／アプローチは、気道へのアクセスを得ること、気道内に蛍光剤を送達すること、気道に励起信号を送達することによって蛍光剤を励起すること、励起信号に応答した蛍光の有無を評価することを含む。
【０２９６】
Ａ．アクセス用の撮像
[00353]  一般に、本明細書に開示されている方法、装置、及びシステムは、本来の開口経路（例えば、口又は鼻）、人工的に作成された開口部（例えば、気管切開術、外科的に生成したストーマ、及び／又は適切な術中及び／又は術後の開口部）、及び／又は気道を通して肺及び／又は組織の他の領域に人工的に製作した開口部、を介して肺組織又は目標領域（例えば、気管、主気管支、葉気管支、分節気管支、副気管支、実質組織）にアクセスすることができる。利用できる手法の種類は、患者の年齢、併存症、他の併用処置の必要性、及び／又は過去の手術歴などの要因に左右される。
【０２９７】
[00354]  気道及び／又は他の肺組織（例えば、実質）にアクセスするための方法は、鼻又は口を介して気管及び／又はより遠位の気管支に送達される気管支鏡の作業チャネルを使用することを含む。図８Ａ〜８Ｂを参照すると、気管支鏡１１２は、患者Ｐの口もしくは口腔ＯＣ、又は鼻もしくは鼻腔ＮＣのような他の自然の開口部に挿入される。同様に、実質などの他の肺組織ＬＴは、図２２に示すように鼻又は口を介してアクセスすることができる。示されるように、カテーテル１０２の遠位端は、気管Ｔ、主気管支ＭＢ、及び気道から周囲の肺組織ＬＴへと横切る肺葉気管支ＬＢへと進められる。これは、肺通路の外側への誘導を可能にする誘導システムを有する器具又はカテーテルを用いて達成される。
【０２９８】
[00355]  一例では、直接的な視覚化は必要ではない、及び／又は望まれない場合があり、治療用カテーテルは鼻又は口を介して気道に直接送達することができる。
【０２９９】
[00356]  他の実施形態において、気道及び／又は肺組織（例えば、実質組織）へのアクセスは、胸部に挿入された他の器具を介して達成される。同様に、いくつかの実施形態において、直接可視化とともに、又は直接可視化の代わりに、１つ以上の様々な撮像様式（例えば、ＣＬＥ、ＯＣＴ）が使用される。一例として、気管支鏡１１２は、カテーテル１０２の直接的な視覚化及び送達を可能にするために口を介して送達され得、一方、代替の撮像様式は、気管支鏡１１２の別の作業チャネルを介して、鼻を介して、又は口を介して気管支に隣接した状態で送達される。いくつかの実施形態において、画像診断器（例えば、直接視覚化、ＣＬＥ、及び／又はＯＣＴ）は、画像診断器をシステムジェネレータ１０４又は市販のコンソールのいずれかに接続するための適切な機構と共にカテーテル１０２に組み込まれる。図２３Ａ及び図２３Ｂは、それぞれ、ＣＬＥ及びＯＣＴを使用して取得可能な例示的画像を示す。これらの画像は、気道壁厚（ＡＷＴ）測定を使用してＣＴスキャン上で以前に識別された所定の場所への送達を誘導するため、細胞構造の視覚化に基づいて治療を目標にするため、及び／又は治療の有効性を評価するために使用できる。
【０３００】
Ｂ．治療計画用の撮像
[00357]  撮像に関する方法は、処置を計画するために撮像前処理を使用することを含む。撮像は、罹患した目標組織を検出するため、治療されるべき領域を特定するため、及び／又は所望の治療深度を達成するために適切なエネルギ送達アルゴリズムを決定するために使用される。例えば、ＣＴスキャンは処置前又は術中に得ることができ、そこからＡＷＴ又はＰｉ１０（内周１０ｍｍの気道の理論的気道壁厚）測定値が得られる。目標領域はこれらのメトリックを使用して識別できる。図２３Ａ〜２３Ｂに示すように、ＣＬＥ又はＯＣＴを用いて目標治療深度を測定することができる。所望の治療深度は、気道内腔ＬＭＮから基底膜ＢＭまでを測定したときの上皮Ｅの厚さｔに基づくことができる。杯細胞ＧＣ又は平滑筋（図示せず）などの目標細胞型までの距離ｄ、及び／又は医師が医学的に適切であると判断した任意の他の構造。図２３Ｂは、罹患気道の例示的なＯＣＴ画像を提供する。気道の厚さｔ’は、気道内腔ＬＭＮから気道の外縁部ＥＤＧまでの距離を測定することによって決定することができる。次に、それらの測定値を使用して特定のエネルギ送達アルゴリズム１５２を選択してその深さまでの組織効果を達成することができる。例えば、ジェネレータ１０４は、所望の治療深度の選択を可能にするユーザインタフェース１５０（例えばタッチスクリーン）を有することができる。オペレータが所望の深さを選択すると、システム１００は、その深さを達成するために適切なエネルギ送達アルゴリズム１５２を自動的に選択するように構成することができる。目標治療部位の選択を助けるために他の解剖学的評価も行うことができる。例えば、ＣＬＥを使用して、気道内腔ＬＭＮから杯細胞ＧＣまでの距離ｄと共に杯細胞ＧＣのサイズ及び／又は密度を評価して、治療位置及び目標深さの両方を目標にすることができる。これらの方法は、治療を各患者に合わせてカスタマイズすることを可能にする。
【０３０１】
[00358]  いくつかの実施形態において、気管支鏡１１２の使用は、痰サンプルが分析のために取得される前処置計画を可能にする。１つ以上の病原体が発見された場合、この情報は、初期データの結果として所望の治療深度を達成するために適切なエネルギ送達アルゴリズム１５２を決定するために使用される。一部の場合において、改善された組織撮像と組み合わせた病原体同定の組み合わせのように、病原体が繁殖する粘液層Ｍのみに治療の深さを制限することが望ましい。一方、他の場合では、より深い気道構造に影響を与えることが望ましい。治療を計画するために、気管気管支樹の感染症が存在するか否かを決定するために痰試料を採取及び評価することができる。感染が存在すると考えられる場合、ジェネレータは、感染を引き起こす病原体又は他の肺組織を含む他の層に実質的に影響を与えることなく気道の粘液層に影響を及ぼすようにプログラムすることができる。痰検査を実施する方法はまた、治療の効果を評価するために使用される。治療の効果を評価するために、追加の痰サンプル、並びに生検材料を、エネルギ送達手順の後又は後で採取することができる。これらのサンプル及び生検を計画サンプル及び互いに比較することによって、手順の有効性を判断することができる。患者の臨床検査と組み合わせたこれらのデータは、治療をさらに最適化するために使用することができる。
【０３０２】
[00359]  １つ以上の組織生検を実施する方法は、治療計画及び／又は治療効果の評価に使用することができる。治療を計画するために、生検を実施し、顕微鏡で患者の適合性（例えば、過剰な粘液産生、杯細胞密度、杯細胞肥大、上皮厚、炎症、基底膜肥厚、粘膜下炎症、粘膜下好酸球増加、粘膜下腺肥厚）を決定する例えば、平滑筋肥大、又は他のパラメータ）及び／又は気道閉塞の程度（例えば、上皮及び／又は他の層の厚さ）。これらのパラメータの１つ以上を測定することによって、ジェネレータは、特定の深さの組織に影響を及ぼすようにプログラムされ得、各患者に対するエネルギ送達アルゴリズムのカスタマイズを可能にする。例えば、より厚い上皮層を有する患者に対して電圧を増加させることができる。治療の効果を評価するために、追加の生検をエネルギ送達手順の直後又は後に実施することができる。これらの生検を計画用の生検及び互いに比較することによって、処置の有効性を判断することができる。例えば、治療後の生検が計画的な生検から変化を示さなかった場合、その場所は治療されなかったか、又は組織に影響を与えるために不十分なエネルギが適用された。しかし、治療後の生検で上皮の厚さ及び／又は構造の減少（つまり、健康上皮の再生）が示された場合、エネルギ送達の有効性を検証することができる。気道に沿って複数の生検を実施することによって、全表面積の十分な割合が治療されたか否かをさらに評価することができる。患者の臨床検査と組み合わせたこれらのデータは、治療をさらに最適化するために使用することができる。
【０３０３】
Ｃ．治療中の撮像
[00360]  気管支鏡１１２の使用は、目標組織の直接的な視覚化、並びにカテーテル１０２の位置決め及び位置決めの視覚的確認を可能にする。いくつかの実施形態において、直接的な視覚化は必要ではない場合があり、カテーテル１０２は気道に直接送達される。あるいは、直接視覚化と共に、又は直接視覚化の代わりに、様々な画像診断法（例えば、ＣＬＥ、ＯＣＴ）を使用することができる。一例として、気管支鏡１１２は、カテーテル１０２の直接的な視覚化及び送達を可能にするために口を介して送り込まれる。一方、代案の画像診断器は、気管支鏡１１２の別の作業チャネルを介して、鼻を介して、又は口を介して気管支鏡に隣接したまま送り込まれる。いくつかの実施形態において、撮像技術（例えば、直接視覚化、ＣＬＥ、及び／又はＯＣＴ）は、撮像技術をシステムジェネレータ又は市販のコンソールのいずれかに接続するための適切な機構と共にカテーテルに組み込まれる。
【０３０４】
Ｄ．治療後の撮像
[00361]  いくつかの実施形態において、撮像に関する方法は、術中及び／又は術後の手順の有効性を評価するために撮像を使用すること（例えば、画像診断器１６９を使用すること）を含むことができる。いくつかの実施形態において、処置中に、オペレータは撮像を使用して目標治療領域を評価し、その領域が見逃されたか、あるいは治療が不十分であったか否かを判断することができる。例えば、領域が不十分に処理された場合、オペレータは目標深度が達成されなかったことを観察することができる。その後、オペレータは深さを再測定し、適切な治療アルゴリズム１５２を選択し、そして同じ場所で再度治療することができる。いくつかの実施形態において、ジェネレータ１０４が所望の深さに基づく様々な事前設定アルゴリズムを持たない場合、同じエネルギ送達アルゴリズムを使用することができる。撮像はまた、治癒プロセスを監視しそして組織変化を臨床転帰と相関させるために処置後に使用される。治癒プロセスは、組織の変化を視覚化し、そして処置の有効性を評価することをより容易にすることができる。これらのデータはさらに、追加の組織に影響を与えるために追加の手順を実行することを医師が決定することにつながる可能性がある。
【０３０５】
ＶＩＩ．カテーテルの実施形態
[00362]  様々なエネルギ送達カテーテル１０２の実施形態が想定される。本明細書に記載の特徴及び特徴は、所望の組織効果を達成するために任意の組み合わせで使用することができる。通常、そのようなカテーテル１０２は、約３〜２０ｍｍの内腔直径を有する肺通路を治療するように寸法決めされ、構成される。通常、エネルギ送達体１０８は、管腔の壁Ｗの近くに、壁Ｗに対して、壁Ｗと接触して、又は壁Ｗに対して圧力や力を及ぼすように、肺通路管腔内で拡張する。いくつかの実施形態において、エネルギ送達本体１０８は、最大２２ｍｍ、特に３〜２０ｍｍ又は３〜２２ｍｍの直径に拡張する。
【０３０６】
[00363]  図２４は、少なくとも２つの突起からなる単一のエネルギ送達本体１０８を有するエネルギ送達カテーテル１０２の実施形態を示し、各突起は、肺通路の内腔壁に接触するように半径方向外向きに延びている。単一の突出部が存在してもよいが、肺通路の壁に実質的に反対の力を加えてそれらの間にカテーテルを支持するために、通常、２つの突出部が存在する。本実施形態において、少なくとも２つの突起は、螺旋形の籠を形成する近位端拘束部１２２及び遠位端拘束部１２４によって拘束される複数のリボン又はワイヤ１２０を含む。本実施形態において、近位端拘束部１２２はシャフト１０６に取り付けられ、シャフト１０６はエネルギ送達本体１０８を貫通しない。これにより、シャフト１０６の寸法を追加することなく、エネルギ伝達体１０８を折り畳むことが可能になる。エネルギ送達体１０８は、折り畳まれた構成で目標領域に送達される。この折り畳み構成は、例えば、エネルギ供給体１０８の上にシース１２６を位置決めすることによって達成することができる。図２４では、カテーテルシャフト１０６は、近位端拘束部１２２で終端し、遠位端拘束部１２４をほぼ拘束せずカテーテル１０２のシャフト１０６に対して自由に移動する。エネルギ送達本体１０８を覆ってシース１２６を前進させると、遠位端拘束部１２４が前方に移動し、それによって、エネルギ送達本体１０８を引き伸ばし／折り畳み、続いて拘束する。シース１２６の後退により、エネルギ送達本体１０８は自己拡張などによって拡張する。他の実施形態において、ワイヤ又はリボン１２０は、螺旋形ではなく直線形である（つまり、直線形の籠を形成するように構成される）。さらに他の実施形態において、エネルギ送達体１０８はチューブをレーザで切断して形成する。
【０３０７】
[00364]  いくつかの実施形態において、エネルギ送達本体１０８は複数の電極１０７を含み、各ワイヤ１２０は別々の電極１０７として作用し、対極板としてその隣のワイヤを使用して、又は、対極板として患者に取り付けられた分散電極を使用して別々に発射することができる。一例では、エネルギ送達体１０８の各ワイヤ１２０は、互いのワイヤ１２０から電気的に絶縁することができ、別個の導体ワイヤは、エネルギをジェネレータ１０４からエネルギ送達体１０８のワイヤ１２０に伝達することができる。別の例では、２つ以上のワイヤ１２０を互いに電気的に接続して１つ以上のワイヤセットを形成することができる。ジェネレータ１０４のアルゴリズム１５２は、１つのワイヤ（又は１組のワイヤ）から別のワイヤへの適切な切り替え、並びに活性状態と戻り（接地）状態との間のワイヤの機能の入れ替えを実行することができる。
【０３０８】
[00365]  図２５は、エネルギ送達カテーテル１０２が２つのエネルギ送達体、つまり第１のエネルギ送達体１０８及び第２のエネルギ送達体１０８’を含み、各体１０８、１０８’が図２４の実施形態と同様に機能する実施形態を示す。本実施形態において、第１のエネルギ送達体１０８は第１のシャフト１０６の遠位端に沿って配置され、そして第２のエネルギ送達体１０８’は第２のシャフト１０６’の遠位端に沿って配置される。示されるように、シャフト１０６、１０６’は、それらが一緒にシース１２６を通過可能であるように平行に整列される。いくつかの実施形態において、シャフト１０６、１０６’は、一体に動くように互いに固定されている。本実施形態において、シャフト１０６、１０６’は、通常、図２５に図示されているように、第１のエネルギ送達体１０８より遠位に第２のエネルギ送達体１０８’を配置するなど、エネルギ送達体１０８、１０８’が互い違いになるように配列される。そのような構成では、エネルギ送達体１０８、１０８’は任意の適切な距離で分離することができる。同様に、エネルギ体１０８、１０８’はシャフト１０６、１０６’に対して配列されているので、エネルギ体１０８、１０８’の膨張は決して影響を受けない。例えば、本実施形態において、エネルギ伝達体１０８、１０８’は、第２のシャフト１０６’が第１のエネルギ伝達体１０８の拡張を妨げないように配列されている。それどころか、第２のシャフト１０６’は、ワイヤ１２０の間で籠形状のエネルギ送達本体１０８を通過する。いくつかの実施形態において、シャフト１０６、１０６’は、互いに固定されず、互いに対して動くことができ、特に、シャフト１０６、１０６’は、互いに平行に長手方向にスライドすることができる。本実施形態において、シャフト１０６、１０６’は、エネルギ送達体１０８、１０８’間の距離を増減するために互いに対して動かされてもよい。所望の距離が達成されると、シャフト１０６、１０６’は、エネルギ送達体１０８、１０８’の間の所望の距離を維持するために適所に固定される。
【０３０９】
[00366]  図２５に示す実施形態において、各エネルギ送達本体１０８、１０８’は、ワイヤ１２０の形態の電極１０７からなる螺旋形の籠からなる。エネルギ送達体１０８、１０８’は、双極式及び／又は単極式に作動させることができる。他の実施形態において、ワイヤ又はリボン１２０は、螺旋形ではなく直線形である（つまり、直線形の籠を形成するように構成される）。いくつかの実施形態において、エネルギ送達体１０８、１０８’はチューブをレーザで切断して形成する。本実施形態において、第１のシャフト１０６は、第１の電極本体１０８の第１の近位端拘束部１２２で終端し、第１の遠位端拘束部１２４を本質的に拘束されないままにする。第２のシャフト１０６’は、第２の電極本体１０８’の第２の近位端拘束部１２２’で終端し、第２の遠位端拘束部１２４’を本質的に拘束されないままにする。エネルギ送達体１０８、１０８’上にシース１２６を前進させることは、遠位端拘束部１２４、１２４’が前方に移動することを可能にし、それによってエネルギ送達体１０８、１０８’を折り畳み、引き延ばし、そして拘束する。シース１２６の後退は、エネルギの膨張及び送達のためにエネルギ送達体１０８、１０８’を露出させる。
【０３１０】
[00367]  図２６は、複数のリボン又はワイヤ１２０によって形成された単極電極１０７からなる単一のエネルギ送達本体１０８を有するエネルギ送達カテーテル１０２の実施形態を示しており、エネルギ送達本体１０８は、エネルギ送達体１０８を貫通して延在するシャフト１０６に取り付けられている。また、エネルギ送達本体１０８は、近位端拘束部１２２及び遠位端拘束部１２４によって拘束された籠形となる。この構成では、エネルギ送達本体１０８が折り畳まれるように、近位端拘束部１２２又は遠位端拘束部１２４のいずれかがシャフト１０６上を自由に摺動し、他方端部はシャフト１０６に固定的に取り付けられる。エネルギ送達体１０８を目標治療領域に送達すると、シース１２６は、例えば、シース１２６に操作可能に接続されている、カテーテルのハンドル１１０のレバー、スライダ又はプランジャを介してオペレータによって引き抜かれる。シース１２６の引き抜きは、エネルギ送達体１０８を潰したままにしている拘束を取り除き、その結果、エネルギ送達体１０８のワイヤ１２０が気管支壁に接触するのを可能にする。
【０３１１】
[00368]  いくつかの実施形態において、エネルギ送達本体１０８の折畳構成は、シース１２６を使用せずにその膨張を制限する機構によって達成することができる。例えば、いくつかの実施形態において、プルワイヤは、エネルギ送達本体１０８の近位端拘束部１２２に取り付けられ、カテーテルのハンドル１１０のレバー、スライダ、又はプランジャに操作可能に接続されているシャフト１２６に沿って内腔に沿って延びる。本実施形態において、遠位端拘束部１２４はシャフト１０６に固定的に取り付けられ、近位端拘束部１２２はシャフト１０６上を自由に摺動するように構成される。引っ張りワイヤが引っ張り力を受けている間、近位端拘束部１２２は、エネルギ送達本体１０８が折り畳まれるように位置決めされる。プルワイヤは、ハンドル１１０内に拘束することによってこの位置に維持することができる。ハンドル１１０内の拘束の減少又は除去などによる引っ張り力の解放は、引っ張りワイヤが動くことを可能にする。従って、エネルギ送達体１０８の自己拡張性質により拡張するにつれ、近位端拘束部１２２は自由となり、遠位端拘束部１２４の近くまで移動する。
【０３１２】
[00369]  他の実施形態において、近位端拘束部１２２はシャフト１０６に固定され、遠位端拘束部１２４はシャフト１０６上を自由に摺動することができる。さらに、プッシュロッド（又はより高いコラム強度を達成するためのチューブ）は、遠位端拘束部１２４に取り付けられ、内軸１０６に沿って内腔に沿って延在し、カテーテルのハンドル１１０のレバー、スライダ、又はプランジャなどの機構に操作可能に接続される。プッシュロッドが押され、続いてカテーテル１０２のハンドル１１０内に拘束されると、遠位拘束部１２４が近位端拘束部１２２から離れるように移動し、それによってエネルギ送達本体１０８が潰れる。エネルギ送達体１０８が自己拡張するとき、プッシュロッドの解放はエネルギ送達体１０８が拡張することを可能にする。あるいは、プッシュロッドを引っ込めて、遠位端拘束部１２４を近位端拘束部１２２に向かって引っ張り、それによってエネルギ送達本体１０８を拡張させることができる。
【０３１３】
[00370]  図２６に示される実施形態において、エネルギ送達本体１０８は、近位端拘束部１２２及び遠位端拘束部１２４の両方で拘束され、籠を形成するように構成された編組金属管によって形成される。エネルギ送達体１０８は、上記のように制御（つまり、折り畳み、展開）することができる。エネルギ送達本体１０８が編組金属チューブを含むとき、編組チューブ内の各ワイヤは、それに隣接する複数のワイヤによって、並びに編組自体の織り合わせの性質によって支持される。この支持及び織り合わせ構成は、別の方法で編組の孔又は開口サイズとして知られている、ワイヤ間の空間の最小の変動を保証することができる。さらに、この支持及び織り合わせ構成は、非常に小さいワイヤから編組チューブを構成することを可能にし、さらに籠の著しい半径方向安定性を有することができる。これにより、エネルギ送達本体１０８の比較的小さい外形を折り畳み／拘束状態に維持し、電極が展開／拡張したときの編組チューブの開口部のサイズを最適化しながら、多数のワイヤ（例えば、１２、１６、１８、２０、２２、２４など）を使用することが可能になる。本実施形態において、ワイヤ間の空間はかなり狭く、肺通路の内腔の３６０度にわたって本質的に連続的な治療をもたらす。
【０３１４】
[00371]  図２７は、両方のエネルギ伝達体１０８、１０８’が単一のシャフト１０６上に支持されている実施形態を示す。エネルギ送達体１０８、１０８’を潰すために、第１のエネルギ送達体１０８の第１の近位端拘束部１２２はカテーテルシャフト１０６にしっかりと取り付けられている。他の端部拘束部１２２’、１２４、１２４’は、カテーテルシャフト１０６上を自由に摺動することができる。カテーテルは、エネルギ送達体１０８、１０８’を拘束するシース１２６と共に送達される。エネルギ送達体１０８、１０８’を目標領域に送達すると、シース１２６は、例えば、レバーもしくはスライダもしくはカテーテルのハンドル１１０のプランジャーなどの機構を介して、オペレータによって引き出すことができる。シース１２６の引き抜きは、エネルギ送達体１０８、１０８’を潰したままにしている拘束を取り除き、それにより、エネルギ送達体１０８、１０８’の表面が気管支壁に接触するのをもたらす。さらに、いくつかの実施形態において、第１の遠位端拘束部１２４及び第２の近位端拘束部１２２"は、カプラ８００を介して互いに接続されている。カプラ８００は、電気絶縁材料（例えば、ポリエーテルブロックアミド（Ｐｅｂａｘ（登録商標））管、ポリイミド管など）を使用して構成され、エネルギ送達体１０８、１０８’間に絶縁ギャップ８０２を設けてそれらの間の電気的不連続性を達成する。いくつかの実施形態において、この間隙８０２は、１から２０ｍｍの間である。これにより、カテーテルシャフト１０６内のアーク放電が防止される。
【０３１５】
[00372]  いくつかの実施形態において、エネルギ送達体１０８、１０８’の折り畳み構成は、シース１２６を使用せずにそれらの膨張を制限することによって達成することができる。例えば、一実施形態において、プルワイヤ（図示せず）の遠位端は第２の遠位端拘束部１２４’に取り付けられ、プルワイヤの近位端はハンドル１１０の機構（例えばレバー、プランジャ、スライダ）に取り付けられる。第１の近位端拘束部１２２はカテーテルシャフト１０６に固定的に取り付けられ、他の端部拘束部１２４、１２２’、１２４’はカテーテルシャフト１０６上を自由に摺動する。そのような構成は、エネルギ送達体１０８、１０８’が気管支鏡を介して位置決めを開始する前に折り畳まれた構成にあり、それらを展開／拡張することをオペレータに要求すると仮定する。この展開／拡張は、第２の遠位端拘束部１２４’を第１の近位端拘束部１２２に向かって引っ張るハンドル１１０の機構（例えばレバー、プランジャ又はスライダ）をオペレータが作動させることによって達成され、効率的にエネルギ送達体１０８、１０８’を展開／拡張することができる。別の構成では、それぞれが各エネルギ送達本体１０８、１０８’に別々に取り付けられている２本の引っ張りワイヤを使用することによって拡張を達成することができる。本実施形態において、オペレータは、エネルギ送達体１０８、１０８'の拡張レベルを別々に制御することができる。
【０３１６】
[00373]  いくつかの実施形態において、１つ以上のエネルギ送達体１０８、１０８’は両端で拘束されておらず、むしろ一方の端は拘束されていないので半籠形状を作り出している。図２８Ａは、拡張時に一方のエネルギ送達本体エネルギ１０８’が一方の端部で拘束されずに半かご形を形成する実施形態を示す。本実施形態において、両方のエネルギ伝達体１０８、１０８’は編組金属ワイヤからなる。最遠位エネルギ送達本体１０８’は、第２の近位端拘束部１２２’及び第２の遠位端拘束部１２４’の両方で拘束され、そして閉じた編組籠形状を形成するように構成される。最も遠位のエネルギ送達本体１０８’は、通常、少なくとも最も広い拡張直径が肺通路の壁Ｗと接触するように拡張可能である。最も近位側又は第１のエネルギ送達本体１０８は、第１の近位端拘束部１２２で拘束され、そして示されるように、拡張されると、ほぼ半開籠又は半籠を形成するように構成される。近位エネルギ送達本体１０８は、通常、少なくとも最も広い拡張直径が肺通路の壁Ｗと接触するように拡張可能である。シャフト１０６は、第１及び第２の近位端拘束部１２２、１２２’にしっかりと取り付けられている。近位エネルギ送達体１０８の半籠形状は、その最も広い拡張直径が、近位エネルギ送達体１０８が全体形状である場合にそうでない場合よりも最遠位エネルギ送達体１０８’のそれに近づくことを可能にする。エネルギ伝達体１０８、１０８’間のこの距離を減少させることは、エネルギ体１０８、１０８’におけるのに加えて、エネルギ伝達体１０８、１０８’間の治療効果を可能にする。本体１０８、１０８’間の効果を考えると、これは最終的により大きな表面処理効果を生み出す。さらに、半籠形状はアーク放電を回避するのに役立つ。
【０３１７】
[00374]  図２８Ａに示す構成は、上で詳細に説明したようにシース（図示せず）を使用して送達され、両方のエネルギ送達体１０８、１０８’は自己拡張可能である。他の実施形態において、第２のエネルギ送達本体１０８’は、気管支鏡内に送達される前に折り畳まれた状態に置かれ、一旦所望の目標領域に位置決めされ、その第２の遠位端拘束に接続された引っ張りワイヤ（図示せず）を介して展開／拡張される１２４’）及びハンドル１１０内の機構へ。全籠（エネルギ供給体１０８’）及び半籠（エネルギ供給体１０８）のこの組み合わせは、双極性又は単極性のエネルギ供給に使用することができる。電極が編組金属ワイヤで作られている場合、各ワイヤはそれに隣接する複数のワイヤによって、並びに編組自体の織り合わせの性質によって支持されている。この支持及び織り合わせ構成は、別の方法で編組の孔又は開口サイズとして知られているワイヤ間の間隔の最小の変動を保証することができる。さらに、この支持及び織り合わせ構成は、非常に小さいワイヤから編組を構成することを可能にし、それでも籠の著しい半径方向安定性を有する。これにより、エネルギ送達体１０８、１０８’が展開又は拡張されたときの編組の開口サイズを最適化しながら、エネルギ送達本体１０８、１０８’の小さな輪郭を折り畳み又は拘束状態に維持しながら、多くのワイヤ（例えば、１２、１６、１８、２０、２２、２４など）を使用することが可能になる。本実施形態において、ワイヤ間の間隔はかなり狭く、肺通路内で３６０度の治療をもたらす。
【０３１８】
[00375]  図２８Ｂは、エネルギ送達体１０８、１０８’の両方が、近位端拘束部１２２、１２２'がシャフト１０６に固定された編組金属ワイヤからなる実施形態を示す。本実施形態において、両方のエネルギ供給体１０８、１０８’は、半籠を形成するように構成されている。この構成のシース（図示せず）は、上述のようにシースを使用して送達することができ、エネルギ送達体１０８、１０８’は自己拡張型である。半籠エネルギ送達体１０８、１０８’のこの構成は、双極性及び／又は単極性のエネルギ送達に使用することができる。
【０３１９】
[00376]  いくつかの実施形態において、１つ以上のエネルギ送達体１０８の表面全体は、目標組織への送達のためにエネルギ信号によってエネルギを与えられる。しかしながら、他の実施形態において、エネルギ送達本体１０８の活性表面積が提供され、残りの部分は活性ではない。いくつかの実施形態において、これは、１つ以上の活性領域を残してエネルギ送達本体１０８の１つ以上の部分を部分的に絶縁することによって達成される。例えば、図２９は、活性化領域８２０を画定するために絶縁体の一部が除去された状態でワイヤ１２０の一部が絶縁されている、（１つ以上の電極として作用する）通電ワイヤ１２０からなる編組ワイヤ籠エネルギ送達体１０８を示す。いくつかの実施形態において、絶縁体はワイヤ１２０の外側（組織接触）表面から取り除かれる。この手法は、例えば、電極ワイヤ１２０を介した測定インピーダンスが露出金属の量によって影響を受ける場合、及び測定インピーダンスが電極と組織との間の界面を表すことが望ましい場合に有用である。他の実施形態において、電極ワイヤ１２０の外側表面と内側表面の両方で絶縁材を除去することができる。この構成を有するエネルギ送達体１０８を製造するための１つの方法は、絶縁ワイヤを使用して編組を作成し、次に適切な手段（例えば、レーザ、機械）を使用して絶縁を除去して１つ以上の活性領域８２０を作成することを含む。この例は単一の活性領域８２０を示しているが、任意の治療パターンを生成するために複数の活性領域もまた想定される。本明細書に記載されている編組されていないエネルギ送達体１０８についても同様の技術を使用することができる。これらの実施形態において、製造プロセスの一部として絶縁を適用又は除去して、様々な処理パターンを達成するのに望ましい任意の活性領域（単数又は複数）８２０構成を画定することができる。
【０３２０】
[00377]  図３０は、金属（例えばニチノール）チューブ８３０がレーザカットされて両端がチューブ８３０自体を介して拘束された折り畳み籠８３２を形成する、他の実施形態を示す。次いで、籠８３２は、エネルギ送達体１０８として機能するように、使用中に自己拡張することができるように拡張及び形状設定することができる。あるいは、プッシュ／プル機構を使用して、送達及び治療のために籠８３２を拡張／折り畳むことができる。いくつかの実施形態において、図３１に示すように、籠８３２の一端８３４を取り外して自由端８３６を形成する。次いで、断熱材（例えば、ポリマーチューブ）を自由端部８３６を越えて前進させ、籠８３２の一部に適用することができる。いくつかの実施形態において、断熱材は籠の近位部分及び遠位部分に適用され、それらの間に１つ以上の導電性／活性領域８２０を残す。他の実施形態において、図３１に示されるように、籠８３２のワイヤ１２０は絶縁され、（コイルとして示される）１つ以上の別個の追加の電極８４０が絶縁籠ワイヤに接続されて活性領域８２０を形成する。次いで、このアセンブリをカテーテル１０２に固定して、エネルギ送達本体１０８を複数の所定の活性領域８３２を有する単極電極として作動させることができる。
【０３２１】
[00378]  図３２は、エネルギ送達体１０８の他の実施形態を示す。本実施形態において、本体１０８は、図３１の自由端８３６と同様に、複数の歯８４０を備える。タイン８４０は、肺通路壁に接触するように外向きに拡張することができる。いくつかの実施形態において、１つ以上の歯８４０が絶縁材料８４２で絶縁されている。各タイン８４０の遠位端付近など、各タイン８４０に沿って配置された電極１０７は、絶縁材料８４２を除去して下にある活性化可能要素又はワイヤを露出させることによって作成することができる。あるいは、図３２に示されるように、別個の電極１０７を絶縁材料８４２上に取り付けることができる。いくつかの実施形態において、タイン８４０はポリマー被覆ワイヤで形成され、ワイヤはタイン８４０を自己拡張させるための構造的支持として作用することができ、治療エネルギを供給するために付勢可能であり、及び／又は温度を感知するために使用できるインピーダンス。いくつかの実施形態において、歯８４０は、送達のためにシース１２６を介して折り畳み可能であり、シース１２６の後退時に拡張して組織と接触することが可能になる。電極はすべて単極方式で同時に発射することができ、単極方式で独立して発射することができ、及び／又は所望の治療効果を生み出すのに必要な任意のパターンで互いに間で発射することができる。電極の長さは、３ｍｍ、５ｍｍ、１ｃｍ、２ｃｍ、３ｃｍ、４ｃｍ又は５ｃｍなど、約３ｍｍ〜約５ｃｍの範囲である。図３２ではすべて同じサイズとして描かれているが、サイズ（例えば、長さ、幅）は変わる。
【０３２２】
[00379]  図３３は、エネルギ送達体１０８の他の実施形態を示す。本実施形態において、エネルギ送達本体１０８は、籠ウィーブではなく１つ以上の突起８５０を含む。各突起８５０は、電極として作用し、カテーテル１０２の長手方向軸又はシャフト１０６から半径方向外向きに曲がるワイヤ又はリボン１２０によって形成される。本実施形態において、各突起８５０は他の各突起から電気的に絶縁されている。突起８５０は、ステンレス鋼、ばね鋼、又は他の合金などの電極として作用するように様々な適切な材料から構成されてもよく、例えば丸線又はリボンであってもよい。各突出部８５０は、エネルギ送達本体１０８の近位端及び遠位端の少なくとも一部にわたって、ポリマー（例えば、ＰＥＴ、ポリエーテルブロックアミド、ポリイミド）などの絶縁分節８５２で絶縁されている。ワイヤ又はリボンの露出部分８５４は、次に各突起８５０上の電極として作用することができる。一実施形態において、突出部８５０の露出部分８５４は絶縁体８５２を完全に含まない。他の実施形態において、絶縁体８５２は、完全に絶縁されている組織と接触しない突出部８５０の側面（例えば、カテーテル１０２のシャフト１０６に面する内面）を残して、突出部８５０の外面からのみ除去される。一実施形態において、各突起８５０は独立して付勢され、２つの突起８５０は中性電極（対）として作用し、２つの突起８５０は活性電極として作用する。中性電極と活性電極を互いに隣接して位置決めすることができる。互いに１８０度に位置決めされた中性電極（対向電極）は互いに電気的に接続することができ、従って活性電極とすることもできる。本実施形態において、２対の突起８５０をジェネレータ１０４に接続するのに必要な導線（電力線）は２本だけである。さらに、バイポーラ方式で利用される一対の突起８５０をさらに多重化して、活性電極対中性電極の任意の組み合わせ又は回転を可能にすることができる。ジェネレータ１０４は、これらの手法のいずれかをサポートするのに十分なチャネル（つまり、１〜４チャネル）を有するように構成することができる。エネルギ送達本体１０８のこの実施形態は、必要に応じて、折り畳み構成で送達され得、そしてハンドル内の引き戻しワイヤ及び機構を介して組織接触に拡張される。
【０３２３】
[00380]  図３４は、１つ以上の突起８５０を含むエネルギ送達本体１０８の他の実施形態を示しており、各突起８５０はカテーテル１０２の長手方向軸又はシャフト１０６から半径方向外側に曲がっている。しかしながら、本実施形態において、各突起部８５０は、非導電性材料から形成され、別個の電極１０７を担持する、支持する、及び／又は別の方法でそれに結合される。各電極１０７は、電極１０７をジェネレータ１０４に接続する導線８６０を有する。突起８５０は、ハンドル内の引っ張りワイヤ及び機構を介するなどして、拡張時に前記電極１０７を組織に対して位置決めする。本実施形態において、各電極１０７は各突起部８５０の上又はそれに隣接して位置決めされている。突起８５０が金属からなる場合、電極１０７を突起８５０自体から電気的に絶縁するために絶縁体が設けられる。突起８５０がポリマー又は他の非導電性材料からなる場合、追加の絶縁は必要ではない。いくつかの実施形態において、突出部８５０は、円形ワイヤ又はリボンからなり、図示のようにまっすぐな籠を形成するように構成されている。他の実施形態（図示せず）では、突起部８５０は螺旋形に構成されている。図３４に示されるような別個の電極１０７は、籠が編組材料からなるなどの他の実施形態にも同様に適用される。図３３の実施形態と同様に、各電極１０７は様々な組み合わせでエネルギを与えられてもよい。さらに、各突出部８５０は、互いに電気的に接続されるか、又は互いに電気的に絶縁される電極１０７を担持する。電極１０７の表面積を増大させるために、各々は、例えば金属コイルから、又はスロット付き（例えば、レーザカット）チューブの形態で構成することができる。これらの構成は、より大きな空間的範囲を可能にし、さらに籠の突出部８５０が自由に曲がりそして真っ直ぐになることを可能にするために電極１０７の柔軟性を維持する。図３３のように、突出部８５０の表面は、組織と接触しない領域にわたって完全に露出又は絶縁することができる。
【０３２４】
[00381]  図３５は、少なくとも１つのエネルギ送達体を有するカテーテル１０２の他の実施形態を示している。本実施形態において、各エネルギ送達体は、電極自体として作用することができるか、又はその上に装着された別々の電極のためのキャリアとして作用することができるかのいずれかである拡張可能コイルを備える。本実施形態において、カテーテル１０２は、２つのエネルギ伝達体、つまり第２のエネルギ伝達体１０８’に近接して配置された第１のエネルギ伝達体１０８を備える。各エネルギ送達体１０８、１０８’は、拡張可能コイルの形状を有する。第２のエネルギ送達本体１０８’の遠位端８７０は、内側部材８７２と連結されるか又はそれに形成され、そして第１のエネルギ送達本体１０８の近位端８７４は、外側部材８７６と連結される。外側部材８７６は内側部材８７２に対して回転可能であり、エネルギ送達体１０８、１０８’を折り畳む及び／又は拡張させる。結合器８７８は、エネルギ送達体１０８、１０８’を一緒に取り付け、そして所望ならばそれらの間を絶縁する。エネルギ送達体１０８、１０８’は、単極式及び／又は双極式に作動させることができる。エネルギ送達体１０８、１０８’のサイズは、本明細書に記載されるように、同じでも異なっていてもよい。各拡張コイルの長さは、約５ｍｍ〜約２０ｍｍの範囲である。
【０３２５】
[00382]  図３６は、肺通路壁に沿った狭い領域、又は肺通路の部分的内周に沿ったような、治療エネルギのより限定された適用のために構成されたエネルギ送達本体１０８を描写する。本実施形態において、エネルギ送達体１０８は活性領域の長さを制限するコイルを含む。非常に局所的な組織効果が望まれる場合、又は組織効果が組織と接触している活性領域を超えて広がる場合、そのような実施形態を使用することができる。本実施形態において、エネルギ送達本体１０８は、幅及び長さを有するコイル８８０を含み、コイル８８０の長さは、図示のように、半円形又は円形パターンに予め成形することができる。治療長さＬ１は、コイル８８０が肺通路壁Ｗに接触するときのコイル８８０の幅によって提供される。この構成は、図示のように単極構成で作動させることができる。しかしながら、２つ以上のコイル８８０を使用して、双極性及び／又は多重化エネルギ送達を可能にすることがさらに想定される。同様に、図３７は、幅及び長さを有するロッド８８２（シャフト１０６など）を含むエネルギ送達本体１０８の実施形態を示し、ロッド８８２の長さは半円形又は円形のパターンに予め成形されている。ロッド８８２はその長さに沿って配置された１つ以上の電極１０７を含む。１つ以上の電極１０７は、ロッド８８２内に埋め込まれてもよく、そうでなければ固定されてもよい。治療長さＬ１は、肺通路壁Ｗに接触する１つ以上の電極１０７の幅によって提供される。この実施形態は、すべての電極と分散（中性）電極との間の単極活性化、個々の電極間の双極活性化、及び／又は電極の任意の組み合わせ間の多重活性化。それらの間のエネルギ送達を可能にするためにこれらの装置の２つ以上を使用することができることがさらに想定される。エネルギ送達体１０８が半円形又は円形の形状に予備成形されるとき、シース１２６を使用してエネルギ送達体１０８を折り畳んで自己拡張のために拘束することができ、及び／又は引っ張り／プッシュワイヤを使用してエネルギ伝達体１０８を拡張することができる。エネルギ送達体１０８を拡張及び／又は折り畳むためのこれらの方法は、提供される他の例の中で詳細に説明される。
【０３２６】
[00383]  エネルギ送達本体１０８は、気管支壁に及ぼされる力がより高度に制御されることが望まれる状況に対して最適化される。本実施形態において、エネルギ送達体１０８は、３段階プロセスを介して気管支内腔に送達される。まず、図３８に示されるように、シース１２６が近位に引き込まれ、それによって、突起として作用する１つ以上のプロング９００を露出させる。この実施形態は、図３８Ａの断面図に示すように、中央内腔９０２の周りに対称的に配列された４つのプロング９００を含む。１つ、２つ、３つ、４つ、５つ、６つ又はそれ以上を含む任意の数のプロング９００が存在してもよい。各突起９００は少なくとも１つの電極１０７を含む。図３９は、電極１０７間の距離を維持するための手段として、ポリマー基板（例えばリボン、ストリップ）のような絶縁基板９０４に取り付けられた細長い形状（ワイヤのような）を有する２つの電極１０７を有するプロング９００の実施形態を示す。電極１０７は、円形又は正方形／長方形の断面を有してもよく、通常、電極１０７が互いに実質的に平行になるように絶縁基板９０４に固定される。電極１０７を絶縁基板９０４に取り付ける製造方法は、共押出し、堆積、接着剤ベースの接合、及び熱接合を使用することができるが、これらに限定される訳ではない。絶縁基板９０４の幅は変えることができる。
【０３２７】
[00384]  図４０は、図３９に示すよりも狭い絶縁基板９０４を有するプロング９００の一実施形態を示す。同様に、図４１は、さらに狭い絶縁基板９０４と２つより多い電極１０７とを有するプロング９００の実施形態を示す。特に、図４１は５つの電極１０７を示しているが、１つ、２つ、３つ、４つ、５つ、６つ、７つ、８つ、又はそれ以上など、任意の数の電極１０７が存在する。図４２は、ポリマー基板（例えばリボン、ストリップ）上に取り付けられた複数の電極１０７を示し、電極１０７は細長い形状（ワイヤなど）を有し、各ワイヤ間にギャップを残して互いにほぼ平行に位置決めされる。
【０３２８】
[00385]  いくつかの実施形態において、電極１０７を有する絶縁基板９０４はストリップとして構成されている（図３９〜４２）。従って、電極１０７は、気道の長さに沿って位置決めされた線形ストリップとして展開される。他の実施形態において、電極１０７を有する絶縁基板９０４は螺旋として構成され、電極は螺旋状に展開される。図４３は、図３９〜４０に図示されているように螺旋として構成された電極１０７を有する絶縁基板９０４を示す。図４４は、螺旋として構成された図４１に示すような電極１０７を有する絶縁基板９０４を示す。
【０３２９】
[00386]  いくつかの実施形態において、他の実施形態に関して前述したようなプッシュプル機構を用いてストリップ又はリボンを展開することができる。螺旋の場合には、回転機構を使用することもできる。電極１０７は、ジェネレータによって制御されるエネルギ印加アルゴリズムに応じて、互いに電気的に接続することができ、互いに絶縁することができ、又は電極間の異なる相互接続パターンの電気的相互接続とすることができる。
【０３３０】
[00387]  １つ以上のプロング９００が露出されると、３段階プロセスの第２段階は、拡張されていない状態にある間にルーメン９０２から拡張可能部材９１０を前進させることによって、バルーンなどの拡張可能部材９１０を導入することを含む。第３のステップは、図４５Ａ〜図４５Ｂに図示されるように、バルーンを膨張させるなど、拡張可能部材９０１を拡張することを含む。プロング９００（従って電極１０７）と気管支壁Ｗとの間の所望の界面が達成されるまで挿入される。他の実施形態において、プロング９００は、拡張可能部材９１０がプロング９００の下に既に配置されている間に位置決めされているので、それらの相対的な長手方向位置は変化しない。この構成では、シース１２６の引き抜きは、拡張可能部材９１０とプロング９００の両方を同時に露出させ、従って、拡張可能部材９１０を管腔９０２から前進させるステップを排除する。上記のように、拡張可能部材９１０は、その後、プロング９００と気管支壁Ｓとの間の所望の界面が達成されるまで拡張（例えば、膨張）される。プロング９００のサイズ（例えば長さ、幅）は、同じでも異なっていてもよい。プロング９００の数は、１（単極構成）と１００（単極及び／又は双極）構成との間で変わる。電極１０７へのエネルギ印加は、エネルギ送達装置（例えば、ジェネレータ）のアルゴリズムに応じて幅広く変わる。
【０３３１】
[00388]  図４６は、双極／多重方式で作動可能な２つより多いエネルギ送達体１０８（４つのエネルギ送達体１０８が示されている）を有するエネルギ送達カテーテル１０２の実施形態を示す。本実施形態において、エネルギ送達体１０８は編組金属ワイヤからなり、ワイヤは電極として機能する。エネルギ伝達体１０８は、その一方が中性である２つのエネルギ伝達体１０８の任意の対の間で外部ジェネレータ１０４によって供給される電力を循環させることによって双極式に作動させることができる。活性エネルギ送達体１０８と中性エネルギ送達体１０８との間の組み合わせもまた変化する。例えば、一実施形態において、１つのエネルギ伝達体１０８が中性電極として機能している間に、エネルギを２つ以上のエネルギ伝達体１０８に印加することができる。活性エネルギ送達体１０８と中性エネルギ送達体１０８との組み合わせ、活性エネルギ送達体１０８と中性エネルギ送達体１０８との間のエネルギの切り替え／循環、活性化エネルギ送達体１０８と非活性化エネルギ送達体１０８との選択は、ジェネレータ１０４のエネルギ送達アルゴリズム１５２によって達成される。アルゴリズム１５２は、所定の手法、画像データ、及び所望の領域及び治療の深さを決定する他の要因に基づいて、エネルギ送達体１０８間でエネルギを適用及び分配することができる。
【０３３２】
[00389]  図４７は、マルチエネルギ送達本体設計を有するエネルギ送達カテーテル１０２の他の実施形態を図示する。本実施形態において、エネルギ送達体１０８は、単極及び／又は双極多重方式で作動する。単極エネルギ送達は、カテーテル１０２の遠位端９２０の近くに位置決めされた１つ以上のエネルギ送達体１０８と患者Ｐの皮膚に外部から適用される分散（対）電極９２２との間にエネルギを供給することによって達成される。送達体１０８、活性エネルギ送達体１０８と分散電極９２２との間のエネルギの切り替え／循環、並びに活性化エネルギ送達体１０８と非活性化エネルギ送達体１０８との間の選択は、ジェネレータ１０２のエネルギ送達アルゴリズム１５２を介して達成される。アルゴリズム１５２は、所定の手法、画像データ、及び所望の領域及び治療の深さを決定する他の要因に基づいて、エネルギ送達体１０８間でエネルギを適用及び分配することができる。
【０３３３】
[00390]  本明細書中の図面は、例示を目的として略同じサイズ（例えば、長さ、直径）と形状のエネルギ送達体１０８を描いているが、構成がこれに限定される訳ではない。いくつかの実施形態において、エネルギ送達体は、気道内腔の先細りを考慮し、エネルギ場をよりよく局在化させ、そして／又は組織の治療を強化するために、サイズを変えることができる。例えば、所望のカテーテル位置決めが、遠位エネルギ送達体が大葉気管支内（直径約９ｍｍ〜１２ｍｍ）にあり、近位エネルギ送達体が主気管支内（直径約１２ｍｍ〜１６ｍｍ）にあることを必要とする場合、遠位エネルギ送達体は、約１２ｍｍに拡張するように設計され得、近位エネルギ送達体は、約１６ｍｍに拡張するように設計される。エネルギ送達体はまた、エネルギ場をよりよく局在化するために異なるサイズである。例えば、単極エネルギ送達が望まれる場合、位置決めするために、分散（中性）電極を（図４７に図示されるように患者の外側に位置決めされるのではなく）カテーテル又は別の装置に組み込むことが有益である。それは、エネルギをより良く局在化させるために治療エネルギ送達体により近い。同じ電場を生成するためにより低い電圧を印加することができるので、これは筋肉収縮又は不整脈を引き起こす危険性を減らすことができる。エネルギ送達体はまた、組織を分離する能力を高めるために異なるサイズである。いくつかの実施形態において、エネルギ送達体の活性部分は、気道と接触しているその領域である。従って、例えば、２つの同じ大きさのエネルギ送達体が同じ大きさの気道に位置決めされ、ほぼ同じように拡張される場合、２つの異なるエネルギ送達体の接触面積はほぼ同じである可能性がある。しかしながら、２つの同じ大きさのエネルギ送達体が異なる大きさの気道に位置決めされ、及び／又は同じように拡張されていない場合、各エネルギ送達体の活性部分は著しく異なる。一方の電極が他方よりも大きな接触面積を有するように構成されている場合、不均一な電場が細胞を分極させ、その結果、組織を分離するための努力においてより大きな力が生成される。エネルギ送達体はまた、上皮に対して垂直なエネルギ場を偏らせるか、又は上皮に沿って剪断力を生じさせるように構成される。
【０３３４】
[00391]  図４８は、気管支鏡１１２に取り外し可能に接続するように構成された例示のカテーテル１０２を示す。本実施形態において、カテーテル１０２のハンドル１１０は、気管支鏡１１２の作業チャネルの外部ポート９５２に取り外し可能に接続可能（例えば、スナップ留め）であるドッキング機構９５０を含む。そのようなドッキング機構９５０は、処置中にオペレータが気管支鏡１１２とカテーテル１０２の両方を制御することをより容易にすることができる。他の実施形態において、ハンドル１１０は、気管支鏡１１２の作業チャネルの外部ポート９５２上に設置可能である様々な気管支鏡アタッチメント及び／又は付属品（例えば、弁、図示せず）に接続可能である。さらに他の実施形態において、ハンドル１１０は、気管支鏡１１２の作業チャネルの外部ポート又は弁に接続するいかなる機構も持たない。このような場合、カテーテル１０２の安定性は、カテーテル１０２のシャフトと気管支鏡１１２の作業チャネルの外部ポート９５２上に設置されている付属品（例えば弁）との間の摩擦によって達成される。
【０３３５】
[00392]  いくつかの実施形態において、カテーテルハンドル１１０の遠位端９５４と最も近位のエネルギ送達本体１０８の近位端９５６との間の長さは、ワーキングチャンネルの近位端とワーキングチャンネルの遠位端との間の距離基づいて、気管支鏡１１２の作業チャネルの長さに実質的に等しくなるように調整される。カテーテルハンドル１１０が気管支鏡１１２の作業チャネルの外部ポート９５２に接続（例えばスナップ留め）されると、エネルギ伝達体（単数又は複数）１０８が肺通路内に導入される。肺通路の目標領域内に１つ以上のエネルギ送達体１０８を位置決めするステップは、気管支鏡１１２を動かし、それによってカテーテル１０２をそこに動かすことによって達成することができる。１つ以上のエネルギ送達体１０８が目標領域内に首尾よく位置決めされ、そしてこの位置がオペレータによって視覚的に評価・確認されると（例えば、視覚気管支鏡検査を使用）、１つ以上のエネルギ送達体は、１つ以上のエネルギ送達体１０８に操作可能に接続されているカテーテルハンドル１１０内の機構（例えば、１つ以上のエネルギ送達体１０８に操作可能に接続されているレバー、スライダ、プランジャ、ボタン）により（あるいは、プルワイヤ又は他の機構により）、展開／拡張し、若しくは組織と接触できるように位置決めされ、エネルギ送達の準備が整える。
【０３３６】
[00393]  いくつかの実施形態において、カテーテルハンドル１１０の遠位端９５４と１つ以上のエネルギ送達体１０８の最遠位端９５８との間の長さは、作業チャネル９５４の近位端と作業チャネル９６０の遠位端との間の距離に基づいて、気管支鏡１１２の作業チャネルの長さと実質的に等しくなるように調整される。カテーテルハンドル１１０が気管支鏡作業チャネルの外部ポート９５２に接続（例えばスナップ留め）されると、１つ以上のエネルギ送達体１０８はまだ気管支内腔に導入されず（図４９Ａ）、気管支鏡１１２のチャンネル内に位置決めされる。１つ以上のエネルギ送達体１０８を気管支内腔に導入する工程（図４９Ｂ）は、ハンドル１１２の主要機構（例えば、レバー、スライダ、プランジャ、ボタン）を介して達成することができる。１つ以上のエネルギ送達体１０８が目標領域内に首尾よく位置決めされ、この位置がオペレータによって視覚的に評価及び確認されると（例えば、視覚気管支鏡検査を使用して）。ハンドル１１２の二次機構（例えば、レバー、スライダ、プランジャ、ボタン）を介して、電極は、拡張又は展開し、あるいは組織と接触できる位置につき（図４９Ｃ）、エネルギ供給の準備が整える。一構成では、二次ハンドル機構（例えば、レバー、スライダ、プランジャ、ボタン）がカテーテルシースの近位端に操作可能に接続されている（例えば、接着又は溶接されている）。１つ以上のエネルギ送達体１０８を展開／拡張するために、オペレータは二次機構を近位に動かし、それによりカテーテルシースを近位に動かし、それにより１つ以上のエネルギ送達体１０８の拘束を取り除き、それらを拡張させる。別の構成では、二次ハンドル機構（例えば、レバー、スライダ、プランジャ、ボタン）が、引っ張り又はプッシュワイヤ／チューブの近位端に操作可能に接続（例えば、接着又は溶接）されている。１つ以上のエネルギ送達体１０８を展開又は拡張するために、オペレータは、二次機構を近位に動かして引っ張りワイヤ又はチューブを引っ張るか、又は遠位に引っ張ってプッシュワイヤ／チューブを押す。両方の実施形態において、カテーテルの特定の構成及びその展開機構に応じて、二次ハンドル機構を使用してオペレータによって行われる動作は、１つ以上のエネルギ送達体１０８の展開又は拡張をもたらす。さらに別の構成では、１つ以上の引っ張りワイヤ又はプッシュワイヤ又はチューブに接続された１つ以上の二次ハンドル機構がある。このシナリオでは、１つ以上のエネルギ送達体１０８の拡張は、異なる時間及び異なる大きさのレベルで異なる二次ハンドル機構を作動させることによって独立して制御することができる。
【０３３７】
[00394]  いくつかの実施形態において、カテーテルハンドルの遠位端と１つ以上のエネルギ送達体１０８の近位端との間の長さは、作業チャネルの長さより実質的に長くなるように調整される。１つ以上のエネルギ送達体１０８が肺通路に導入されるとき、ハンドルは気管支鏡の作業チャネルの外部ポートと接触していない。目標領域内に１つ以上のエネルギ送達体１０８を位置決めする工程は、気管支鏡を動かすことによって、あるいはカテーテル自体を動かすことによって達成される。この場合、カテーテルは、オペレータが気管支鏡を保持することを可能にするために、カテーテルハンドルがオペレータによって保持されるか、又は患者の上もしくは近くに置かれることができるほど十分に長い。１つ以上のエネルギ送達体１０８が目標領域内に首尾よく位置決めされ、そしてこの位置がオペレータによって視覚的に評価・確認されると（例えば、視覚気管支鏡検査を使用）、１つ以上のエネルギ送達体１０８は、１つ以上のエネルギ送達体１０８に操作可能に接続されているカテーテルハンドル内の機構（例えば、レバー、スライダ、プランジャ、ボタン）により、展開し、あるいは組織と接触できる位置につき、エネルギ送達の準備が整える。
【０３３８】
[00395]  部分的に又は全体として他の実施形態と組み合わせることができる本明細書に記載の実施形態によれば、カテーテルのハンドルは、気管支鏡作業チャネルの外部ポートに取り外し可能に接続（例えばスナップ留め）できるドッキング機構を含む。他の実施形態において、ハンドルは、気管支鏡作業チャネルの外部ポートに取り付けられている様々な付属品及び／又は付属品（例えば弁）に接続することができる。さらに他の実施形態において、ハンドルは気管支鏡作業チャネルの外部ポートにスナップ嵌合するいかなる機構も有し得ず、装置の安定性はカテーテルのシャフトと付属品（例えば弁）との間の摩擦によって達成される。気管支鏡の作業チャンネルの外部ポートに取り付ける。
【０３３９】
ＶＩＩＩ．治療パターン
[00396]  患者Ｐは、治療のための単一の目標領域又は複数の目標領域を持つ。目標領域は、治療の目標とされている肺通路の隣接領域である。単一の肺通路は複数の目標領域を含む。同様に、目標領域は別々の肺通路に沿って位置決めされてもよい。各目標領域は、１つ以上の目標分節を含む。目標分節は、カテーテル１０２の一回の位置決め（つまり、一回の治療）によって治療可能な肺通路の一部である。従って、目標分節は、カテーテル１０２の１つ以上の電極１０８によって壁組織が治療されている肺気道壁Ｗに沿った外側領域境界によって画定される。カテーテル１０２の異なる実施形態は、肺通路の異なるサイズの領域を覆ってもよい。従って、目標分節のサイズは、カテーテル１０２／システム１００の設計に基づいて変わる。加えて、カテーテル１０２を肺通路に沿って連続的に移動させて、複数の隣接する目標分節を作り出すことができ、隣接する目標分節は目標領域を覆う。
【０３４０】
[00397]  従って、患者の気道を治療するための方法は、（ａ）目標分節で単一の治療を行うこと、（ｂ）全体の治療領域が概して連続的になるように隣接する目標分節で２つ以上の治療を行うこと、及び／又は（ｃ）互いに間隔をあけて２回以上の処理を行うこと。図５０は、肺の主気管支ＭＢ内の単一の目標分節１０００の概略図である。本実施形態において、目標分節１０００は、カテーテル１０２の１つ以上のエネルギ送達体１０８を位置決めし、そこに治療エネルギを送達することによって治療される。図５１は、全体の目標又は治療領域１００２が概して隣接するように互いに隣接して位置決めされた２つの目標分節１０００ａ、１０００ｂの概略図である。通常、２つの目標分節１０００ａ、１０００ｂは、最初に第１の目標分節１０００ａを治療するようにカテーテル１０２を位置決めし、次に第２の目標分節１０００ｂを治療するようにカテーテル１０２を再位置決めすることによって治療される。当然のことながら、様々な目標分節を異なるカテーテル１０２で治療することができる。目標分節１０００ａ、１０００ｂは任意の順序で処理されてもよいことも理解されよう。同様に、いくつかの実施形態において、目標分節は重複する。従って、両方の図は、図５０〜５２は、肺通路内の単一の目標領域を示す。図５２は、患者内の２つの目標領域１００４、１００６の概略図である。本実施形態において、第１の目標領域１００４は主気管支ＭＢ内に位置決めされ、第２の目標領域１００６は肺の小葉気管支ＬＢ内に位置決めされる。ここで、第１の目標領域１００４は目標分節１００８によって覆われ、第２の目標領域１００６は目標分節１０１０によって覆われ、ここで目標分節１００８、１０１０は互いに空間的に離れている。また、２つの目標分節１００８、１０１０は、最初に第１の目標分節１００８を治療するようにカテーテル１０２を位置決めし、次に第２の目標分節１０１０を治療するようにカテーテル１０２を再位置決めすることによって治療することができる。当然のことながら、様々な目標分節を異なるカテーテル１０２で治療することができる。目標分節１００８、１０１０は任意の順序で処理される。これらの図は、所望の結果を得るために単独で又は互いに組み合わせて使用することができる例示的な治療パターンを提供することが理解される。
【０３４１】
[00398]  目標分節内では、肺通路組織は任意の所与の断面で様々な治療パターンを受けることができることも理解されよう。例えば、いくつかの実施形態は、目標分節の所与の長さにわたって気道の全周を治療することを含み、他の実施形態は、目標分節の所与の長さにわたって気道の円周の１つ以上の離散部分を治療することを含む。
【０３４２】
[00399]  図５３は、編組籠からなるエネルギ送達本体１０８の一部の概略側面図である。編組は、エネルギを送達する個々のワイヤ１２０からなる。ワイヤ間には孔１０５０がある。膨張の程度（直径１０５２によって示される）に応じて、孔径は変わる。図５４は、気道壁Ｗを有する肺通路内に位置決めされた図５３のエネルギ伝達体１０８の概略断面図である。従って、エネルギ伝達体１０８はワイヤの複数の断面として示されている。１２０は、肺通路の内腔に対して（つまり、気道壁Ｗの内面に沿って）位置決めされている。いくつかの実施形態において、気道Ｗの連続全周の治療（シェーディング、１０５４）が達成される。同様に、いくつかの実施形態において、エネルギ送達本体１０８の長さ１０５６に沿った連続全周治療もまた達成される。この効果は図５５に示されている。
【０３４３】
[00400]  
いくつかの実施形態において、所与の長さにわたって実質的に連続的な全周治療を達成するために、少なくとも印加電界（Ｖ／ｃｍ）及び電極設計が考慮される。一例では、電場は単極方式で印加され、電場は実質的にエネルギ送達本体１０８に印加され、分散（中性）電極は患者の体外又は体内の他の場所に位置決めされる。場の大きさの変化及び／又は分布は、印加電圧及びワイヤ１２０の幾何学的関係に依存する。図５３〜５５の例を参照すると、治療される組織の周囲及び長さと接触するエネルギ送達本体１０８は、ワイヤ１２０の金属編組から構成される。多数のワイヤ１２０を互いに接近させることによって、各ワイヤ１２０間の電場は、接触部１０５４の全円周領域の周りに連続的に所望の組織効果を引き起こすのに十分である。この例では、直径１０５２は、配送のために完全に折り畳まれたときの直径約２〜３ｍｍから完全に拡張されたときの直径約１０ｍｍ、１２ｍｍ、１５ｍｍ、１８ｍｍ、２０ｍｍ、又は２２ｍｍまで拡大するように設計されている。この範囲に属する数値をすべて適用できる。拡張の程度に応じて、孔径１０５０の大きさは変化するが、一般的に少なくとも１０ｍｍ２までの孔径を有する連続的な組織効果を生じさせるのに有効である。孔サイズが著しく大きくなると、図５６に示すように、適用された同じ場が不連続な組織効果（陰影１０５６で示される）をもたらす可能性がある。本実施形態において、エネルギ送達体は４本のワイヤ１２０からなり、各ワイヤ１２０は全体的に不連続な組織効果に寄与する組織効果を提供する。これは、臨床的利益を提供するのに十分な量の組織に依然として影響を与えながら、治癒速度を速めることができる。不連続病変はまた、印加電場を減少させることによっても達成することができる。
【０３４４】
[00401]  いくつかの実施形態は、すべての値を含む、約２５から約５０％、約５０％から約７５％、又は約７５％〜約１００％の範囲の周囲の治療部分を含むエネルギ送達体を有する。この範囲に属する数値をすべて適用できる。いくつかの実施形態は、実行される個々の治療の数を最小限に抑えながら、広範囲の患者の解剖学的構造を治療するのに十分な柔軟性を可能にする、その間のすべての値及び部分範囲を含む約５ｍｍ〜約２０ｍｍの範囲の治療長を含む。
【０３４５】
ＩＸ．一般的な実施形態
[00402]  部分的に又は全体として他の実施形態と組み合わせることができる、本明細書に記載のいくつかの実施形態において、肺手技を実施するための肺組織改変システムは、エネルギ生成ジェネレータ、エネルギ送達カテーテル、付属品、及び１つ以上の画像診断器を含む。
【０３４６】
[00403]  いくつかの実施形態において、遠位端の近くに取り付けられた２つのエネルギ送達体を有する双極カテーテルは、体外のエネルギ生成ジェネレータに接続されている。カテーテルの遠位端は、気管支鏡又は他の直接視覚化システムを使用して口又は鼻を通って気管支樹の中に通される。エネルギ送達体は、それらが気道壁に接触するように展開、拡張及び／又は他の方法で位置決めされる。その後、オペレータは、フットスイッチ、ジェネレータのボタン、カテーテルのボタン、又はリモコンなどの任意の適切なインターフェースを介してジェネレータを作動させて、電極に隣接して、及び／又は電極間で気道組織にエネルギを送達することができる。いくつかの実施形態において、オペレータは、エネルギ送達体を罹患気道の別の部分に移動させて別の治療を送達するか、又は気道の一部の表面全体又は気道の複数の部分を治療することを選択することができる。いくつかの実施形態において、所望の侵入深さに応じて、気道の同じ部分に複数の治療を施すことができる。いくつかの実施形態において、侵入深さに影響を及ぼすために、２つ以上の異なるエネルギ送達アルゴリズムを採用することができる。
【０３４７】
[00404]  いくつかの実施形態において、遠位端の近くに取り付けられた単一のエネルギ送達本体を有する単極カテーテルが、身体の外側でエネルギ生成ジェネレータに接続されている。カテーテルの遠位端は、気管支鏡又は他の直接視覚化システムを使用して口又は鼻を通って気管支樹の中に通される。電極は、それが気道壁に接触するように展開、拡張及び／又は他の方法で位置決めされる。分散（中性）電極又は対極板が患者の他の表面（例えば、患者の皮膚などの外部の場所）に固定され、またジェネレータに接続されている。その後、オペレータは、電極を介して気道組織にエネルギを送達するために、例えばフットスイッチ、ジェネレータのボタン、カテーテルのボタン、又は遠隔制御を介してジェネレータを作動させることができる。オペレータは、エネルギ送達体を罹患気道の別の部分に移動させて治療を送達することができ、又は気道の一部の表面全体、又は気道の複数の部分を治療することを選択することができる。いくつかの実施形態において、２つ以上の単極エネルギ送達体を１つ以上のカテーテルに組み込んで、カテーテルを再位置決めすることなく複数の場所の治療を可能にすることができる。所望の侵入深さに応じて、気道の同じ部分に複数の治療を施すことができる。いくつかの実施形態において、侵入深さに影響を及ぼすために、２つ以上の異なるエネルギ送達アルゴリズムを採用することができる。いくつかの実施形態において、ジェネレータ上のユーザインタフェースを使用して所望の治療アルゴリズムを選択することができ、他の実施形態において、アルゴリズムは１つ以上のセンサによって得られる情報に基づいてジェネレータによって自動的に選択することができる。
【０３４８】
[00405]  いくつかの実施形態において、遠位端の近くに取り付けられた複数のエネルギ送達体を有するカテーテルは、体外のエネルギ生成ジェネレータに接続されている。カテーテルの遠位端は、気管支鏡又は他の直接視覚化システムを使用して口又は鼻を通って気管支樹の中に通される。エネルギ送達体は、それらが気道壁に接触するように展開、拡張、又は他の方法で位置決めされる。次いで、オペレータは、例えばフットスイッチ、ジェネレータのボタン、カテーテルのボタン、又はエネルギ送達体を介して気道組織にエネルギを送達するためのリモコンを介してジェネレータを作動させることができる。いくつかの実施形態において、エネルギ送達は、所望の目標組織に影響を及ぼすために任意の適切なパターンで任意の１つ以上のエネルギ送達体にわたって多重化することができる。いくつかの実施形態において、分散（中性）電極を患者の皮膚などの患者の別の表面に取り付け、さらにジェネレータに接続して、任意のエネルギ送達体への単極エネルギ送達を可能にすることができる。所望の侵入深さに応じて、気道の同じ部分に複数の治療を施すことができる。いくつかの実施形態において、侵入深さに影響を及ぼすために、２つ以上の異なるエネルギ送達アルゴリズムを採用することができる。ジェネレータ上のユーザインタフェースは、所望の治療アルゴリズムを選択するために使用されるか、又はアルゴリズムは、情報に基づいてジェネレータによって自動的に選択される。
【０３４９】
[00406]  いくつかの実施形態において、目標治療領域は、病原性細胞及び／又はより深い組織に影響を及ぼすのに十分な治療アルゴリズムを選択するために識別され使用される。次いで、電極システムを病原性細胞及び／又は異常気道壁組織の部位に配備し、エネルギを目標組織に影響を及ぼすように送達することができる。画像診断器（単数又は複数）を治療の前、最中、最中、及び／又は後に使用して、治療がどこで行われたか又は行われなかったか、及び／又はエネルギが気道壁に適切に影響したか否かを判断できる。目標治療領域が見逃された、又は目標治療領域が適切に影響されなかったと決定される場合、適切な治療が達成されるまで、エネルギ送達を繰り返し、続いて本明細書に記載のように撮像することができる。さらに、撮像情報を利用して、特定の細胞型及び／又は所望の治療深度が適用されたか否かを判定することができる。これは、多種多様な患者の解剖学的構造を治療するためのエネルギ送達アルゴリズムのカスタマイズを可能にする。
【０３５０】
[00407]  いくつかの実施形態において、本明細書に記載の任意の装置及び／又はシステムは、一般に気道へのアクセス、並びに、任意選択による治療の計画、案内及び／又は検証を目的とする処置前、処置中及び／又は処置後の撮像を含む罹患気道及び／又は他の肺組織（例えば、実質組織）を治療する方法に使用できる。いくつかの実施形態において、方法は、各エネルギ印加で十分な治療領域を治療すること、十分な全体治療領域を治療すること、十分な深さまで治療すること、所定の細胞型を治療すること、に基づいて治療をカスタマイズすることの１つ以上をさらに含む。撮像及び／又はセンサ情報、及びそれらの組み合わせ。
【０３５１】
Ｘ．実施例
[00408]  以下の実施例は、本明細書に開示されるシステム及び方法の実施形態をさらに説明するものであり、決してそれらの範囲を限定するものとして解釈されるべきではない。
【０３５２】
[00409]  実施例１：双極システムによる周方向治療と組織効果
【０３５３】
[00410]  双極拡張型エネルギ送達体を有する非熱エネルギ送達装置が開発された。装置は、両方のエネルギ送達体を拡張及び収縮させる機構を有するカテーテルシャフト上に同心円状に取り付けられたニチノール、編組、拡張電極をそれぞれ含む２つのエネルギ送達体を含んだ（例えば、図２７参照）。拡張されたエネルギ送達体の直径は、約５ｍｍから約２０ｍｍの範囲であった。エネルギ送達体は、それぞれ約３ｃｍで実質的に長さが等しく、端から端まで約２．５ｃｍ離れてカテーテルシャフトの長手方向軸に沿って間隔を置いていた。気道内の上皮及び粘膜下組織層に対するパルス状の高電圧エネルギの効果を評価するために、装置を生きた麻酔ブタの左及び／又は右の気管支に導入し、エネルギを双極性形波で送達した。パルス周波数は約３００ｋＨｚ、パルス振幅は約４０００Ｖ、総エネルギ供給持続時間は約４１５マイクロ秒（１パケット当たり８３マイクロ秒、５パケット）であった。
【０３５４】
[00411]  処置後、動物を回収し、約２４時間後に安楽死させた。次に気道を切開し、約４８時間ホルマリンで固定した。次いで気道を約５ｍｍの増分で切片にし、通常の方法で組織学のために処理した。処理区域と未処理区域の両方の区画を比較の目的で処理した。スライドは、ヘマトキシリン−エオシン（Ｈ＆Ｅ）染色を用いて調製した。
【０３５５】
[00412]  図５７Ａは、健康且つ未治療の気道の通常部分を示し、図５７Ｂは、エネルギ送達の２４時間後の治療済みの気道の通常部分を示す。未処置の気道（図５７Ａ）では、偽層状柱状上皮細胞ＰＣＥＣ及び杯細胞ＧＣ並びに粘膜下腺ＳＧ、結合組織ＣＴ、平滑筋ＳＭ、及び軟骨ＣＬを含む無傷の粘膜下構造を有する繊毛上皮Ｅを観察することができる。処置気道（図５７Ｂ）では、偽層状柱状上皮細胞ＰＣＥＣ及び杯状細胞ＧＣを有する上皮Ｅが実質的に除去又は破壊されており、細胞残余物及び基底膜のみが残っていた。さらに、粘膜下組織が影響を受けている。最も注目すべきことに、粘膜下腺細胞ＳＧはほとんど存在せず、細胞外腺構造は破壊されている。平滑筋ＳＭ及び結合組織層ＣＴもまた、軟骨ＣＬが影響を受けないままである間に細胞損傷及び破壊の徴候を示す。
【０３５６】
[00413]  実施例２：単極システムによる周方向治療と組織効果
【０３５７】
[00414]  単極性の膨張可能なエネルギ送達体を有する非熱エネルギ送達装置が開発された。装置は、エネルギ送達体を拡張及び収縮させるための機構を有する、カテーテルシャフト上に同心円状に取り付けられたニチノール、編組、拡張電極を含む単一のエネルギ送達体を含んでいた（例えば、図２６参照）。拡張されたエネルギ送達直径は、約５ｍｍから約２０ｍｍの範囲であった。気道内の上皮及び粘膜下組織層に対するパルス状の高電圧エネルギの効果を評価するために、装置を生きた麻酔ブタの左及び／又は右の気管支に導入し、エネルギを双極性形波で送達した。パルス周波数は約３００ｋＨｚ、パルス振幅は約４０００Ｖ、総エネルギ供給持続時間は約４１５マイクロ秒（１パケット当たり８３マイクロ秒、５パケット）であった。
【０３５８】
[00415]  処置後、動物を回収し、約２４時間後に安楽死させた。次に気道を切開し、約４８時間ホルマリンで固定した。次いで気道を約５ｍｍの増分で切片にし、通常の方法で組織学のために処理した。処理区域と未処理区域の両方の区画を比較の目的で処理した。スライドは、ヘマトキシリン−エオシン（Ｈ＆Ｅ）染色を用いて調製した。
【０３５９】
[00416]  図５８Ａは、健康且つ未治療の気道の通常部分を示し、図５８Ｂは、エネルギ送達の２４時間後の治療された気道の通常部分を示す。未処置の気道（図５８Ａ）では、偽層状柱状上皮細胞ＰＣＥＣ及び杯細胞ＧＣ並びに粘膜下腺ＳＧ、結合組織ＣＴ、軟骨ＣＬ及び平滑筋ＳＭを含む無傷の粘膜下構造を有する繊毛上皮Ｅを観察することができる。治療された気道（図５８Ｂ）では、上皮Ｅ及び杯状細胞ＧＣは実質的に除去又は破壊されており、細胞残余物及び基底膜ＢＭのみが残っていた。さらに、粘膜下組織が影響を受けている。最も注目に値するのは、粘膜下腺細胞ＳＧが一部の場所に存在しないことである。この例では、平滑筋ＳＭ及び結合組織層ＣＴを含む細胞外腺構造は、ほとんど影響を受けないままであった。軟骨ＣＬは影響を受けなかった。治療効果は、電極が気道と接触しているところで組織変化が認められる、双極又は単極システムのいずれを用いても同様である。
【０３６０】
[00417]  本明細書で使用されるとき、用語「約」及び／又は「およそ」は、数値及び／又は範囲と共に使用されるとき、一般に、それらの数値及び／又は列挙された数値及び／又は範囲に近い範囲を指す。一例では、用語「約」及び「およそ」は、列挙された値の±１０％以内を意味する。例えば、一例では、「約１００［単位］」は、１００の±１０％以内（例えば、９０〜１１０）を意味することができる。「約」及び「およそ」という用語は互換的に使用することができる。
【０３６１】
[00418]  本明細書では本発明の好ましい実施形態を示し説明してきたが、そのような実施形態が例としてのみ提供されていることは当業者には明らかである。当業者であれば、本発明から逸脱することなく、数多くの変形、変更、及び置換に想到するはずである。本明細書に記載された本発明の実施形態に対する様々な代替物を、本発明を実施する際に使用することができる。下記に添付の特許請求の範囲は本発明の範囲を規定し、そしてこれらの特許請求の範囲に属する方法及び構造並びにそれらの均等物は、すべて本発明として見なされる。
【図１】
2019524396.tif 000003
【図２】
2019524396.tif 000004
【図３】
2019524396.tif 000005
【図４Ａ】
2019524396.tif 000006
【図４Ｂ】
2019524396.tif 000007
【図５】
2019524396.tif 000008
【図６】
2019524396.tif 000009
【図７】
2019524396.tif 000010
【図８Ａ】
2019524396.tif 000011
【図８Ｂ】
2019524396.tif 000012
【図９】
2019524396.tif 000013
【図１０】
2019524396.tif 000014
【図１１】
2019524396.tif 000015
【図１２】
2019524396.tif 000016
【図１３】
2019524396.tif 000017
【図１４】
2019524396.tif 000018
【図１５】
2019524396.tif 000019
【図１６】
2019524396.tif 000020
【図１７】
2019524396.tif 000021
【図１８】
2019524396.tif 000022
【図１９】
2019524396.tif 000023
【図２０】
2019524396.tif 000024
【図２１】
2019524396.tif 000025
【図２２】
2019524396.tif 000026
【図２３Ａ】
2019524396.tif 000027
【図２３Ｂ】
2019524396.tif 000028
【図２４】
2019524396.tif 000029
【図２５】
2019524396.tif 000030
【図２６】
2019524396.tif 000031
【図２７】
2019524396.tif 000032
【図２８Ａ】
2019524396.tif 000033
【図２８Ｂ】
2019524396.tif 000034
【図２９】
2019524396.tif 000035
【図３０】
2019524396.tif 000036
【図３１】
2019524396.tif 000037
【図３２】
2019524396.tif 000038
【図３３】
2019524396.tif 000039
【図３４】
2019524396.tif 000040
【図３５】
2019524396.tif 000041
【図３６】
2019524396.tif 000042
【図３７】
2019524396.tif 000043
【図３８】
2019524396.tif 000044
【図３８Ａ】
2019524396.tif 000045
【図３９】
2019524396.tif 000046
【図４０】
2019524396.tif 000047
【図４１】
2019524396.tif 000048
【図４２】
2019524396.tif 000049
【図４３】
2019524396.tif 000050
【図４４】
2019524396.tif 000051
【図４５Ａ】
2019524396.tif 000052
【図４５Ｂ】
2019524396.tif 000053
【図４６】
2019524396.tif 000054
【図４７】
2019524396.tif 000055
【図４８】
2019524396.tif 000056
【図４９Ａ−４９Ｃ】
2019524396.tif 000057
【図５０】
2019524396.tif 000058
【図５１】
2019524396.tif 000059
【図５２】
2019524396.tif 000060
【図５３】
2019524396.tif 000061
【図５４】
2019524396.tif 000062
【図５５】
2019524396.tif 000063
【図５６】
2019524396.tif 000064
【図５７Ａ】
2019524396.tif 000065
【図５７Ｂ】
2019524396.tif 000066
【図５８Ａ】
2019524396.tif 000067
【図５８Ｂ】
2019524396.tif 000068
【国際調査報告】
2019524396.tif 000069
2019524396.tif 000070
2019524396.tif 000071
2019524396.tif 000072
2019524396.tif 000073
2019524396.tif 000074
2019524396.tif 000075